(57)【要約】一実施形態において、受容ステーションの液体ニードルに液体を供給するための印刷液体供給装置が提供され、その印刷液体供給装置は、少なくとも部分的に変形可能な液体リザーバを含む液体容器と、容器の側部にあるインターフェース構造体とを含み、インターフェース構造体は、液体がリザーバからニードルへ流れることを可能にするためにリザーバとニードル受容部分に流体的に連通するように接続するリザーバ接続部分を含む液体チャネルと、ニードル受容部分に隣接し且つリザーバ接続部分から或る距離を置いた液体チャネルの液体インターフェースと、液体インターフェースと容器との間に配置された押し領域を含む、液体インターフェースに隣接した前壁および／または縁部と、少なくとも１つのキーペン基部およびニードル挿入方向に平行で且つそれとは逆の方向において前記基部から突出するキーペンと、ニードル受容液体チャネル部分に隣接したコンタクトパッドアレイとを含む。別の例において、係る装置のサブアセンブリが提供される。【選択図】図１
2021519708.tif 000002
【特許請求の範囲】
【請求項１】
受容ステーションの液体ニードルに液体を供給するための印刷液体供給装置であって、
流体の移動を阻止するように適合されたリザーバ壁材料を含む、少なくとも９０ｍｌの印刷液体を保持するための少なくとも部分的に変形可能な液体リザーバを含む液体容器と、
前記容器の側部にあるインターフェース構造体とを含み、そのインターフェース構造体が、
前記受容ステーションとの流体接続を容易にするように適合された剛性のある成形構造体と、
液体が前記リザーバから前記ニードルへ流れることを可能にするために前記リザーバとニードル受容部分に流体的に連通するように接続するリザーバ接続部分を含む液体チャネルと、
前記ニードル受容部分に隣接し且つ前記リザーバ接続部分から或る距離を置いた前記液体チャネルの液体インターフェースであって、当該液体インターフェースが液体ニードルを受容するためのシールを含み、前記ニードル受容液体チャネル部分および／またはシールがニードル挿入方向を画定する、液体インターフェースと、
前記液体インターフェースと前記容器との間に配置された押し領域を含む、前記液体インターフェースに隣接した前壁および／または縁部と、
少なくとも１つのキーペン基部およびキーペンであって、前記キーペンは、キースロットを通過して前記受容ステーションのアクチュエータ上で作動するために、前記ニードル挿入方向に平行で且つそれとは逆の方向において前記基部から突出し、前記ニードル受容液体チャネル部分に隣接して且つそれに概ね平行に延びて、前記基部から少なくとも１０ｍｍの距離を置いて個別の作動表面領域を有する、少なくとも１つのキーペン基部およびキーペンと、
前記ニードル受容液体チャネル部分に隣接したコンタクトパッドアレイであって、データコネクタが前記容器と前記コンタクトパッドアレイとの間でコンタクトパッドに接触することができるように、前記コンタクトパッドの接触面が前記容器に面している、コンタクトパッドアレイとを含み、
前記コンタクトパッドアレイは、前記ニードル挿入方向に垂直な横方向において延びるラインに沿って配列され、
前記キーペン、前記ニードル受容液体チャネル部分、及び前記液体インターフェースは、前記コンタクトパッドアレイと交差する第２の仮想基準平面に平行で且つそれから或る距離を置いた第１の仮想基準平面により交差される、印刷液体供給装置。
【請求項２】
前記ニードル受容液体チャネル部分の両側において、前記ニードル受容液体チャネル部分に隣接して且つそれに平行に延びる一対の突出キーペンを含む、請求項１に記載の印刷液体供給装置。
【請求項３】
前記ニードル挿入方向に沿って測定される際に前記作動表面領域のレベルは、
液体インターフェース縁部および／または前面押し領域のレベルから約５ｍｍ〜０ｍｍ短い位置において延びる、又は
そのレベルを越えて延びる、請求項１又は２に記載の印刷液体供給装置。
【請求項４】
前記キーペン及び前記ニードル受容液体チャネル部分は、データコネクタが前記ニードル受容液体チャネル部分と前記キーペンとの間を通ることを容易にするために、前記コンタクトパッドアレイの側面において延びる、請求項１〜３の何れか１項に記載の印刷液体供給装置。
【請求項５】
前記ニードル受容液体チャネル部分の反対側の側面において第２のキーペンを含み、前述したキーペンと前記ニードル受容液体チャネル部分との間の距離は、前記第２のキーペンと前記ニードル受容液体チャネル部分との間の距離より大きい、請求項４に記載の印刷液体供給装置。
【請求項６】
前記インターフェース構造体は、各側面においてリセスを含み、キーペンが各リセス内で延びており、前記リセスが、より小さいリセス及びより大きいリセスを含み、前記コンタクトパッドアレイが前記より大きいリセス内に配置される、請求項４又は５に記載の印刷液体供給装置。
【請求項７】
クリアランス及び当たり止め面が、前記インターフェース構造体の側面に設けられ、
前記当たり止め面が前記キーペンに隣接して前記クリアランスの前で延びており、
前記第１の仮想基準平面が前記当たり止め面と交差する、請求項１〜６の何れか１項に記載の印刷液体供給装置。
【請求項８】
前記インターフェース構造体の側面において横方向側壁にクリアランスを含み、前記クリアランスが、スロット、貫通穴、又は凹みである、請求項１〜７の何れか１項に記載の印刷液体供給装置。
【請求項９】
少なくとも１つの壁を含む支持構造体を含み、前記支持構造体は、
前記リザーバを支持し且つ前記リザーバを少なくとも部分的に取り囲むように適合され、
前記インターフェース構造体を支持するように適合され、
前記リザーバから前記インターフェース構造体までの液体の流れを容易にするために１つの壁に開口を含む、請求項１〜８の何れか１項に記載の印刷液体供給装置。
【請求項１０】
前記インターフェース構造体が前記容器から突出する、請求項１〜９の何れか１項に記載の印刷液体供給装置。
【請求項１１】
前記インターフェース構造体が前記容器から突出する吐出方向に沿って見られる際に、前記ニードル受容液体チャネル部分、液体インターフェース、側面、固定特徴要素、キーペン及びコンタクトパッドは全て、前記容器の輪郭により画定された領域内で延びている、請求項１０に記載の印刷液体供給装置。
【請求項１２】
前記インターフェース構造体は、前記液体ニードルに対して前記装置の前記受容ステーションへの挿入を容易にするために前記ニードル挿入方向に平行な少なくとも１つの細長い直線状ガイド面および／またはクリアランススロットを含む、請求項１〜１１の何れか１項に記載の印刷液体供給装置。
【請求項１３】
前記少なくとも１つのガイド面またはクリアランススロットは、側面に設けられ、前記第１の仮想基準平面により交差される、請求項１２に記載の印刷液体供給装置。
【請求項１４】
前記少なくとも１つのガイド面またはクリアランススロットは、遠位側に設けられ、前記第１の仮想基準平面により交差される、請求項１２又は１３に記載の印刷液体供給装置。
【請求項１５】
前記インターフェース構造体は、前記集積回路コンタクトパッドアレイと比べて、前記ニードル受容液体チャネル部分に沿って遠位の側壁において、及び前記液体チャネル部分の反対側においてスロットを含む、請求項１〜１４の何れか１項に記載の印刷液体供給装置。
【請求項１６】
前記液体インターフェース及びコンタクトパッドアレイは、前記ニードル挿入方向に平行であり且つ前記第１及び第２の仮想基準平面に垂直な中央仮想基準平面の両側で延びる、請求項１〜１５の何れか１項に記載の印刷液体供給装置。
【請求項１７】
前記ニードル受容液体チャネル部分および前記リザーバ接続液体チャネル部分は、互いに対して或る角度をなして延びており、
前記液体チャネルの前記リザーバ接続部分は、前記ニードル受容液体チャネル部分から或る距離を置いた所で、前記第２の仮想基準平面に対して前記第１の仮想基準平面の反対の側において、前記第１の仮想基準平面に平行な第３の仮想基準平面により交差される、請求項１〜１６の何れか１項に記載の印刷液体供給装置。
【請求項１８】
前記ニードル受容液体チャネル部分および前記リザーバ接続液体チャネル部分は、前記ニードル挿入方向に垂直な横方向において、互いに対してオフセットされる、請求項１７に記載の印刷液体供給装置。
【請求項１９】
前記前面押し領域は、前記インターフェース縁部の内径および／または前記液体インターフェースに着座したシールの外径より小さい、前記液体インターフェースからの距離の所で終端する、請求項１〜１８の何れか１項に記載の印刷液体供給装置。
【請求項２０】
印刷液体供給容器を組み立てるための構成要素のサブアセンブリであって、当該セットは、印刷液体供給容器を形成するために印刷液体リザーバ及び支持構造体を含み、
前記容器は、第１、第２及び第３の寸法を有し、
前記支持構造体は、少なくとも折り曲げられて取り付けられた状態において、前記リザーバを少なくとも部分的に取り囲んで支持し、且つ前記容器に剛性を提供し、
前記リザーバは、
印刷液体を保持し、且つ印刷液体が前記リザーバから引き出されるためにつぶれるように少なくとも部分的にフレキシブルであるバッグであって、前記バッグは、流体交換を阻止するように構成されている、バッグと、
充填された状態の前記バッグに対して比較的幅の狭い首部であって、前記首部は前記バッグから印刷液体を出力するための開口を有する、首部とを含み、
充填されて組み立てられた状態において、前記首部から始まって、前記バッグの少なくとも約三分の二が、前記支持構造体の突出部分の内部に、前記第２の寸法に平行な方向において突出し、
前記支持構造体は、折り曲げられた状態において、前記第１、第２及び第３の寸法を画定するほぼ垂直な壁を含むように適合され、前記第１及び第２の寸法は、前記第３の寸法より大きく、前記第２及び第３の寸法を画定する第１の壁は、前記支持構造体に配置された際に、前記首部に対する別の流体構造体の接続を可能にするために前記リザーバの前記首部に隣接した開口を含み、
前記開口は、前記突出部分の反対側で、前記第１の壁に隣接した別の壁に隣接して設けられ、他の壁は前記第１及び第３の寸法に平行である、サブアセンブリ。
【請求項２１】
前記第２の寸法に沿った前記バッグの長さは、前記支持構造体の内部の前記バッグの少なくとも充填された状態において、前記第３の寸法に沿った前記バッグの幅より大きい、請求項２０に記載のサブアセンブリ。
【請求項２２】
前記支持構造体の折り曲げられて取り付けられた状態において、前記第１の壁を押す際に前記第１の壁を強化するために、前記支持構造体と前記リザーバとの間で少なくとも部分的に、前記支持構造体の前記第１の壁に隣接した前記他の壁内に又は当該他の壁に沿って延びるように適合された機械的接続構造体を更に含む、請求項２０又は２１に記載のサブアセンブリ。
【請求項２３】
前記リザーバと支持構造体との間で少なくとも部分的に、前記第１の壁および前記開口に沿って延びる機械的接続構造体を含む、請求項２０〜２２の何れか１項に記載のサブアセンブリ。
【請求項２４】
前記機械的接続構造体は、前記リザーバの前記首部の周りに少なくとも部分的に延びる、請求項２３に記載のサブアセンブリ。
【請求項２５】
前記機械的接続構造体は、前記第３の寸法に沿って見られる際に、少なくともＬ字形状である、請求項２３又は２４に記載のサブアセンブリ。
【請求項２６】
前記機械的接続構造体は、前記支持構造体およびリザーバに接続するように適合される、請求項２２〜２５の何れか１項に記載のサブアセンブリ。
【請求項２７】
前記機械的接続構造体は、前記リザーバを前記支持構造体に接続する、請求項２２〜２６の何れか１項に記載のサブアセンブリ。
【請求項２８】
前記機械的接続構造体は、前記首部および支持構造体を前記首部のフランジに沿ってクランプ留めするように適合された少なくとも１つの楔を含む、請求項２２〜２７の何れか１項に記載のサブアセンブリ。
【請求項２９】
前記支持構造体は、ボール紙または他のセルロース系材料からなり、小個室の形状であり、前記リザーバは、液体、蒸気および空気の移動を阻止するためのフレキシブルなプラスチックからなる、請求項２０〜２８の何れか１項に記載のサブアセンブリ。
【請求項３０】
空の状態の前記バッグは、比較的平坦であり、前記バッグの外側の縁部に隣接して折り曲げられる又は接続される２つの対向するフィルム又はフィルム積層体を含み、前記首部は、前記バッグの幅および／または長さの中間からオフセットされた前記バッグに接続される、請求項１〜２９の何れか１項に記載のサブアセンブリ。
【請求項３１】
前記首部は前記フィルム又はフィルム積層体の１つに接続される、請求項３０に記載のサブアセンブリ。
【発明の詳細な説明】
【技術分野】
【０００１】
印刷液体サプライ（補給品、供給品）は、印刷液体を有するリザーバを含む。印刷液体は、インクのような印刷剤、或いは二次元（２Ｄ）又は三次元（３Ｄ）印刷の処理を支援するための任意の薬剤であることができる。使用中、印刷液体は、当該サプライの下流の印刷液体分配機構に供給され得る。印刷液体分配機構は、より大きな２Ｄ又は３Ｄ印刷システムの一部であることができる。印刷システムは、異なる液体タイプのサプライが印刷液体分配機構に接続され、交換されることを可能にするために、複数の受容ステーションを含む場合がある。単色システムのような他の印刷システムは、単一の受容ステーションのみを含む。
【図面の簡単な説明】
【０００２】
【図１】液体供給装置の一例の概略側面図である。
【図２】図１の例示的な液体供給装置の概略正面図である。
【図３】例示的な印刷液体供給装置の一部の側面図である。
【図４】液体供給装置の同様の例の上面図である。
【図５】液体供給装置および対応する受容ステーションの複数の例の斜視図である。
【図６】液体供給装置および対応する受容ステーションの複数の例の別の斜視図である。
【図７】液体供給装置が取り付けられた（装着された）受容ステーションの一例の側面図である。
【図８】液体供給装置の一例の側面図である。
【図９】図８の例示的な液体供給装置の正面図である。
【図１０】インターフェース構造体の前面押し領域および液体インターフェースの一例を示す図である。
【図１１】流体接続の前または後の、インターフェース構造体および受容ステーションの一例を示す水平断面図である。
【図１２】流体接続中の、インターフェース構造体および受容ステーションの一例を示す水平断面図である。
【図１３】容器（コンテナ）の側面から突出するインターフェース構造体の一例を示す斜視図である。
【図１４】インターフェース構造体の一例を示す正面図である。
【図１５】図１４のインターフェース構造体の例示的なガイドスロットに関する詳細斜視図である。
【図１６】前の図面のいくつかの例示的なインターフェース構造体の細部の側面図である。
【図１７】受容ステーションに押し込まれる液体供給装置の一例の斜視図である。
【図１７Ａ】インターフェース構造体の個々のガイド特徴要素の例を示す図である。
【図１７Ｂ】インターフェース構造体の個々のガイド特徴要素の例を示す図である。
【図１８】受容ステーション及びインターフェース構造体の例示的なフック及び例示的な固定特徴要素をそれぞれ示す一例の水平断面図である。
【図１９】容器側部から突出するインターフェース構造体の一例の別の斜視図である。
【図２０】例示的な受容ステーションに関する斜視図である。
【図２１】流体的に連通するように接続された状態での例示的なインターフェース構造体および受容ステーションに関する水平断面図である。
【図２２】例示的な液体供給装置の横断斜視図である。
【図２３】例示的な液体チャネル及びその液体流路を示す図である。
【図２４】例示的なインターフェース構造体の水平断面図である。
【図２５】図２４の例示的なインターフェース構造体の正面図である。
【図２６】例示的なインターフェース構造体に関する斜視図である。
【図２７】例示的なキーペンに関する斜視図である。
【図２８】例示的な液体供給装置に関する横断斜視図である。
【図２９】異なる回転配向における例示的なキーペンの正面図である。
【図３０】異なる回転配向における例示的なキーペンの正面図である。
【図３１】異なる回転配向における例示的なキーペンの正面図である。
【図３２】異なる回転配向における例示的なキーペンの正面図である。
【図３３】基部壁における基部穴の一例を示す図である。
【図３４】例示的なキーペン基部部分の断面の図である。
【図３５】例示的なキーペンの正面図である。
【図３６】別の例示的なキーペンの水平断面図である。
【図３７】キーペンの一例の側面図である。
【図３７Ａ】別の例示的なキーペンの側面図である。
【図３８】別の例示的なキーペンの正面図である。
【図３９】別の例示的なキーペンの側面図である。
【図４０】供給装置を構築するための構成要素の例示的なキット１００を含む組立分解図である。
【図４０Ａ】例示的な無充填リザーバを示す図である。
【図４１】例示的な液体供給装置の斜視図である。
【図４２】例示的な液体供給装置の正面図である。
【図４３】別の例示的な液体供給装置の斜視図である。
【図４４】別の例示的な液体供給装置の側面図である。
【図４５】更に別の例示的な液体供給装置の側面図である。
【図４６】複数の例示的な液体供給装置の斜視図である。
【図４７】例示的な受容ステーション及び液体供給装置の斜視図である。
【図４８】別の例示的なインターフェース構造体の、それぞれ左側と右側の正面および側面図を示す図である。
【図４９】別の例示的な液体供給装置の正面図である。
【図５０】更に別の例示的な液体供給装置の正面図である。
【図５０Ａ】更にまた別の例示的な液体供給装置の正面図である。
【図５０Ｂ】更にまた別の例示的な液体供給装置の正面図である。
【図５０Ｃ】更にまた別の例示的な液体供給装置の正面図である。
【図５１】インターフェース構造体およびキーペン構造体の例に関する水平断面図である。
【図５２】更にまた別の例示的な液体供給装置の正面図である。
【図５３】図５２の例示的な液体供給装置の側面図である。
【図５４】更にまた別の例示的な液体供給装置の側面図である。
【図５５】図５４の例示的な液体供給装置の正面図である。
【図５６】部分的に分解された状態にある更にまた別の例示的な液体供給装置の斜視図である。
【図５７】組み立てられた状態にある図５６の例示的な液体供給装置の別の斜視図である。
【図５８】更にまた別の例示的な液体供給装置の斜視図である。
【図５９】対応する受容ステーションへ取り付けられている図５８の例示的な液体供給装置を再度示す斜視図である。
【図６０】更に別の例示的な液体供給装置の正面図である。
【０００３】
説明
本開示は、印刷液体供給装置、印刷液体供給装置と使用するためのインターフェース構造体、並びに印刷液体供給装置およびインターフェース構造体の構成要素を扱う。動作において、本開示のインターフェース構造体は、交換可能な印刷供給装置の一部であることができ、当該供給装置の内容物をプリンタのようなホスト装置と流体的に連通するように接続することを容易にすることができる。本開示の例示的なインターフェース構造体は、比較的広い範囲の様々な液体容量（容積、体積）、供給タイプ、及びプリンタのプラットフォームに関連付けられることができ、それによってプリンタのプラットフォームは、とりわけ、異なる媒体タイプ、媒体フォーマット、印刷速度および／または液体タイプで動作するという点で異なる場合がある。
【０００４】
本開示において言及される液体は、印刷液体であることができる。印刷液体は、インク、及び３Ｄ印刷薬剤および阻害剤を含む、印刷用の任意のタイプの薬剤であることができる。印刷液体は、特定量のガス（気体）および／または固形物を含む場合がある。本開示は主に、印刷関連の態様を扱うが、認識されるように、本開示で説明された特徴および効果は、他のタイプのホスト装置と接続するための他のタイプの液体供給装置にも有効であることができる。
【０００５】
例えば、本開示の印刷液体供給装置は、比較的高速または大判の印刷システムに関連付けられ得る。当該供給装置の液体リザーバ容量は、少なくとも約５０ｍｌ（ミリリットル）、少なくとも約９０ｍｌ、少なくとも約１００ｍｌ、少なくとも約２００ｍｌ、少なくとも約２５０ｍｌ、少なくとも約４００ｍｌ、少なくとも約５００ｍｌ、少なくとも約７００ｍｌ、又は少なくとも約１Ｌ（リットル）であることができる。更なる例において、供給装置は、少なくとも１Ｌ、少なくとも２Ｌ、又は少なくとも５Ｌのような、より大きな液体容量を含むように適合され得る。本開示の供給装置のリザーバ容量は、広範囲の容量内でスケーリングされ得る。同じインターフェース構造体および同じ受容ステーションは、その広範囲の容量に関連付けられ得る。本開示のサプライ（補給品、供給品）は、異なる印刷システムのプラットフォームに対して同様の受容ステーション構成要素を使用することを容易にすることができる。例えば、より小さい判（フォーマット）及びより大きい判のプリンタ、又は２Ｄ及び３Ｄプリンタは、本開示のインターフェース構造体と接続して機能するための同様の受容ステーションを備えることができる。これは、比較的広い製品範囲にわたって増大したカスタマイズにつながることができ、その結果として、原価管理、効率性などを可能にすることができる。
【０００６】
本開示の更なる例示的なインターフェース構造体および供給装置は、内部液体容積に関係なく、受容ステーションに対する供給装置の比較的容易な取り付けおよび取り外しを容易にする。また更なる例では、比較的環境に優しい供給装置が提供される。
【０００７】
本開示において、「約」又は「少なくとも約」は、「正確に」と同様に幾つかの適切なマージンを含むとして理解されるべきである。例えば、約２３ｍｍ（ミリメートル）に言及する場合、これは、例えば２３ｍｍの±０．５ｍｍのような特定のマージンを含むことができるが、これは、正確に２３ｍｍも含むであろう。
【０００８】
本開示では、特定の例が図面に関連して説明される。図面は、特徴要素の特定の組み合わせを示すが、単独で図示されていない特徴要素の副組み合わせが、これらの図面から導出され得る。特徴要素、マージン、範囲、代案、異なる特徴要素、及び／又は特定の特徴要素の省略または追加の特定の副組み合わせについて有用な言及がなされる場合、それによって、図面は参照のために使用され得る。
【０００９】
図１及び図２はそれぞれ、印刷液体供給装置１の一例の側面図および正面図を示す。印刷液体供給装置１は、印刷液体を保持するための容器３を含む。一例において、容器３は、液体を保持するための少なくとも部分的に変形可能（折り畳み可能）なリザーバを含む。更なる例において、容器３は、リザーバを支持および／または保護するためにリザーバを少なくとも部分的に取り囲むボックス又はトレイのような支持構造体を含む。本開示において、更なるリザーバ又は支持構造体に言及することなく、容器は少なくともリザーバを含む。
【００１０】
充填状態において、容器３は、長方形の外壁、及び当該壁を接続する先鋭な又は丸められた縁部を有する実質的に直方体の外形を有することができる。容器３は、他の形状を有することができる。一例において、容器３は、液体の引き出しを容易にするようにつぶれる（折り畳まれる）ように適合された変形可能（折り畳み可能）なバッグを含む。図示された図において、容器３は、例えば充填された、膨脹した状態で示されている。一例において、容器３は、発泡体のような別個の液体保持材料の空間である。容器３は、印刷液体がその液体保持容積内で自由に移動することを可能にすることができる。
【００１１】
供給装置１は、例えば、容器３の内部液体容積とプリンタのような更なるホスト装置との間の液体接続を提供するためのインターフェース構造体５を含む。インターフェース構造体５は、少なくとも液体スループット１１を含み、容器３から受容ステーションに液体を供給する。後述されるように、幾つかの例において、液体は、特定の事例の間に、例えば特定の圧力変化に起因して、又は容器３内の液体を混合または循環させるために、単一の液体スループットチャネルを介して、又は同じインターフェース構造体５の複数のスループットチャネルを介して、容器３に戻るように供給され得る。
【００１２】
一例において、２Ｄ又は３Ｄプリンタのようなホスト装置は、インターフェース構造体５を受容するための受容ステーション７を含む。受容ステーション７は、ホスト装置の固定部分または交換可能な部分であることができる。図１は、液体ニードル９を含む受容ステーション７の一部を示す。本開示において、液体ニードル９は、供給装置の流体インターフェースに挿入するための任意の流体ニードル又はペンを含むことができる。例えば、流体ニードルは、金属またはプラスチックの針（ニードル）を含むことができる。他の例において、針以外の液体インターフェースを有する他のタイプの受容ステーションが使用され得る。受容ステーションの他のタイプの流体インターフェースは、供給側ニードルを受け取るための塔（タワー）、隔膜を含むことができる。液体スループット１１は、プリンタ側の液体インターフェースに接続するように適合される。例示的な供給装置１は、受容ステーション７に対して着脱され得る。インターフェース構造体５は、受容ステーション７に対して取り付け及び取り外すために適合される。一例において、インターフェース構造体５は、受容ステーション７に対する比較的ユーザフレンドリーな挿入および排出に適合される。
【００１３】
インターフェース構造体５は、受容ステーションと相互作用する複数のインターフェース特徴要素を含むことができる。異なる例および図面に関連して説明されるように、インターフェース特徴要素は、液体インターフェース１５、データ処理特徴要素、データ接続特徴要素、案内および位置合わせ特徴要素、及び受容ステーション構成要素、固定特徴要素、キー特徴要素などに機械的に付勢するための付勢特徴要素を含むことができる。特定の例において、インターフェース構造体５は、少なくとも一部が容器３に接続され且つ容器３から突出する単一の成形構造体を含むことができる。また、インターフェース構造体５は、輸送の前に容器３を液体で充填した後に、輸送および保管中に容器３を封止するために、容器３用の別個のキャップとしても役立つことができる。
【００１４】
容器３及びインターフェース構造体５は、それぞれ垂直な基準軸ｙ、ｘ、ｚに平行に延びる、第１の寸法Ｄ１、ｄ１、第２の寸法Ｄ２、ｄ２、第３の寸法Ｄ３、ｄ３をそれぞれ有する。本開示において、容器寸法Ｄ１、Ｄ２、Ｄ３は、（i）容器３が延びるそれぞれの基準軸ｙ、ｘ、ｚに平行な軸、及び（ii）前記軸に沿った容器容積の広がりを表す。本開示において、インターフェース寸法ｄ１、ｄ２、ｄ３は、（i）それぞれの基準軸ｙ、ｘ、ｚに平行な軸、及び(ii)前記軸に沿ったインターフェース構造体５のインターフェースの輪郭（プロファイル、外形）の広がりを表し、この場合、当該インターフェースの輪郭は、受容ステーションと接続して機能することができるインターフェース構造体５の一部である。理解され得るように、インターフェース構造体５のインターフェースの輪郭または第１の寸法ｄ１は、受容ステーション７と接続して機能することができるインターフェース構造体５のインターフェース構成要素に広がる。インターフェース構造体は、例えば、容器３に接続および／または容器３を支持するために、前記インターフェースの輪郭の外部に、インターフェース寸法ｄ１、ｄ２、ｄ３の外側に突出する要素を含むことができる。第１の寸法Ｄ１、ｄ１、第２の寸法Ｄ２、ｄ２、及び第３の寸法Ｄ３、ｄ３の各々は、容器３又はインターフェース構造体５の向きに応じて、高さ、長さ及び幅のそれぞれを表すことができる。
【００１５】
図１及び図２の図示された例において、第１の寸法Ｄ１、ｄ１は、容器３及びインターフェース構造体５のそれぞれの高さを表し、第２の寸法Ｄ２、ｄ２は容器３及びインターフェース構造体５のそれぞれの長さを表し、第３の寸法Ｄ３、ｄ３は容器３及びインターフェース構造体５のそれぞれの幅を表す。当業者ならば理解されるように、異なる例および状況において、受容ステーション７及び供給装置１は、異なる構成および向き（配向）を有することができ、本開示が、特定の特徴要素およびそれらの相対的な位置、寸法および向きを説明する際に、「寸法」または特定の平行な「方向」または「軸」に言及する理由である。
【００１６】
その一方で、分かりやすくするために、本開示は、特に説明されない限り、「上面図」、「側面図」、「正面図」、「裏面」、「底部」、「前面」、「頂部」、「側面」、「幅」、「高さ」、「長さ」、「横方向」、「遠位」などのような、より方向依存性の用語も時として使用するが、これは、それぞれの特徴要素を特定の向きに限定するのではなくて、明確にするためだけに意図されたものとして解釈されるべきである。この点を説明するために、つぶれるバッグ型リザーバを有する特定の液体供給装置は、つぶれるバッグ型リザーバの特質に起因して、任意の方向で動作することができ、それによって、インターフェース構造体は、任意の方向において容器から突出することができる。それに応じて、容器の突出部分は、任意の方向において突出することができ、インターフェース構造体は任意の方向において突出することができる。また、「容器底部」は、本開示の例示の一部と比べて、その容器が上下逆さまに配置または装着された（取り付けられた）場合に、容器の上部に配向され得るが、これは、供給装置またはインターフェース構造体の機能に影響を及ぼさない。また、容器が図面の大部分に示される水平配向に対して９０度回転される場合には、インターフェース構造体または容器の前面は、装着された状態で下方に配向され得る。
【００１７】
さらに、本説明は、仮想基準平面、仮想平面または平面に言及することができ、これらは、先に説明された軸、方向および寸法ｄ１、Ｄ１、ｄ２、Ｄ２、ｄ３、Ｄ３と同様に、特定の形状、相対位置、寸法、広がり、向きなどを説明するための基準として働くことを意味する。
【００１８】
インターフェース構造体５は、容器３から外側に第１の寸法Ｄ１、ｄ１の方向に沿って突出する。図面において、インターフェース構造体５は、第２及び第３の容器寸法Ｄ２、Ｄ３に平行な容器側部（側面）１３から突出する。図示された例において、インターフェース構造体５は、底壁によって画定された容器３の底部１３から突出する。
【００１９】
他の例において、インターフェース構造体５は、容器３の側面、前面、裏面、又は頂部の１つから突出することができる。異なる例において、供給装置１は、プリンタが設置された状態または保管された状態で異なる配向（向き）を有することができ、それにより、インターフェース構造体５は、任意の方向、下方、上方、横方向などに突出することができ、第１の寸法Ｄ１、ｄ１は、対応する方向であることができる。
【００２０】
例示されたインターフェース構造体５は、供給装置１の総計の第１の寸法Ｄ１＋ｄ１が容器３およびインターフェース構造体５の２つの第１の寸法Ｄ１、ｄ１のほぼ合計であることができるように、容器３の外壁１３に対して、第１の寸法Ｄ１、ｄ１の方向に沿って外に向かって突出している。容器３の第１の寸法Ｄ１は、その第１の寸法Ｄ１に沿った対向する壁の間の距離であることができる。インターフェース構造体５の第１の寸法ｄ１は、前記第１の寸法ｄ１に沿ったインターフェース構造体５の突出部分の対向する側部の間の距離であることができる。特定の例において、インターフェース構造体５は、比較的薄い外形内に延びる複数のインターフェース構成要素を有する比較的薄い外形からなる。第１のインターフェース寸法ｄ１は、第１の容器寸法Ｄ１の半分未満、又は第１の容器寸法Ｄ１の三分の一、四分の一、五分の一、又は六分の一未満であることができる。
【００２１】
インターフェース構造体５は、容器を受容ステーションに流体的に連通するように接続するための液体スループット１１を含む。液体スループット１１は更に、取り付けられた（装着された）状態で、容器３の内部容積を受容ステーション７と流体的に連通するように接続する液体チャネル１７を含む。液体チャネル１７は、図１の例において流体ニードル９によって具現化される、受容ステーション７の相手方の液体入力インターフェースと流体的に接続して機能するための液体インターフェース１５を含む。一例において、液体インターフェース１５は、流体ニードル９を受容し、流体ニードル９に対して封止（シール）するためのシールを含む。液体チャネル１７は、少なくとも１つの液体チャネル壁により、例えば、少なくとも１つの中心軸Ｃ２１及び／又はＣ２９の周りに及び当該中心軸に沿って延びる円筒形または他の丸くなったチャネル壁により画定され得る。液体チャネル１７は、ニードル受容チャネル部分２１、及び例えば、湾曲した中間液体チャネル部分１９を中間に有するリザーバ接続チャネル部分２９を含むことができる。
【００２２】
ニードル受容チャネル部分２１は、ニードル挿入方向ＮＩに沿って、及びニードル挿入方向ＮＩとは逆の主液体流れ方向ＤＬに沿って延びる。ニードル受容チャネル部分２１、インターフェース１５及びシールの中心軸Ｃ２１は、ニードル挿入方向ＮＩに沿って、及びニードル挿入方向ＮＩとは逆の主液体流れ方向ＤＬに沿って延びる。ニードル挿入方向ＮＩに沿って、ニードル受容部分２１の中心軸Ｃ２１を比較的直線状にして、ニードル９の挿入を容易にすることができる。図面において、中心軸Ｃ２１、主液体流れ方向ＤＬ及びニードル挿入方向ＮＩは、一直線に延びている。
【００２３】
リザーバ接続液体チャネル部分２９は、リザーバ接続液体チャネル部分２９の中心軸Ｃ２９により示されるように、第１のインターフェース寸法ｄ１とほぼ平行に延びることができる、又はインターフェース構造体５の突出方向に対して延びることができる。ニードル受容チャネル部分２１の中心軸Ｃ２１、Ｃ２９、及びリザーバ接続チャネル部分２９は、互いに対して或る角度をなして、例えばほぼ直角で延びる。
【００２４】
液体チャネル１７は更に、ニードル受容部分２１とリザーバ接続チャネル部分２９との間に中間チャネル部分１９を含むことができる。中間部分１９は、ニードル受容部分２１とリザーバ接続チャネル部分２９との間のチャネル１７を、例えば曲線状に屈曲させて、液体インターフェース１５を容器３の内部容積に接続することができる。中間部分１９は、ニードル受容液体チャネル部分２１とリザーバ接続液体チャネル部分２９との間の曲がりとオフセットを容易にすることができる。
【００２５】
シール２０及びニードル受容チャネル部分２１を含む液体チャネル１７及びインターフェース１５は、インターフェース構造体５及びニードル挿入方向ＮＩからインターフェース構造体５への図示された主液体流れ方向ＤＬを容易にするように適合される。ニードル受容液体チャネル部分１７及び液体インターフェース１５の主液体流れ方向ＤＬは、例えば、第２のインターフェース寸法ｄ２及び／又は第２の容器寸法Ｄ２と平行に、インターフェース前面５４から直線状に延びることができる。ニードル挿入方向ＮＩは、例えば、第２のインターフェース寸法ｄ２及び／又は第２の容器寸法Ｄ２と平行に、インターフェース前面５４内へ直線状に延びることができる。理解されるように、供給装置１の取り外された使用されない状態では、主液体流れ方向ＤＬ及びニードル挿入方向ＮＩは、ニードル受容液体チャネル２１の中心軸によって画定されることができ、これはその結果として、ニードル受容液体チャネル２１の内壁によって、及び／又はシール２０内の内壁または中心チャネルによって画定され得る。明確に定義可能なニードル受容液体チャネル２１の中心軸Ｃ２１及び／又はシール２０を含む液体インターフェース１５が存在する例では、その中心軸Ｃ２１は、主液体流れ方向ＤＬ及びニードル挿入方向ＮＩを規定することができる。主液体流れ方向ＤＬは、個々の第２の寸法Ｄ２、ｄ２に沿って対応する流体ニードル９の直線的な進入を容易にするために、シール２０及び／又はニードル受容液体チャネル部分２１の中心軸および／または内部液体チャネル壁によって決定されるように、比較的直線状であることができる。
【００２６】
主液体流れ方向ＤＬは、液体が印刷するために容器３から受容ステーションに流れることができる過程を表す。一例において、液体は、少なくとも大抵の場合、液体インターフェース１５から受容ステーション７へのみ、一方向に流れる。他の例では、ニードル９及び液体チャネル１７は、例えば、印刷システムの液体回路の圧力変動に起因して、又は容器３内の液体を混合／再循環するために、双方向の流れに適することができる。実際には、幾つかの例において、２つの液体インターフェースを同じ供給装置内に設けて、容器および／または印刷システム液体チャネル内の液体を混合／再循環するために単一の受容ステーションの対応する２つの流体ニードルと接続して機能することができる。この可能性を示すために、図２において液体インターフェース１５の隣には、追加の点線円が示されている。従って、本開示において、主液体流れ方向ＤＬは、液体チャネル１７の流れが、同じ液体チャネル又は別個の液体チャネルの何れかにおいて特定の時間インスタンスの間に反対方向にある場合であっても、その液体を使用して印刷できるようにする供給装置１から流出した液体を意味する。
【００２７】
図示された例において、容器３の突出部分２３は、主液体流れ方向ＤＬにおいて液体インターフェース１５を越えて主液体流れ方向ＤＬと平行な方向に突出している。それに応じて、突出部分２３は、第２の容器寸法Ｄ２において突出し、それにより第２の容器寸法Ｄ２は第２のインターフェース寸法ｄ２よりも大きくなることができる。突出部分２３は、充填状態で液体が液体インターフェース１５の上に、又は隣接して及び液体インターフェース１５を超えて保持され得るように液体を収容する。特定の例において、第２の容器寸法Ｄ２の三分の一を上回る又は半分を上回って、主液体流れ方向ＤＬにおいて液体インターフェース１５を超えて突出することができる。これは、受容ステーション７とインターフェース構造体５との間の封止された接続および動作接続が確立される前に、容器突出部分２３が最初に頭から受容ステーション７に挿入され得ることを容易にすることができる。
【００２８】
特定の例において、容器３の突出部分２３が液体インターフェース１５を越える範囲ＰＰは、容器３のリザーバ容積を決定することができ、それにより、同じ受容ステーションに接続する異なる容量を有する複数の供給装置１において、第１及び第３の寸法ｄ１、Ｄ１、ｄ３、Ｄ３は同じであるが、第２の容器寸法は変化することができる。容器３の比較的に大きな液体容量リザーバは、より長い突出部分２３に関連付けられ得る。
【００２９】
これらの特徴の幾つかは、選択肢の液体容量サイズを受容ステーション７に容易に接続することを容易にすることができる。主液体流れ方向ＤＬに平行な挿入方向Ｉにおいて容器３の裏面２５を容易に押すことにより、供給装置１は、受容ステーション７と流体的に連通するように接続された状態へ押し込まれ得る。更に、製造業者は、突出部分２３をスケーリングすることにより、容器３の内部容積を適合させることができるが、供給装置１の挿入の容易さは同じである。その理由は、裏面２５及びインターフェース構造体５が、これらの異なる容量の間で同じように配置されるからである。特定の例において、突出部分２３は、供給装置１の裏面が受容ステーション７から突出しないように、受容ステーション７内へ突出し、それにより操作者がそうでなければぶつかる可能性がある障害物を防止する。図１の例において、容器３の裏面２５は、第２の容器寸法Ｄ２に沿って測定されるように、インターフェース構造体５の裏面２６よりも小さな距離Ｂｂだけ離れて延びる。例えば、係る距離Ｂｂは、約０〜１、又は約０〜１ｃｍであることができる。
【００３０】
突出部分２３が液体インターフェース１５を越えて突出している場合、例えば、液体容量が１００ｍｌよりも大きい場合、インターフェース構造体５は、容器３の液体容量に応じて、第２の容器寸法Ｄ２の中間Ｍから、例えば５ｍｍ又は数センチメートル（ｃｍ）を上回るオフセット距離だけオフセットして（ずれて）、容器３に流体的に連通するように接続され得る。ここで、中間Ｍは、第１及び第３の容器寸法Ｄ１、Ｄ３に平行であり、且つ第２の容器寸法Ｄ２の中間にある仮想基準平面によって規定され得る。図示された例において、第２の容器寸法Ｄ２の中間Ｍは、容器３の前面３１と裏面２５との間の中間に延びており、液体チャネル１７のリザーバ接続部分２９は、中間Ｍと容器３の裏面２５との間で、中間Ｍの後で容器３の内部リザーバ容積に接続する。図示されたように、インターフェース構造体５の液体チャネル１７のリザーバ接続部分２９は、容器３の液体出力３０に接続され、容器３からインターフェース構造体５を介しての液体のスループットを促進する。それに応じて、容器液体出口３０と液体チャネル１７のリザーバ接続部分２９との間の流体接続は、中間平面Ｍと容器３の裏面２５との間に設けられる。
【００３１】
図３は、容器３がバッグインボックス型構造を含む印刷液体供給装置１の一例の側面図を示す。図示された状態において、実質的に空でつぶれたリザーバ３３が示されている。リザーバ３３は、リザーバ３３から出る蒸気およびリザーバ３３に流入する空気を阻止するために、空気および蒸気のバリヤ壁を有する。図示された状態において、ほとんど又はすべての液体が、比較的ランダムな態様で、それに応じてつぶれたリザーバ３３から引き出されている。図示された例において、リザーバ３３は、実質的に完全にフレキシブルな（可撓性）バッグであるが、他の例では、リザーバは、幾つかの剛性部分を有することができる。リザーバ３３は、インターフェース構造体５との接続を容易にするために、出力３０の近くで剛性であることができる。
【００３２】
一例において、容器３は更に、例えばリザーバ３３を支持して保護するために、リザーバ３３の周りに少なくとも部分的に支持構造体３５を含む。また、支持構造体３５は、供給装置１の受容ステーション７への比較的粗い案内を容易にすることもできる。また他の例において、支持構造体３５は、積み重ね、保管、及び使用量、ブランド、及び内容物の情報の提示を容易にすることができる。充填状態において、リザーバ３３は、支持構造体３５の内部容積の大部分を占めることができる。例えば、充填状態におけるリザーバ３３の外容積は、支持構造体３５の内部容積の６０％を上回る、７０％を上回る、８０％を上回る、又は９０％を上回ることができる。例えば、所定の容積容量を有する同じリザーバ３３は、異なる容積の異なる支持構造体３５に使用され得る。例えば、リザーバ３３は、支持構造体３５の内部容積に応じて部分的または完全に充填され得る。例えば、リザーバ３３は、９０％未満、８０％未満、７０％未満、６０％未満、５０％未満、４０％未満、又はその最大の容積容量のより低いパーセンテージで充填され得る。例えば、リザーバ３３は、２Ｌの最大容量を有することができるが、その同じ２Ｌのリザーバは、５００ｍｌ又は１Ｌのような、２Ｌ未満の最大容量を有する支持構造体３５内で部分的に充填されて収容されるだけであることができ、それにより、５００ｍｌの供給装置１又は１Ｌの供給装置１が、それぞれ提供される。
【００３３】
第１の容器寸法Ｄ１及びインターフェース構造体の突出方向に沿った例示的な供給装置１の上面線図である図４から看取され得るように、インターフェース構造体５及びそのインターフェース構成要素は、例えば外壁２５、３１、５１によって画定されるような、容器３の外側体積によって画定された領域または輪郭内に延びることができる。図示された外壁２５、３１、５１は、容器３の図示された充填状態において、第１の容器寸法Ｄ１にほぼ平行に延びる。図示された例において、第２及び第３のインターフェース寸法ｄ２、ｄ３は、対応する第２及び第３の容器寸法Ｄ２、Ｄ３よりも小さく、それにより、第２及び第３の容器寸法Ｄ２、Ｄ３は、個々の第２及び第３の寸法に垂直な方向において看取されるように、第２及び第３のインターフェース寸法ｄ２、ｄ３に重なる。
【００３４】
一例において、支持構造体３５は、ボール紙または他の適切な材料、例えば他のセルロース系材料またはプラスチックから作成され得る。特定の例において、支持構造体の材料は、段ボール紙および／または繊維板を含む。支持構造体３５は、例えばリザーバ３３に対する支持、保護、及び積み重ね（スタック）能力を提供するために、少なくとも部分的に変形可能なリザーバ３３と比べて比較的剛性であることができる。インターフェース構造体５は、受容ステーション７に対する比較的正確な案内を容易にするために、比較的剛性であり、例えば、支持構造体３５よりも剛性である。インターフェース構造体５は、比較的剛性のある成形プラスチックを含むことができる。一例において、リザーバ３３及びインターフェース構造体５の液体流れ構成要素は、支持構造体３５に比べて、液体、蒸気および空気の不浸透性である比較的流体不浸透性である。インターフェース構造体５の不浸透性は、そのキャッピング機能を容易にする。供給装置１は、インターフェース構造体のシールを開放、除去、破るなどにより開放され得る。
【００３５】
一例において、インターフェース構造体５は、図１及び図２により示されたように、受容ステーション７内に容器３を取り付ける（装着する）ことを容易にするために、対応する受容ステーション表面に沿ってインターフェース構造体５を摺動させるための少なくとも１つの直線状ガイド面４１、４３を含む。少なくとも１つの直線状ガイド面４１、４３は、インターフェース構造体５及び容器３の第２の寸法Ｄ２、ｄ２の方向において細長く及び当該第２の寸法Ｄ２、ｄ２にほぼ平行に延びることができる。少なくとも１つの直線状ガイド面４１、４３は、外側側面または側壁３９において対向する横方向ガイド面４１を含むことができ、各横方向ガイド面は、第１及び第２のインターフェース寸法ｄ１、ｄ２にほぼ平行に延びる。少なくとも１つの直線状ガイド面４１、４３は、遠位側３７において中間ガイド面４３を含むことができ、当該中間ガイド面は、インターフェース構造体５が突出する容器３の側部１３に対向して及び側面３９間で延びる。図示された例において、遠位側３７は、インターフェース構造体５の底部を画定する。中間ガイド面４３は、第２及び第３のインターフェース寸法ｄ２、ｄ３とほぼ平行であることができる。
【００３６】
横方向および中間ガイド面４１、４３は、比較的平坦であることができる。横方向および中間ガイド面４１、４３は、第２のインターフェース寸法ｄ２の方向に沿って、インターフェース構造体５の少なくとも一部に沿って、比較的細長くなることができ、供給装置の移動を第２のインターフェース寸法ｄ２に制限し、液体インターフェース１５を位置決めすることを容易にするように少なくとも十分に細長くなることができる。インターフェース構造体のガイド面４１、４３は、第２のインターフェース寸法ｄ２に沿った方向において摺動を容易にし、第１及び第３のインターフェース寸法ｄ１、ｄ３に沿ったそれぞれの方向において液体インターフェース１５の位置決めを容易にするために、インターフェース構造体５の比較的平坦で同一平面の細長い外面によって画定され得る。一例において、第３のインターフェース寸法ｄ３は、外側横方向ガイド面４１の間に延びる。一例において、第２のインターフェース寸法ｄ２は、インターフェース構造体５の前面から裏面まで中間ガイド面４３の長さによって画定され得る。
【００３７】
この例において、横方向ガイド面４１は、（i）液体インターフェース１５を第２のインターフェース寸法ｄ２及び主液体流れ方向ＤＬに沿った方向において案内し、（ii）第３のインターフェース寸法ｄ３と平行な反対方向において受容ステーション７におけるインターフェース構造体５の自由度を制限することによって、第３のインターフェース寸法ｄ３に平行な軸に沿った液体インターフェース１５の位置決めを容易にするように適合される。中間ガイド面４３は、（i）液体インターフェース１５を第２のインターフェース寸法ｄ２及び主液体流れ方向ＤＬに沿った方向に案内し、（ii）第１のインターフェース寸法ｄ１の少なくとも一方の方向において、受容ステーション７におけるインターフェース構造体５の自由度を制限することによって、第１のインターフェース寸法ｄ１と平行な軸に沿った液体インターフェース１５の位置決めを容易にするように適合される。装着中に、インターフェース構造体５が底部１３から下方に突出する例では、中間ガイド面４３は、受容ステーションの対応する水平底部ガイド面上を摺動することにより、受容ステーション７の液体入力インターフェースに対する液体インターフェース１５の垂直方向の位置決めを容易にするための水平面を含むことができる。そのために、中間ガイド面４３は、ニードル受容液体チャネル部分２１の中心軸Ｃ２１から所定距離をおいて延びることができる。中間ガイド面４３は、第２及び第３のインターフェース寸法ｄ２、ｄ３に沿って、インターフェース構造体５の遠位側３７の実質的な部分に広がることができ、それにより、第１のインターフェース寸法ｄ１は、インターフェース構造体５が突出する容器３の側部１３と中間ガイド面４３との間に延びることができる。
【００３８】
図５及び図６は、異なる容量の印刷液体供給装置１０１及び対応する受容ステーション１０７のセットの例の斜視図を示す。図７は、これらの受容ステーション１０７の１つに取り付けられたこれらの印刷供給装置１０１の何れかを示す。図８及び図９はそれぞれ、側面図および正面図において、単一で同様の例示的な供給装置１０１を示す。図１〜図４に関連して開示された特徴、機能および定義は、図５〜図９に関連して説明される例に同様に適用することができる。
【００３９】
一例において、図５及び図６の４つの供給装置１０１の容量（より小さい供給装置１０１からより大きい供給装置１０１）は、図５の前方から後方へ、及び図６において左から右へ、それぞれ、１００ｍｌ、２００ｍｌ、５００ｍｌ及び１０００ｍｌである。図示された様々な供給装置１０１のインターフェース構造体１０５は、ほぼ同じ寸法ｄ１、ｄ２、ｄ３、及び例えば、キーペンの向き及び集積回路上に格納されたデータのような特定の相違を除いて、同じインターフェース構成要素の一部を有する。異なる容量の供給装置１０１は、異なる容器容量を有し、この場合、第１及び第３の容器寸法Ｄ１及びＤ３はほぼ同一であるが、第２の容器寸法Ｄ２は異なる。各容器１０３は、異なる液体容積容量および突出部分１２３の異なる突出長さＰＰに関連付けられる。図示された例示的な容器１０３は、折り曲げられたボール紙または同種のものの箱状の支持構造体１３５、及び内側の変形可能なリザーバを含む。例えば、支持構造体１３５は、段ボール紙および／または繊維板を含む。支持構造体１３５は、異なる容量および第２の容器寸法Ｄ２を提供することができるが、支持構造体の内部のリザーバは、同じ最大容量を有するが、異なる充填量（例えば、それぞれの支持構造体体積にほぼ対応する充填量）を有するように、同じ設計からなることができることに留意されたい。
【００４０】
図５及び図６において、各インターフェース構造体１０５は、底部１１３から、容器１０３の裏面１２５から等しい距離で（例えば、裏面１２５に比較的接近して）突出している。図８に示されるように、インターフェース構造体１０５の裏面１２６と、容器１０３及びインターフェース構造体１０５の第２の寸法Ｄ２、ｄ２に沿った容器１０３の裏面１２５との間の距離は、第１及び第３の寸法Ｄ１、ｄ１、Ｄ３、ｄ３と平行な前記裏面１２５、１２６の上の仮想基準平面間の距離によって規定され、約０ｍｍ又は例えば１ｃｍ未満であることができる。図８に示されているように、容器１０３の裏面１２５、１２６、及びインターフェース構造体１０５は、互いに対してほぼ同一平面であることができる。他の例において、容器１０３の裏面１２５は、インターフェース構造体１０５の裏面１２６よりもさらに後方に延びることができ、それにより、当該距離は、０ｍｍよりもわずかに大きくなることができ（例えば、１〜５ｍｍ）、又は１ｃｍより大きいような、０ｍｍより実質的に大きくなることができる（例えば図４４及び図４５の概略図を参照）。別の異なる例において、インターフェース構造体１０５の裏面１２６は、容器の裏面１２５から突出することができ、それにより、前述されたように、０ｍｍよりも大きいが逆方向に、前記裏面１２５と１２６の間に距離が存在することができる。
【００４１】
図５及び図６の各異なる容量の供給装置１０１は、異なる第２の容器寸法Ｄ２を有する異なる容器１０３、即ち、第２の容器寸法Ｄ２に沿った突出部分１２３の異なる長さＰＰを有し、この場合、突出部分１２３の長さＰＰは、第２の容器寸法Ｄ２が液体インターフェース１１５及び／又はインターフェース前面１５４の縁部１１６を越えて主液体流れ方向ＤＬにおいて突出する範囲によって規定され得る（図８）。
【００４２】
図５の正面供給装置１０１及び図６の対応するもののような、より小さい供給容量（例えば、１００ｍｌ以下）は、第２のインターフェース寸法ｄ２と同様の長さの第２の容器寸法Ｄ２を有する場合があり、又は参照符号１２３ｂにより示されるようにインターフェース縁部１１６を越えて突出する任意の突出部分１２３が少しも無い又は殆ど無い場合には、より小さい長さの第２の容器寸法Ｄ２を有する場合がある。従って、容器１０３の突出長さＰＰは、ゼロである場合があり、又は比較的小さい。図５の他の供給装置および図６の対応するものによって示されるように、より大きい容量（例えば１００ｍｌより大きい）は、第２のインターフェース寸法ｄ２よりも大きい第２の容器寸法Ｄ２を有することができる。特定の例において、第２の容器寸法は、第２のインターフェース寸法ｄ２の少なくとも２倍または少なくとも３倍であることができる。これらの例において、突出部分１２３の範囲ＰＰは、第２のインターフェース寸法ｄ２よりも大きい。これらの異なる容器容量および突出範囲ＰＰは、実質的に同じインターフェース構造体１０５及び実質的に同じ受容ステーション１０７に関連付けられ得る。また、同じリザーババッグ容量は、異なる容量および異なる支持構造体１３５に使用され得るが、異なる充填度合いを有する。
【００４３】
供給装置１０１の実質的に水平な向きにおいて、インターフェース構造体１０５は、ボックスの底部１１３からボックスの裏面１２５の近くに突出することができ、当該ボックスは、インターフェース構造体１０５の上に、液体出力の液体インターフェース１１５を越えて正面の方へ突出し、それにより、異なる例に関して、突出範囲ＰＰは、容器１０３の最大液体容積容量を決定する。
【００４４】
第３のインターフェース寸法ｄ３は、横方向側壁１３９ａによって規定されるような外側の側面１３９の間の距離によって規定されることができ、第３の容器寸法Ｄ３は、容器１０３の対向する側面１５１の外面間の距離によって規定され得る。図示された例において、供給装置１０１の幅は、第３の容器寸法Ｄ３によって決定される。幅は比較的小さく、供給装置１０１の比較的薄いアスペクト比を提供し、それはその結果として、単一のプリンタ内の受容ステーションの集合体の小さい設置面積を容易にすることができる一方で、比較的大きな供給容量範囲に関係させることができる。図示された例において、第３のインターフェース寸法ｄ３は、第３の容器寸法Ｄ３よりもわずかに小さい。例えば、第３のインターフェース寸法ｄ３は、第３の容器寸法Ｄ３の約８０〜１００％、例えば約８５〜１００％、又は例えば約９０〜１００％である。第３のインターフェース寸法ｄ３は、約３０〜５２ｍｍ、例えば約４８〜５０ｍｍであることができる。それに応じて、第３の容器寸法Ｄ３は、３０〜６５ｍｍ、又は４５ｍｍ〜６３ｍｍ、又は５０〜６３ｍｍのように、より大きくなることができる。第３の容器寸法Ｄ３は、受容ステーション１０７の内側幅、及び／又は隣接する受容ステーション１０７間のピッチに依存して変化することができる。他の例において、第３の容器寸法Ｄ３は、第３のインターフェース寸法ｄ３よりも実質的に大きくすることができる（例えば図４６を参照）。
【００４５】
液体インターフェース１１５を越えて、主液体流れ方向ＤＬにおいて突出する容器１０３の１つの例示的な効果は、比較的大きな容量を含む、比較的広い範囲の容量の異なる供給装置１０１の一貫性があって比較的ユーザフレンドリーな取り付け及び取り外しを容易にすることである。従来技術において、これらの大容量のサプライは、プリンタを取り扱う又はプリンタに設置するのに比較的面倒である可能性がある。更に、プリンタのＯＥＭ製品は、異なるプラットフォームの異なる液体容量を取り扱うために異なる供給設計を有することもあるが、本例では、供給装置は、主液体流れ方向ＤＬの方向において、裏面１２５において比較的単純な押しによって取り付けられ、かつ取り外され得る。図７に示されるように、裏面１２５は、受容ステーションの受容開口縁部とほぼ一直線に延びることができ、やはり供給装置１０１を取り付け及び取り外すために受容ステーションへの裏面１２５に対する準備のできた押しを容易にする。また、液体インターフェース１１５は、受容ステーションの液体ニードルに対して位置決めするために、装着時の増大したユーザ制御を容易にすることができる裏面に依然として比較的接近している。異なる比較的長い突出範囲ＰＰは、装着の頑強性と容易性に影響を与える必要はない。実際には、特定の例において、突出部分１２３は、受容ステーション１０７に対する供給装置１０１の多少の事前位置合わせを容易にすることができる。
【００４６】
本例の供給装置１０１は、容器１０３の突出部分１２３を受容ステーション１０７内に配置する際に、受容ステーション１０７に対する第１の粗い位置合わせを可能にし、次いで、受容ステーションの対応するガイド及び／又はキー特徴要素と係合することができるインターフェース構造体ガイド及び／又はキー特徴要素を使用する第２の、より正確な位置合わせを可能にし、それは、液体インターフェースを更に位置合わせする。係る段階的な位置合わせは、重い大容量の供給装置の反復的な接続に起因して、そうでなければ容易に損傷する可能性がある流体ニードルのような受容ステーションの構成要素に対する損傷を防止することができる。
【００４７】
インターフェース構造体１０５の突出部分の範囲は、第１のインターフェース寸法ｄ１によって表される。この例において、第１のインターフェース寸法ｄ１は、インターフェース構造体５が突出する容器側部１１３と、インターフェース構造体１０５の外部または遠位側（遠位側部）１３７との間で、例えば、液体インターフェース１１５の両側におけるインターフェース構造体１０５の近位の前縁と遠位の前縁との間（例えば、図１０の１５４ｂ及び１５４ｃによりそれぞれ表される）で測定され得る。この例において、外部または遠位側１３７は、中間ガイドスロット１４４も含む、第２及び第３のインターフェース寸法ｄ２、ｄ３に平行な支持壁１３７ａによって画定される。
【００４８】
第１のインターフェース寸法ｄ１は、第１の容器寸法Ｄ１よりも少なくとも六分の一の大きさしかないことができる。図示された向きにおいて、これは、インターフェース構造体１０５の突出する高さが、容器１０３の高さの少なくとも六分の一であることに対応する。これは、比較的薄い外形のインターフェース構造体１０５と組み合わされた比較的大きい液体容量の容器１０３を提供し、例えば、棚に載せた保管および輸送のために、並びに供給装置が装着された印刷システムのために、更なる体積効率を容易にする。また、比較的小さい薄型のインターフェース構造体１０５は、比較的より小さい液体容量および比較的小さいプリンタにいっそう適することができる。例えば、第１の容器寸法Ｄ１は、少なくとも６ｃｍであり、インターフェース構造体１０５の突出部分の第１のインターフェース寸法ｄ１は２０ｍｍ以下である。例えば、第１の容器寸法Ｄ１は少なくも９ｃｍであり、第１のインターフェース寸法ｄ１は１５ｍｍ以下である。例えば、第１の容器寸法Ｄ１は少なくとも約９．５ｃｍであり、第１のインターフェース寸法ｄ１は、約１３ｍｍ以下である。
【００４９】
例えば、インターフェース構造体１０５の外形高さは、第１のインターフェース寸法ｄ１と、容器１０３に組み付けられた際にインターフェース構造体１０５がそれぞれの容器側部１１３から突出する距離とであることができる。インターフェース構造体１０５の薄い外形の高さは、インターフェース構造体１０５の比較的小さい第１の寸法ｄ１と、容器１０３からの比較的小さな突出を表すインターフェース構造体とを指すことができる。外形高さは、液体チャネル１１７のニードル受容部分１２１（例えば、図１１を参照）、液体インターフェース１０５、キーペン１６５、集積回路１７４、及び前面押し領域１５４ａの縁部１５４ｂを含む幾つかのインターフェース構成要素に広がることができる。例えば、クリアランス１５９及び当たり止め面１６３のうちの少なくとも１つを含む、それぞれのキーペン１６５の外側の側面における固定特徴要素１５７も、インターフェース構造体１０５の外形高さ、即ち第１の寸法ｄ１内に延びることができる。リザーバ接続液体チャネル部分１２９は、容器１０３に組み付けられた際に、外形高さの外側に、容器１０３内へ突出することができる。例えば、容器に対する取り付け、受容ステーションに対する支持、又は他の目的のために、外形高さの外側に突出するインターフェース構造体１０５の、より突出する構成要素が存在することができる。
【００５０】
一例において、インターフェース構造体１０５の幅（ｄ３）は、約４９ｍｍであることができ、容器１０３の幅（Ｄ３）は約５８ｍｍであることができる。インターフェース構造体１０５の高さ（ｄ１）は約１２ｍｍであることができ、ボックスの高さ（Ｄ１）は約１０ｃｍであることができる。従って、供給装置１０１の第１の寸法Ｄ１＋ｄ１と第３の寸法Ｄ３の全アスペクト比は１１２：５８であることができ、これは、約２：１又は１１：６に丸められ得る。前記高さ及び幅に垂直な、インターフェース構造体の長さ（ｄ２）は、約４３ｍｍであることができ、当該ボックスの長さ（Ｄ２）は、前記突出範囲ＰＰに応じて、等しいか、又はそれを上回ることができる。
【００５１】
繰り返しになるが、本開示の例示的な供給装置１０１は、比較的薄いアスペクト比を有する。従って、一例において、第２の容器寸法Ｄ２対第３の容器寸法Ｄ３のアスペクト比は、少なくとも１：２、少なくとも１：３又は少なくとも１：４であり、即ち、第２の容器寸法Ｄ２は、第３の容器寸法Ｄ３の少なくとも２倍、３倍または４倍大きくなることができ、この場合、第２の容器寸法Ｄ２は、長さに対応し、第３の容器寸法Ｄ３が幅に対応する。
【００５２】
一例において、容器１０３の第１の寸法Ｄ１対第３の寸法Ｄ３のアスペクト比は、少なくとも３：２、又は少なくとも５：３、又は少なくとも約１１：６である。更なる例において、第１の容器寸法Ｄ１と第１のインターフェース寸法ｄ１との合計であることができる、供給装置の全体的な第１の寸法（又は高さ）対容器１０３の第３の寸法Ｄ３（又は供給装置の幅）のアスペクト比は、少なくとも約２：１である。類似した薄いアスペクト比を有するより大きな容量の供給装置１０１の幾つかにおいて、容器１０３は、比較的長い形状を有することができ、それにより第１の容器寸法Ｄ１対第２の容器寸法Ｄ２のアスペクト比は、１：１以下、又は２：３以下、１：２以下、又は１：３以下であり、それによってより小さい比率は、より大きい第２の寸法Ｄ２に対するより小さい第１の寸法Ｄ１を意味する。
【００５３】
図８及び図９に示されるように、インターフェース構造体１０５は、容器１０３の第１の寸法Ｄ１に平行な方向において側部１１３から突出することができ、この場合、インターフェース寸法ｄ２、ｄ３は、容器寸法Ｄ２、Ｄ３よりも小さく、その結果、インターフェース構造体１０５は、図４の例と同様に、第２及び第３の容器寸法Ｄ２、Ｄ３によって形成される輪郭内に延びる。
【００５４】
インターフェース構造体１０５の液体出力は、液体チャネル１１７を含む。液体チャネルは、液体インターフェース１１５を含む。液体インターフェース１１５は、主流れ方向に沿って液体チャネル１１７の下流端部に設けられる。図９において、仮想基準平面として機能することができる、容器１０３の中心平面ＣＰ、及びインターフェース構造体１０５が示される。中心平面ＣＰは、容器１０３及び／又はインターフェース構造体１０５の第３の寸法Ｄ３、ｄ３のほぼ中央を通って延びることができる。中心平面ＣＰは、容器１０３及びインターフェース構造体１０５の第１及び第２の寸法Ｄ１、ｄ１、Ｄ２、ｄ２に平行に延び、それにより、液体インターフェース１１５は、第３のインターフェース寸法ｄ３に沿った１つの方向において、インターフェース構造体１０５の中心平面ＣＰから横方向にオフセットされる。集積回路コンタクトパッド１７５は、液体インターフェース１１５に対して中心平面ＣＰの反対側にある、第３のインターフェース寸法ｄ３に沿った他の方向において中心平面ＣＰから横方向にオフセットされる。他の例において、第1及び第２の寸法Ｄ１、ｄ１、Ｄ２、ｄ２に平行で、且つ液体インターフェース１１５とコンタクトパッドアレイ１７５との間にある平面は、供給装置の中心を正確に通る必要がないことに留意されたい。
【００５５】
一例において、第１のリセス１７１ａは、ニードル受容液体チャネル部分１２１に隣接して横方向に設けられ、キーペン１６５を収容し、第２のリセス１７１ｂは、ニードル受容液体チャネル部分１２１の他方の側面に設けられ、別のキーペン１６５及び集積回路コンタクトパッド１７５を収容する。リセス１７１ａ、１７１ｂは、液体インターフェース１１５の各側面およびインターフェース構造体の前面１５４において入口を有することができ、それにより、前面１５４は、液体チャネル１１７が延びるリセス１７１ａ、１７１ｂ間に延びる液体チャネルブロックの一部であることができる。リセス１７１ａ、１７１ｂは、インターフェース構造体１０５が突出する、容器側部１１３に沿った深さを有する。キーペン１６５は、第２のインターフェース寸法ｄ２と平行に突出している。
【００５６】
図１０、図１１及び図１２は、特定の例によるインターフェース構造体のインターフェース構成要素を示す。図１０は、図９にも示されているように、インターフェース構造体の前面１５４の例示的な液体インターフェース１１５及び前面押し領域１５４ｂの概略的な拡大であり、図１１及び図１２はそれぞれ、インターフェース構成要素の切り離された及び接続された段階における、インターフェース構造体１０５及び受容ステーション１０７の一部の水平断面図を示す。
【００５７】
一例において、液体インターフェース１１５は、挿入時に流体ニードルの周りでチャネル１１７をシールするためのシール１２０を含む。シール１２０は、エラストマー材料からなることができる。シール１２０は、その中心軸に沿って且つ取り付けられた状態においてニードルが突出するニードル挿入方向ＮＩに沿って中央内部チャネルを含むことができる。シール１２０は、液体インターフェース１１５及びニードル受容液体チャネル部分１２１の長さに沿って延びるために、液体インターフェース１１５及びニードル受容液体チャネル部分１２１の内壁へ差し込まれるべきプラグであることができる。シール１２０は、インターフェース構造体１０５のインターフェース前面１５４において円筒形または円形の取り付け具に着座することができる。シール１２０は、かしめる（圧着する）ことにより液体チャネル１１７及びインターフェース縁部１１６に対してシールされ得る。例えば、製造中に、シールプラグ又は他のシール１２０が液体チャネル１１７へ挿入され、その後、縁部１１６の突出リッジ１１８が、超音波振動工具によってマッシュルーム状の外形へ押し込まれる。次いで、当該外形のリップの内側縁部が、シール１２０を保持し、十分な流体耐密性を得るためにシール１２０に圧力を提供することもできる。更に、又はその代わりに、インターフェース構造体１０５において適切なシール構造を確立するために、接着剤および／または溶接が適用され得る。
【００５８】
シール１２０は、その中央部、例えばその中央内部チャネルの下流に破れやすい膜１２２を含むことができ、当該膜１２２は、ニードルが最初に挿入された際に開くように構成されている。ニードルは、挿入時に膜１２２を穿刺することができる。ニードル受容液体チャネル部分１２１、シール１２０、膜１２２、及び縁部１１６は、単一の中心軸を中心にすることができ、これは、例示の目的で、主液体流れ方向ＤＬによって図８に示され得る。シール１２０の深さは、その中心軸に沿って延び、シール１２０は、前記中心軸に沿って、挿入されたニードルに対してシールするように適合される。特定の例において、シール１２０は、使用中、流体ニードルのヒュミドール１１２を押すことができる。シール１２０及び膜１２２は、輸送中または供給装置１０１の保存可能期間中に容器１０３をシール（封止）するために、並びにニードル挿入中にニードルに対してシールするために、流体／蒸気移動を阻止する。穿刺可能な膜１２２の代わりに、シール１２０は、例えば引裂き、除去または穿孔するために、使用前に容器および液体チャネルをシールするための下流端でシール１２０の内部チャネルを覆う、シール１２０に接着、溶接、付着、又は一体的に成形された任意の適切なプラグ、ラベル、膜またはフィルムなども含むことができる。輸送および保管中に液体チャネル１１７を封止するために、別個の蓋またはプラグが設けられることができ、又は他の手段が設けられ得る。
【００５９】
この例において、液体インターフェース１１５の縁部１１６は、シール１２０の周りに延びる。シール１２０は、液体インターフェース１１５及び液体チャネル１１７のニードル受容チャネル部分１２１内に挿入される。シール１２０は、前記縁部１１６に対して部分的に位置することができる。縁部１１６は、円形であることができ、同様に円形のニードル受容チャネル部分１２１及びシール１２０の中心軸の周りに延びることができる。縁部１１６は、液体インターフェース１１５に隣接した及び当該液体インターフェース１１５の周りのインターフェース構造体の前面１５４の一部であることができる。一例において、縁部１１６は、前面１５４の残りの部分と同一平面であることができるが、他の例では、縁部１１６は、製造前または製造後に、突出するリッジ１１８を含むことができる。図９〜図１２に示された例において、リッジ１１８は、かしめる前の状態を表し、この場合、リッジ１１８は、シール１２０に対して及び／又はシール１２０の周りにかしめられるように十分に突出し、それによりリッジ１１８は、前記かしめの後に比較的より平坦になり、それはこの図面に示されていない。
【００６０】
インターフェース前面１５４及び／又は縁部１１６は、第２のインターフェース寸法ｄ２の末端を形成することができる。それぞれの側面１３９及び／又は遠位側１３７を画定する壁１３９ａ、１３７ａの前縁は、インターフェース前面１５４と同じレベルで延びることができ、リセス１７１ａ、１７１ｂに対するそれぞれの入口として働くことができる周方向インターフェース前縁を形成する。インターフェース縁部１１６に隣接し、及び／又はインターフェース縁部１１６の周りに部分的にあるインターフェース前面１５４は、使用中、ニードルの保護構造体１１０に対して押すことができる。異なる例において、ニードルの保護構造体は、シャッター、プレート、スリーブ、そり等を含むことができる。
【００６１】
例示された例示的な保護構造体１１０は、機械的損傷に対して流体ニードルを保護するためのプレート又はスリーブを含み、供給装置１０１を挿入する際に、保護構造体に対するインターフェース前面１５４の押す力によって、ニードルに対して後退され得る。図示された例において、ニードルを保護する保護構造体１１０は、ヒュミドール１１２から分離されており、それにより、保護構造体１１０は、インターフェース前面１５４により、例えば、前面１５４の押し領域１５４ａにより移動されることができ、ヒュミドール１１２は、保護構造体１１０及び／又はインターフェース１１５によって、別個に移動され得る。ヒュミドール１１２は、液体ニードルの湿潤を保つ及び／又は漏出を回避するように適合され得る。他の例示的な受容ステーションにおいて、保護構造体１１０及びヒュミドール１１２は、単一の連結構造として一緒に移動することができる。また他の例示的な受容ステーションにおいて、保護構造体１１０及びヒュミドール１１２のうちの１つだけが提供される。前面押し領域１５４ａは、ニードル１０９を放出（解放）するために、保護構造体１１０に加えて、または保護構造体１１０の代わりに、ヒュミドール１１２を押すために使用され得る。
【００６２】
図示された例において、インターフェース前面１５４は、リセス１７１ａと１７１ｂとの間に延びる。前面の遠位縁部１５４ｃは更に、インターフェース前面と側面１３９との間でリセス１７１ａ、１７１ｂの入口を画定するために、側面に向かってさらに外側に延びる。インターフェース前面１５４は、液体インターフェース１１５の周りに少なくとも部分的に、及び当該液体インターフェース１１５に隣接して延びる。インターフェース前面１５４は、第１及び第３のインターフェース寸法ｄ１、ｄ３に平行で、主液体流れ方向ＤＬとほぼ直角をなす直線状の表面であることができる。
【００６３】
インターフェース前面１５４は、少なくともインターフェース構造体１０５が容器１０３に組み付けられた際に、液体インターフェース縁部１１６と容器１０３との間に位置する壁部分によって画定され得る押し領域１５４ａを含む。前面押し領域１５４ａを画定する壁部分は、液体チャネル壁１１７ｂと一体的に成形された構造体の一部であることができ、その構造体は、両側のリセス１７１ａ、１７１ｂと共に支持壁１３７ａから突出する（例えば、図２６を参照）。押し領域１５４ａは、インターフェース構造体１０５の前面１５４の外縁１５４ｂを含み且つ外縁１５４ｂで終端し、図示された例では容器側部１１３で終端している。押し領域１５４ａは、挿入中および／または装着状態において保護構造体１１０を後方に押しやるように適合される。押し領域１５４ａは、液体インターフェース縁部１１６と容器１０３との間で少なくとも部分的に延びることができる。特定の例において、液体インターフェース縁部１１６と押し領域縁部１５４ｂとの間で、刻み目、溝または凹部を前面１５４へ設けることができ、それにより押し領域１５４ａは、保護構造体１１０に当接する押し領域として働くのに十分であることができる縁部１５４ｂのみから構成され得る（例えば、図４８を参照）。
【００６４】
インターフェース構造体１０５は、比較的薄い外形からなることができる。従って、一例において、押し領域１５４ａの高さＨＣは、第１のインターフェース寸法ｄ１に沿っており、この場合、前記高さＨＣは、液体インターフェース縁部１１６と容器１０３又はインターフェース前縁１５４ｂとの間の最小距離を表し、液体インターフェース縁部１１６の内径Ｄ１１６よりも小さく、又は出口インターフェース１１５に差し込まれた際にシール１２０の外径よりも小さく、例えば、高さＨＣは、前記直径Ｄ１１６のうちの１つの半分未満である。前記内径および外径は、これらの直径の何れか１つ又は双方が、押し領域１５４ａの比較的小さい高さ、そしてまたインターフェース構造体１０５の比較的薄い外形の高さを示すための基準として働くことができるように同じであることができる。明確にするために、液体インターフェース縁部１１６は、（i）液体チャネル１１７のニードル受容部分１２１のプラスチック壁と、（ii）インターフェース前面１５４の表面との間の遷移によって画定され得る。幾つかの例において、液体インターフェース縁部１１６が丸みをつけられ得るので、何が正確にその液体インターフェース縁部１１６であるかを決定することは困難である場合がある。係る例において、液体チャネル１１７内であるが、インターフェース前面１５４の近くである位置において、差し込まれた状態におけるシール１２０の差し込まれた部分の外径が使用され得る。例えば、前記縁部１１６、１５４ｂの間の押し領域１５４ａの前記高さＨＣは、約６ｍｍ以下、約５ｍｍ以下、約４ｍｍ以下、又は約３ｍｍ以下である。例えば、相対的な意味では、インターフェース前面押し領域１５４ａの高さＨＣは、前記液体出口インターフェース縁部１１６の直径の半分未満であることができる。比較的小さなインターフェース前面押し領域１５４ａは、比較的薄い外形のインターフェース構造体を依然として容易にしながら、ニードルに対して保護構造体を移動させるのに十分であることができる。例えば、押し領域１５４ａは、平坦な前面壁である必要はないが、代わりに、ニードルを放出するために保護構造体１１０を押すのに十分な縁部（例えば、前縁１５４ｂ）のみを含む、又は丸みを付けられた形状のみからなることができる。
【００６５】
図１１の例において、液体インターフェース１１５へのニードル１０９の挿入を容易にするためにニードル１０９を露出するように、インターフェース前面１５４がニードル１０９に対して保護構造体１１０を後方に押すことを開始する。例えば、インターフェース前面１５４の押し領域１５４ａが最初に保護構造体１１０を押し、次いで保護構造体１１０自体、或いは前面１５４又はシール１２０がヒュミドール１１２を押す。後者は図１２に示され、この場合、インターフェース構造体１０５は、図１１の位置に比べて液体出力の方向ＤＬにおいて移動し、それにより保護構造体１１０及びヒュミドール１１２は、押し領域１５４ａによってニードル１０９に対して後方に移動され、それによってニードル１０９を抜き出す。図１２において、ニードル１０９は、シール膜１２２を貫通し、液体チャネル１１７とニードル１０９との間の流体接続が確立されている。
【００６６】
一例において、遠位側１３７は、第３のインターフェース寸法ｄ３の範囲に広がる。インターフェース構造体１０５の支持壁１３７ａは、遠位側１３７を画定することができる。支持壁１３７ａは、受容ステーションにおいて、例えば支持壁１３７ａの一部を形成することができるその中間ガイド面１４３、１４３ｂ、１４７を介して、供給装置１０１を部分的に案内および支持することができる。支持壁１３７ａの一部は、集積回路１７４を支持することができる。集積回路１７４を着座させるために、比較的浅い切り欠きが、支持壁１３７ａに設けられ得る。例えば、浅い切り欠きは、２ｍｍ未満または１ｍｍ未満の深さであることができる。支持壁１３７ａは、第３のインターフェース寸法ｄ３、これらの対向する前縁１５４ｂ、１５４ｃの間に延びる第１のインターフェース寸法ｄ１に沿って、押し領域の前縁１５４ｂと反対側の遠位の前縁１５４ｃを有することができる。
【００６７】
図１１の図は、液体インターフェース１１５に横方向に隣接し、個別のリセス１７１ｂ内の集積回路コンタクトパッド１７５を露出する。当該パッド１７５は、第３のインターフェース寸法ｄ３と平行な線上に、且つ第２及び第３のインターフェース寸法ｄ２、ｄ３に平行な仮想基準平面内に配置される。一例において、コンタクトパッド１７５は、中心平面ＣＰの一方の側に配置される一方で、液体インターフェース１１５又は液体インターフェース１１５の中心軸は、中心平面ＣＰの反対側に配置される。接続中、図１２により示されるように、受容ステーション１０７のデータコネクタ１７３は、集積回路コンタクトパッド１７５に接続するために、リセス１７１ｂへ入る。
【００６８】
図１３及び図１４はそれぞれ、個別の容器１０３から突出するインターフェース構造体１０５の一例を、それぞれ、斜視図および正面図で示す。インターフェース構造体１０５は、図５〜図１２の１つに示されたインターフェース構造体１０５と同じであることができる。図１５は、図１３及び図１４のインターフェース構造体１０５の中間ガイドの詳細の一例を示す。図１６は、インターフェース構造体１０５の前面側の近くにおけるインターフェース構造体１０５の横方向ガイド、及び固定特徴要素１５７の詳細の一例を示す。
【００６９】
図１３〜図１６に示された例において、インターフェース構造体１０５は、その外側の側面１３９に横方向ガイド特徴要素１３８、及びその遠位側１３７に中間ガイド特徴要素１４０を含む。図１７は、横方向ガイド特徴要素１３８及び中間ガイド特徴要素１４０がそれぞれ、受容ステーション１０７の対応する横方向ガイドレール１３８Ａ及び中間ガイドレール１４０Ａのそれぞれにどのように接続され得るかを示す。また、図１７は、容器支持壁１１３及び外側側壁１５１が、受容ステーション１０７の対応する壁からの大まかな案内をどのように受け取るかことができるかも示す。
【００７０】
図１３から看取され得るように、ガイド特徴要素１３８、１４０は、例えば、第２のインターフェース寸法ｄ２の少なくとも１ｃｍ、２ｃｍ、３ｃｍ又は４ｃｍに沿って、例えば、第２のインターフェース寸法ｄ２の長さの少なくとも５０％又は少なくとも７５％、又は当該長さの大部分又は全てに沿って延びる、比較的細長くなることができる。ガイド特徴要素１３８、１４０は、流体インターフェースを位置合わせするために、受容ステーションに対してインターフェース構造体１０５を案内することができる。例えば、受容ステーションは、対応する横方向ガイドレール１３８Ａ及び／又は中間ガイドレール１４０Ａを含むことができる（図１７、図２０）。他の例では、キーペン１６５が、ガイド特徴要素１３８、１４０の少なくとも１つの代わりに、又はそれに加えて、案内の目的のために使用され得ることに留意されたい。
【００７１】
図示された例において、横方向ガイド特徴要素１３８は、互いに対して角度をなす第１及び第２の横方向ガイド面１４１、１４１ｂ、１４５を含む。説明されるように、第１及び第２の横方向ガイド面１４１、１４１ｂ、１４５は、側部１３９において横方向ガイドスロット１４２を画定する。横方向側壁１３９ａは、第３のインターフェース寸法ｄ３及び／又は少なくとも１つの第２の横方向ガイド面１４５に平行な方向において、受容ステーションの液体ニードルに対する液体インターフェース１１５の位置決めを容易にするために、少なくとも１つの第１の横方向ガイド面１４１、１４１ｂを含み、第１のインターフェース寸法ｄ１に平行な方向において、受容ステーションのニードルに対する液体インターフェース１１５の位置決めを容易にする。従って、供給装置１０１がほぼ水平に装着されている例において、少なくとも１つの第１の横方向ガイド面１４１、１４１ｂは、液体入力１１５の水平方向の位置決めを容易にし、少なくとも１つの第２の横方向ガイド面１４５は、垂直方向の位置決めを容易にすることができる。
【００７２】
第１の横方向ガイド面１４１、１４１ｂは、第１及び第２のインターフェース寸法ｄ１、ｄ２にほぼ平行に延びることができる。第１の横方向ガイド面１４１、１４１ｂは、前記第１及び第２のインターフェース寸法ｄ１、ｄ２にほぼ平行な平面において実質的に平坦であることができ、この場合、ほぼ平行は、例えば、絶対的に平行から１０度以下のずれを含む場合がある。第１の横方向ガイド面１４１、１４１ｂは、第２のインターフェース寸法ｄ２に沿って細長くなることができ、即ち、第２のインターフェース寸法ｄ２に沿って比較的長く、且つ第１のインターフェース寸法ｄ１に沿って比較的短い。供給装置１０１の装着中、インターフェース構造体１０５は、底部１１３から下方に突出する場合、第１の横方向ガイド面１４１、１４１ｂは、受容ステーションの液体入力に対する液体インターフェース１１５のほぼ水平方向の位置決めを容易にすることができる。
【００７３】
単一の横方向側壁１３９は、第３のインターフェース寸法ｄ３に沿った複数のレベルで複数の第１の横方向ガイド面１４１、１４１ｂを有することができる。横方向ガイド特徴要素１３８は、２つの外側第１横方向ガイド面１４１、及び当該外側第１横方向ガイド面１４１に対して第３のインターフェース寸法ｄ３に沿って内側方向にオフセットされた内側第１横方向ガイド面１４１ｂを含むことができる。内側第１横方向ガイド面１４１ｂは、２つの外側第１横方向ガイド面１４１の間に延びることができる。内側および外側第１横方向ガイド面１４１、１４１ｂは、第１のインターフェース寸法ｄ１に少なくともほぼ広がることができる。特定の例において、外側第１横方向ガイド面１４１を備えない内側第１横方向ガイド面１４１ｂのみ、又は１つの内側および１つの外側第１横方向ガイド面１４１、１４１ｂのみが設けられる場合があり、それは、第１及び／又は第３のインターフェース寸法ｄ１、ｄ３に沿って液体インターフェース１１５を位置決めするのに十分であることができる。他の例において、１つのみの第１内側または外側横方向ガイド面１４１、１４１ｂは、例えば中間ガイド特徴要素１４０と共に、案内および位置決めの目的を果たすのに十分であることができる。更に他の例において、横方向および中間のガイド特徴要素１３８、１４０のうちの一方のみが設けられる。
【００７４】
図示された向きにおいて、支持壁１３７ａは、インターフェース構造体１０５の底部を画定する。支持壁１３７ａは、例えば液体インターフェース１１５に隣接する中間ガイド特徴要素１４０を含むことができる。中間ガイド特徴要素１４０は、少なくとも１つの第１の中間ガイド面１４３、１４３ｂを含み、第１のインターフェース寸法ｄ１及び／又は少なくとも１つの第２の中間ガイド面１４７に沿った方向において移動の自由度を制限しながら、液体ニードルに対する液体インターフェース１１５の位置決めを容易にし、第３のインターフェース寸法ｄ３に沿った方向において移動の自由度を制限しながら、液体ニードルに対する液体インターフェースの位置決めを容易にすることができる。少なくとも１つの第１の中間ガイド面１４３、１４３ｂは、第２及び第３のインターフェース寸法ｄ２、ｄ３と平行に延びることができる。少なくとも１つの第２の中間ガイド面１４７は、第１及び第２のインターフェース寸法ｄ１、ｄ２と平行に延びることができる。
【００７５】
一例において、第１の中間ガイド面１４３、１４３ｂは、遠位側１３７の外面に対して内側に延びることができる内側中間ガイド面１４３ｂ、及び遠位側１３７の外面を画定することができる２つの外側中間ガイド面１４３を含む。従って、第１の中間ガイド面１４３、１４３ｂは、第１のインターフェース寸法ｄ１に沿って複数のレベルにわたって延びることができる。内側第１中間ガイド面１４３ｂは、受容ステーションの相手側のガイドを受容して摺動するように適合される。内側第１中間ガイド面１４３ｂは、前記第２及び第３のインターフェース寸法ｄ２、ｄ３にほぼ平行な平面に沿って平坦であることができる。内側第１中間ガイド面１４３ｂは、比較的幅が狭く且つ細長い形状からなることができ、即ち第２のインターフェース寸法ｄ２に沿って比較的長く、第３のインターフェース寸法ｄ３に沿って比較的短い。
【００７６】
内側第１中間ガイド面１４３ｂは、２つの外側第１中間ガイド面１４３の間に延びることができる。内側第１中間ガイド面１４３ｂは、液体インターフェース１１５に隣接して延び、ニードル１０９に対するインターフェース１１５の位置決めを容易にすることができる。内側および外側第１中間ガイド面１４３、１４３ｂは共に、第３のインターフェース寸法ｄ３の実質的な部分に、少なくともほぼ広がることができる。特定の例において、外側第１中間ガイド面１４３を備えない内側第１中間ガイド面１４３ｂのみ、又は１つの内側および１つの外側第１中間ガイド面１４３、１４３ｂのみが設けられる場合があり、それは、第１のインターフェース寸法ｄ１に沿って液体インターフェース１１５を位置決めするのに十分であることができる。
【００７７】
供給装置１０１の装着中、インターフェース構造体１０５は、底部１１３から下方に突出する場合、第１の中間ガイド面１４３、１４３ｂは、受容ステーションの液体入力に対する液体インターフェース１１５の垂直方向の位置決めを容易にすることができ、第１の横方向ガイド面１４１、１４１ｂは、液体インターフェース１１５の水平方向の位置決めを容易にすることができる。
【００７８】
図示された例において、側面１３９は更に、インターフェース構造体１０５の外側側面の少なくとも１つにおいて少なくとも１つの第２の横方向ガイド面１４５、例えば、各側面において一対の対向する第２の横方向ガイド面１４５を含み、第１のインターフェース寸法ｄ１に沿った方向においてインターフェース構造体１０５の自由度を制限する。第２の横方向ガイド面１４５は、少なくとも１つの第１の横方向ガイド面１４１、１４１ｂに隣接し、当該少なくとも１つの第１の横方向ガイド面１４１、１４１ｂと或る角度をなすことができる。前記角度は、ほぼ直角であることができるが、例えば、引き込み、製造公差を提供するために、又は第１及び第２の横方向ガイド面１４１、１４５の間の角度が約８０度〜１００度であることができるという他の理由で、正確に直線状である必要はない。少なくとも１つの第２の横方向ガイド面１４５は、同じ側面１３９の対向する外側第１横方向ガイド面１４１の間に、及び当該対向する外側第１横方向ガイド面１４１に沿って設けられることができる。少なくとも１つの第２の横方向ガイド面１４５は、内側第１横方向ガイド面１４１ｂに沿って設けられることができる。第２の横方向ガイド面１４５は、第２のインターフェース寸法ｄ２及び第３のインターフェース寸法ｄ３とほぼ平行に延びることができるが、第１のインターフェース寸法ｄ１に沿った方向において移動の自由度を制限する前記機能を達成するために厳密に平行である必要はない。
【００７９】
例えば、第２の横方向ガイド面１４５は、例えば第２及び第３のインターフェース寸法ｄ２、ｄ３とほぼ平行な平面に沿って、実質的に平坦であることができ、この場合、ほぼ平行は、絶対的に平行から１０度のずれを含む場合がある。第２の横方向ガイド面１４５は、細長くなることができ、即ち第２のインターフェース寸法ｄ２に沿って比較的長く、第３のインターフェース寸法ｄ３に沿って比較的短い。図１６において最もよく看取され得るように、引き込み斜面１５５は、第２の横方向ガイド面１４５の前面入口付近に設けられ得る。
【００８０】
一対の対向する第２の横方向ガイド面１４５は、例えば一対の第２の横方向ガイド面１４５と内側第１横方向ガイド面１４１ｂとが一緒になって横方向ガイドスロット１４２を形成するように、内側第１横方向ガイド面１４１ｂの両側に沿って且つ当該内側第１横方向ガイド面１４１ｂの両側に延びることができる。別の例において、スロットは、内側第１横方向ガイド面１４１ｂを備えずに、側壁１３９を通って延びることができる。外側第１横方向ガイド面１４１は、第１のインターフェース寸法ｄ１と平行なスロット１４２の外側で延びることができる。第２の横方向ガイド面１４５、及び対向する側面１３９における第１の横方向ガイド面１４１、１４１ｂは、第２のインターフェース寸法ｄ２に沿った方向においてインターフェース構造体１０５の案内および並進を容易にする一方で、他の軸に沿った並進および当該他の軸の周りの回転を制限することができる。第１の横方向ガイド面１４１、１４１ｂ及び／又は第２の横方向ガイド面１４５は、第２の寸法ｄ２の少なくとも５０％、少なくとも７５％、又は第２の寸法ｄ２の大部分または全てのような、インターフェース構造体１０５の第２の寸法ｄ２のかなりの部分に広がることができる。前記引き込み斜面１５５又はクリアランス１５９のような、１つ又は複数の開口または妨害物が、ガイド面１４１、１４５に設けられ得る。
【００８１】
他の例において、ガイドレールによる案内なしにインターフェース構造体１０５が受容ステーション１０７に挿入されるのを容易にするために、クリアランススロットが、対応するガイドレールをクリアするために、側壁１３９に設けられ得る。係る例において、案内は、もしあれば、支持構造体１３５の壁および／またはインターフェース構造体１０５および／またはキーペンの他の側面または縁部を介して得られ得る。このようなクリアランススロットは、側面１３９の対向する縁部により、又はそれぞれの横方向縁部と、インターフェース構造体１０５が突出する容器側部１１３との間に画定され得る。
【００８２】
中間ガイド特徴要素１４０には、少なくとも１つの第２の中間ガイド面１４７が設けられて、受容ステーション１０７に対してインターフェース構造体１０５を位置決めする一方で、第３のインターフェース寸法ｄ３に沿った方向においてインターフェース構造体１０５の移動の自由度を制限する。第２の中間ガイド面１４７は、第１の中間ガイド面１４３、１４３ｂに対して或る角度をなすことができる。例えば、係る角度は、ほぼ垂直であることができ、この場合、幾らかのマージン又は公差が含まれ得る。例えば、当該角度は、約８０度〜１００度であることができる。一対の対向する第２の中間ガイド面１４７は、スロット１４４を形成するように設けられ得る。第２の中間ガイド面１１４７は、例えば、第１及び第２のインターフェース寸法ｄ１、ｄ２にほぼ平行な平面に沿って実質的に平坦であることができ、この場合、ほぼ平行は、厳密に平行から１０度以下のずれを含む場合がある。第２の中間ガイド面１４７は、比較的細長くて幅が狭い形状からなることができ、即ち、第２のインターフェース寸法ｄ２に沿って比較的長く、第１のインターフェース寸法ｄ１に沿って比較的短い。
【００８３】
一対の対向する第２の中間ガイド面１４７は、インターフェース構造体１０５の支持壁１３７ａにおいて、内側第１中間ガイド面１４３ｂと第２の中間ガイド面とが一緒になって中間ガイドスロット１４４を形成するように、内側第１中間ガイド面１４３ｂの両側および当該内側第１中間ガイド面１４３ｂに沿って延びることができる。しかしながら、中間ガイドスロット１４４は、内側第１中間ガイド面１４３ｂを備えずにさらに内側に延びる場合がある。外側第１中間ガイド面１４３は、第３のインターフェース寸法ｄ３と平行なスロット１４４の両側に延びることができる。
【００８４】
別の例（図示せず）において、中間クリアランススロットが遠位側１３７に設けられるが、当該スロットは、対応するガイドレールに沿った案内を回避しながら、インターフェース構造体１０５が受容ステーション１０７に完全に挿入されるのを容易にするために、対応するガイドレールをクリアすることができる。例えば、図１４と比較して、クリアランススロットの対向する縁部は、第２の中間ガイド面１４７に対応することができ、それにより、クリアランススロットの対向する縁部間の距離は、対向する第２の中間ガイド面１４７間の距離よりも大きくなることができる。案内は、もしあれば、インターフェース構造体１０５の他の側面または縁部の支持構造体１３５の壁を介して得られ得る。
【００８５】
一例において、中間ガイド特徴要素１４０又はクリアランススロットは、第１及び第２のインターフェース寸法ｄ１、ｄ２に平行な仮想基準平面Ｐ０によって交差され、それにより、仮想基準平面Ｐ０は、液体インターフェース１１５の中心と個々のキーペン１６５との間に延びる一方で、集積化されたコンタクトパッド１７５は、仮想基準平面Ｐ０の反対側の液体インターフェース１１５の別の側面において延びる。
【００８６】
図１４及び図１５で最もよく看取されるように、一対の第２の中間ガイド面１４７のうち、液体チャネル１１７及び／又はインターフェース１１５に近い、一方の第２の中間ガイド面１４７は、前記対の対向する第２の中間ガイド面１４７よりも第１のインターフェース寸法ｄ１に沿って短くすることができる。ニードル受容液体チャネル部分１２１に近い第２の中間ガイド面１４７は、十分な厚さの液体チャネル壁１１７ｂ（図２２）を容易にするために、より狭くされ得る。従って、図示された例において、中間ガイドスロット１４４は、第１と第２の中間ガイド面１４３ｂ、１４７の間、及び液体チャネル１１７に隣接し且つそれに平行なガイド面１４３ｂ、１４７の長さの少なくとも一部に沿って、その断面において面取り部１４８を含むことができ、中間ガイド特徴要素１４０の案内および液体インターフェースの位置決め機能を妨げることなく、チャネル壁のための空間を容易にする。従って、中間ガイド特徴要素１４０は、内側ガイド面１４３ｂに垂直な一対の対向するほぼ平行なガイド面１４７を含むほぼ垂直なガイド面１４３ｂ、１４７を含むことができ、この場合、前記面取り部１４８は、液体チャネル１１７に隣接し且つ液体チャネル１１７に沿って、平行なガイド面１４７の一方と内側ガイド面１４３ｂとの間に、且つ平行なガイド面１４７の一方と内側ガイド面１４３ｂと或る角度をなして延びる第３のガイド面を画定する。
【００８７】
上述したガイド特徴要素１３８、１４０、及び／又は表面１４１、１４１ｂ、１４３、１４３ｂ、１４５、１４７は、第２のインターフェース寸法ｄ２の方向において細長く、及び／又は平坦および同一平面であり、受容ステーションの個々の直線状の相手方のガイドに対するインターフェース構造体１０５の装着を容易にする。上述したガイド面１４１、１４１ｂ、１４３、１４３ｂ、１４５、１４７の一部または全部が設けられて、ニードル挿入方向ＮＩに平行な軸に沿ってインターフェース構造体１０５を案内する及び並進させる一方で、液体インターフェース１１５を少なくとも１つのニードル１１９に位置合わせして流体的に連通するように接続するために、他の軸に沿った並進および他の軸の周りの回転を制限することを容易にすることができる。一例において、インターフェース構造体は、図示された横方向ガイド特徴要素１３８及び中間ガイド特徴要素１４０のそれぞれの１つ又は２つのみをそれぞれ含むことができる。一例において、装着時に、主に第２の横方向ガイド面１４５が第１の寸法ｄ１、Ｄ１に沿ってインターフェース構造体１０５の位置合わせに使用され、主に第２の中間ガイド面１４７が第３の寸法ｄ３、Ｄ３に沿った位置合わせに使用され、それにより、下位の例において、第１の横方向および第１の中間のガイド面１４１、１４１ｂ、１４３、１４３ｂである他方の少なくとも１つは、装着時に受容ステーションガイド面またはレール１３８Ａ、１４０Ａに係合する必要はない、又はインターフェース構造設計１５０から省かれ得る。更なる例において、横方向ガイド特徴要素１３８及び／又は中間ガイド特徴要素１４０は、第１の横方向または中間のガイド面１４１、１４１ｂ、１４３、１４３ｂを備えない１つ又は２つの個々の第２の横方向または中間のガイド面１４５、１４７のみを含むことができ、それは、特定の例では、案内および位置決めに十分であることができる。また他の例において、個々のガイド特徴要素１３８、１４０及び／又はガイドスロット１４２、１４４は、厳密に平坦で直線状平面である必要がない縁部を含むことができ、この場合、当該縁部は第２のインターフェース寸法ｄ２に沿って細長くなることができる。
【００８８】
一例において、第１の横方向ガイド面１４１、１４１ｂは、第２の中間ガイド面１４７とほぼ平行である。一例において、第１の横方向ガイド面１４１、１４１ｂ及び／又は第２の中間ガイド面１４７は、容器３の外側側壁１５１とほぼ平行である。一例において、第１の中間ガイド面１４３、１４３ｂは、第２の横方向ガイド面１４５とほぼ平行である。一例において、第１の中間ガイド面１４３、１４３ｂ及び／又は第２の横方向ガイド面１４５は、インターフェース構造体１０５が突出する容器１０３の側面１１３とほぼ平行であり、及び／又はインターフェース構造体１０５が突出する側面１１３とは反対側の容器１０３の対向側面１３２にほぼ平行である。これらの態様のいくつかは、前述されたように、容器１０３の第１の大まかな位置合わせすることを容易にすることができ、その後にインターフェース構造体１０５をより精密に位置合わせすることが続く。
【００８９】
適切な係合を容易にするために、１つ又はそれぞれのガイド特徴要素１３８、１４０は、引き込み特徴要素を設けられ得る。例えば、図１６に示されるように、横方向ガイド特徴要素１３８は、外部ガイドレールに対してガイド特徴要素１３８の残りの部分に入るように、インターフェース構造体１０５の前面レベル(この図では１５４で示される)の近く又は当該前面レベルに横方向引き込み特徴要素１５３を含む。図示された例において、引き込み斜面１５５は、両方の横方向ガイドスロット１４２の前面に設けられる。引き込み斜面１５５は、対向した発散する横方向ガイド面によって画定され、インターフェース構造体の前面レベルに向かって後方から広がっている。引き込み斜面１５５は、横方向ガイド特徴要素１３８の後続部分に対して屈曲した表面または傾斜した表面である。当該後続部分は、斜面１５５と隣接することができる第２の横方向ガイド面１４５を含む。引き込み斜面１５５は、第１の横方向ガイド面１４１、１４１ｂに対して或る角度をなす、例えば、第１の横方向ガイド面１４１、１４１ｂに対して、例えばほぼ直角をなす、又は例えば約８０度から１００度の角度をなすことができる。一例において、１つの横方向の引き込み斜面１５５のみが、一方の側面１３９に設けられる。
【００９０】
比較的精細な位置合わせは、例えば受容ステーションの対応するガイドレール及び／又は表面の助けを借りて、インターフェース構造体１０５のガイド面１４１、１４１ｂ、１４３、１４３ｂ、１４５、１４７によって容易にされ得る。階段状の更に比較的流れるような態様において、突出部分１２３は、受容ステーションに最初に係合することができ、比較的大まかな位置合わせを提供し、次いで引き込み特徴要素１５３が係合することができ、次いでガイド特徴要素１３８、１４０が精細な位置合わせを提供することができる。例えば、横方向引き込み特徴要素１５３及びガイド特徴要素１３８は、第１の精細な位置合わせを提供することができる一方で、中間ガイド特徴要素１４０は、もう一度より精細な位置合わせを可能にすることができる。従って、ニードルを破壊する危険性が比較的低いニードルの適切な挿入が、確立され得る。中間ガイド特徴要素１４０は、液体インターフェース１１５及びチャネル１１７に隣接して、且つこれらに沿って延びて、ニードルの比較的精密な挿入を容易にする。中間ガイド特徴要素１４０は、他のガイド特徴要素１３８が接続された後にガイドレールに接続されて、最終的な最も精細な位置合わせを提供することができる。特定の例において、供給装置１０１の液体容量および関連する重量は比較的高くすることができ、これは、特に比較的制御されていない押し挿入の場合に、流体ニードルを破壊するリスクを増大させるが、これは、本開示の例の幾つかの供給装置１０１が受容ステーションとの比較的精密な流体接続へ容易に滑り込むことを妨げる必要はない。また他の例において、開示されたガイド特徴要素１３８、１４０の全てではないが幾つかが設けられて、幾つかのユーザ制御が、流体接続を確立するために必要とされる。
【００９１】
図１７Ａは、正面線図において、インターフェース構造体１０５のガイド特徴要素１３８、１４０の図を示し、この場合、ガイド特徴要素１３８、１４０は、第３のインターフェース寸法ｄ３に沿った方向において移動の自由度を制限するように適合される。例えば、第３のインターフェース寸法ｄ３に沿った方向における移動の自由度を制限するためのガイド特徴要素は、（i）内側第１横方向ガイド面１４１ｂ、（ii）外側第１横方向ガイド面１４１ｂ、及び（iii）第２の中間ガイド面１４７のうちの少なくとも１つを含む。一例において、これらの表面１４１、１４１ｂ、１４７のそれぞれは、第２のインターフェース寸法ｄ２において比較的細長くなることができ、受容ステーションのガイド面と係合するリッジ又は平坦な表面によって画定され得る。区別は、第３のインターフェース寸法ｄ３に沿った一方向において移動を制限するガイド特徴要素と、第３の寸法ｄ３に沿った反対方向における移動を制限するガイド特徴要素との間で行われることができ、これは、図１７Ａの実線対点線により示される。一例において、インターフェース構造体１０５は、第３のインターフェース寸法ｄ３に沿った一方向において移動を制限するための少なくとも２つのガイド面（例えば、破線の１４１、１４１ｂ、１４７）、及び第３のインターフェース寸法ｄ３に沿った反対方向における移動を制限するための少なくとも２つのガイド面（例えば、実線の１４１、１４１ｂ、１４７）を含む。
【００９２】
図１７Ｂは、正面線図において、インターフェース構造体１０５のガイド特徴要素１３８、１４０の図を示し、この場合、ガイド特徴要素１３８、１４０は、第１のインターフェース寸法ｄ１に沿った方向において移動の自由度を制限するように適合される。例えば、第１のインターフェース寸法ｄ１に沿った方向における移動の自由度を制限するためのガイド特徴要素は、（i）第２の横方向ガイド面１４５、（ii）第１の内側中間ガイド面１４３ｂ、及び（iii）第１の外側中間ガイド面１４３のうちの少なくとも１つを含む。一例において、これらの表面１４５、１４３ｂ、１４３のそれぞれは、第２のインターフェース寸法ｄ２において比較的細長くなることができ、受容ステーションのガイド面と係合するリッジ又は平坦な表面によって画定され得る。図１７Ｂにおいて、区別は、第１のインターフェース寸法ｄ１に沿った一方向において移動を制限するガイド特徴要素と、第１のインターフェース寸法ｄ１に沿った反対方向における移動を制限するガイド特徴要素との間で行われることができ、これは、実線対点線により示される。一例において、インターフェース構造体１０５は、一方向において移動を制限するための少なくとも２つのガイド面（例えば、実線の１４５、１４３、１４３ｂ）、及び反対方向における移動を制限するための少なくとも２つのガイド面（例えば、破線の１４５）を含む。一例において、インターフェース構造体は、対応する横方向ガイドレールと少なくとも接触している際に、インターフェース構造体１０５の突出方向とは反対の方向においてインターフェース構造体１０５の移動を制限するように適合された横方向ガイド面１４５を設けられ得る。
【００９３】
図１８は、例示的なインターフェース構造体１０５が受容ステーションに接続されるシステムの水平断面図を示す。例示的なインターフェース構造体１０５は、図８及び図１６にも示されているように、固定特徴要素１５７を含む。固定特徴要素１５７は、供給装置の受容ステーションへの操作可能な装着、場合によっては保持を容易にすることができる。
【００９４】
これらの図面において、固定特徴要素１５７は、本明細書において受容ステーション１０７の対応する固定要素が突出することができる、側面１３９を画定する外側壁を貫通する開口の形態のクリアランス１５９を含み、この場合、固定要素は、留め具または戻り止めであることができる。例えば、１つの固定特徴要素１５７を、一方の側面１３９に設けることができ、又は２つの固定特徴要素１５７を、対向する側面１３９に設けることができる。クリアランス１５９は、キーペン１６５に隣接して、インターフェース構造体１０５の前面側の近くに設けられ得る。図示された例において、突出する固定要素は、キャッチフック１６１である。しかしながら、用途に応じて、フック以外の固定要素を使用して、供給装置を受容ステーションに固定することを容易にすることができる。固定要素は、図示されたフック１６１の場合のように、ブロッキング特徴要素、可聴または触知のフィードバック特徴要素、トリガ又はスイッチ特徴要素などを含むことができる。即ち、一例において、固定要素は、インターフェース構造体を受容ステーションに直接的にロックすることができるが、他の例では、固定要素は、スイッチをトリガする、又は幾つかのフィードバック機能を提供するだけであることができる。
【００９５】
図示された例において、固定特徴要素１５７は、横方向ガイド特徴要素１３８に設けられる。クリアランス１５９は、例えば、スロット１４２内に及び／又は内側第１横方向ガイド面１４１ｂを通る、側面１３９内の切り欠きによって画定され得る。図示された例において、クリアランス１５９は、個々の側壁における貫通穴であり、個々のリセス１７１ａ、１７１ｂに開口している。他の例において、貫通穴の代わりに、クリアランス１５９は、凹みであることができる。各側面１３９は、両方の側面１３９において固定要素と相互作用するために、固定特徴要素１５７を含むことができる。クリアランス１５９は、付勢された固定要素１６１が部分的にクリアランス１５９へ突出することができることを容易にすることができる。
【００９６】
固定特徴要素１５７は更に、クリアランス１５９に隣接した当たり止め面（以降、当たり止めとも称する）１６３を含むことができる。当たり止め１６３は、インターフェース構造体１０５の前縁に近いクリアランス１５９の側で、クリアランス１５９の縁部により画定され得る。当たり止め１６３は、図１６の１５４により示されるように、例えば、キーペン１６５の遠位部分に隣接して、インターフェース構造体の前面レベルの近くに設けられる。当たり止め１６３は、個々のリセスの入口において、当たり止め並びにインターフェース構造体１０５の前面の縁部を画定する横方向前壁部分１４１ｂの一部であることができる。当たり止め１６３は、側面１３９の個々の壁部分１４１ｂの隣接面に対して或る角度をなして延びることができる。一例のシステムにおいて、当たり止め１６３は、固定要素に対するインターフェース構造体１０５の移動に対する抵抗を提供する。別の例示的なシステムにおいて、当たり止め１６３及び／又は横方向前壁部分１６３ａは、特定の動作モードに切り替わるために、又は特定のフィードバックを提供するために、フィンガ（指）、トリガ、又はスイッチ等を押すことができる。
【００９７】
図１６で看取されるように、前側横方向側壁部分１６３ａは、当たり止め１６３と当該前側の周りの縁部との間に延びて、それらを画定することができる。前側横方向側壁部分１６３ａは、キーペン１６５の遠位部分に隣接して延びることができ、落下による破壊に対するキーペン１６５のある程度の保護を提供する。前方横方向側壁部分１６３ａは、引き込み斜面１５５間に延びることができる。
【００９８】
図１８の図示された例において、固定要素は、フック１６１である。フック１６１は、それがクリアランス１５９を通って突出する位置に示されている。後述されるように、フック１６１のこの位置は、受容ステーションのアクチュエータを押し、そして次にフックに平行移動を伝達するように構成された機構（以降、伝達機構と称する）を介してフック１６１をトリガするキーペン１６５によってもたらされることができる。例図において、フック１６１と当たり止め１６３との間に若干の距離が示されており、これは、操作者が挿入を完了するために手動で供給装置１０１を解放する直前に、供給装置１０１が受容ステーションへ完全に押し込まれる装着の瞬間を示している。このような解放の後、付勢されたばねの押す力は、受容ステーションから外へ向かう方向においてフック１６１に対して当たり止め１６３を移動させる。従って、フック１６１は、そのばねの対向する力Ｆ（図２１）に対抗し、供給装置１０１の取り外し又は排出を阻止し、それにより供給装置１０１が流体的に接続された状態で保持される。供給装置１０１の取り外し又は排出を阻止するように構成されている。フック１６１のその後の後退は、供給装置１０１を自動的に排出する。
【００９９】
供給装置１０１の裏面１２５に対する２回目の手で押すことは、キーペン１６５をアクチュエータに押し付け、これが再び前記伝達機構をトリガして、当たり止め１６３及びクリアランス１５９に対してフック１６１を解放し、それにより、フック１６１がクリアランス１５９から引き抜かれる。これにより、インターフェース構造体１０５が解除され、それにより、付勢されたばねが拡張し、インターフェース構造体１０５を受容ステーション１０５から押し出す。
【０１００】
当たり止め面は、フック１６１の一部が係合することになる当たり止め部分である。当たり止め１６３のその係合面は、比較的平坦であり、個々の横方向側面１４１ｂに対して角度αをなして、例えば、少なくとも約９０度または９０度よりわずかに大きい角度αをなして、例えば少なくとも約９１度の角度αをなして延びることができる。９０度を超える角度αは、フック１６１の追加的な保持を可能にし、当たり止め１６３に対するフック１６１の滑りを阻止するか、又は少なくともフック１６１の意図しない離脱をある程度まで抑制して、インターフェース構造体１０５の意図しない排出を回避することができる。
【０１０１】
他の例示的な供給装置は、固定特徴要素を有していなくてもよい。一例において、受容ステーションは、装置の裏面に対して供給装置１０１を保持するフック、グリップ又はアームなどを有することができる。別の例において、供給装置１０１は、吊された状態（例えば、図４３を参照）で受容ステーションに装着され、それにより流体接続は、供給装置自体の重量によって、又は手動保持によって、又は液体インターフェース間のプリンタポンプによって生成された負圧によって十分に固定され得る。また他の例において、供給装置は、受容ステーションのガイドレール及びフックの両方をクリアするためのクリアランス又はクリアランススロットを含むことができる。
【０１０２】
他の例示的な供給装置は、説明された固定特徴要素１５７以外の他のタイプの固定特徴要素を適用することができる。これらの他のタイプの固定特徴要素は、供給装置と液体入力との間の流体接続を適切に保持することができる。例えば、供給装置１０１は、類似の固定特徴要素１５７を設けられることができるが、異なる位置、例えばインターフェース構造体１０５の遠位側１３７に設けられ得る。例えば、供給装置は、受容ステーションに引っ掛かる又は引っ掛かりを外すためのフック、グリップ、又はクリック止めフィンガを設けられ、又は受容ステーションの壁に圧入するためにエラストマー製クッションのような高摩擦表面を設けられ得る。
【０１０３】
図１９は、容器１０３の別個の側面１１３から突出する、例示的なインターフェース構造体１０５を斜視図で示す。図２０は、例示的なインターフェース構造体１０５のための例示的な受容ステーション１０７の一部を示す。この図面では、ヒュミドール１１２は省略されている。図２１は、インターフェース構造体１０５及び受容ステーション１０７が固定された状態にあり且つ流体的に連通するように接続された状態にある一例の水平断面図を示す。とりわけ、本開示の特定の例の突出するキーペン１６５に関連する特定の機能および特徴が、これらの図１９〜図２１に関連して説明される。
【０１０４】
本開示のキーペン１６５は、例えば、長手方向軸Ｃｋに沿って、少なくとも約１０ｍｍ、少なくとも約１２ｍｍ、少なくとも約１５ｍｍ、少なくとも約２０ｍｍ、又は少なくとも約２３ｍｍにわたって突出する、全体として長手方向の形状を有することができる。本開示の第１のより広い定義において、キーペンは、「キー止め」機能を有し、その理由は、それが、例えばスイッチ及び／又は伝達のようなアクチュエータに作用するようにプリンタのキースロットを通過することができるからである。更なる例において、キーペンは、適合するキースロットを有する対応する受容ステーションに対する接続を可能にする一方で、適合しないキースロットを有する受容ステーションに対する接続を阻止され得るという理由で、液体タイプ（例えば、インク色または薬剤）識別機能も有する。他の例において、キーペンは、必ずしも作動機能を有することなく、識別機能を有するように適合され得る。本開示の全体にわたって様々な例示的な図面を参照して明らかになるように、キーペンは、比較的単純な突出ピンからより複雑な断面を有する形状までの範囲にわたる様々な形状を有することができる。
【０１０５】
図示された例において、インターフェース構造体１０５は、一対のキーペン１６５を含む。キーペン１６５は、対向する外側側面１３９によって画定されるように、第２のインターフェース寸法ｄ２内に延びている。それに応じて、キーペン１６５は、容器寸法Ｄ２内に延びる。一対のキーペン１６５は、単一のキーペンと比較して、個々の固定要素を付勢するための力の分散および／または均衡を容易にすることができる。キーペン１６５によって付勢される対応するアクチュエータは、均衡された又は分散された態様で作動力を受け取ることができる。対向するキーペン１６５は、インターフェース構造体１０５及び液体インターフェース１１５のより良好な案内および／または位置合わせを容易にすることができる。３つ以上のキーペンが設けられることができ、例えば、液体チャネル１１７のいずれかの側に２つ以上のキーペンを有する。また、インターフェース構造体１０５は、一対の固定特徴要素１５７を含むことができ、各固定特徴要素は、各キーペン１６５に隣接して個々の側面１３９にある。他の例において、インターフェース構造体１０５は、単一のキーペン１６５又は３つ以上のキーペン１６５を含む。
【０１０６】
キーペン１６５は、基部１６９、例えば基部壁から突出することができる。基部１６９は、壁、脚部または柱状体であることができる。例えば、基部１６９は、キーペン１６５が突出する個々のリセス１７１ａ、１７１ｂの奥端部における壁または脚部であることができる。基部１６９は、インターフェース前面１５４に対してニードル挿入方向ＮＩに沿って、後方の方向においてオフセットされ得る。
【０１０７】
キーペン１６５は、第２のインターフェース寸法ｄ２とほぼ平行に延びることができる。キーペン１６５は、インターフェース構造体１０５が、例えば容器１０３の底部の下に突出する容器１０３の個別の側面１１３にほぼ平行に延びることができる。容器側面１１３は、比較的平坦であり、キーペン１６５は、その側面１１３と平行に延びることができる。図１９〜図２１において、少なくとも１つのキーペン１６５は、ニードル挿入方向ＮＩ、主液体流れ方向ＤＬ、第２のインターフェース寸法ｄ２及び／又は第２の容器寸法Ｄ２にほぼ平行であるその長手方向軸Ｃｋに沿って突出している。キーペン１６５の長手軸Ｃｋは、キーペンが突出する軸を表すことができる。長手方向軸Ｃｋは、キーペン１６５の中心軸であることができる。キーペン１６５は、例えば、液体チャネル１１７のニードル受容部分１２１の中心軸および／またはシール１２０の中心軸にほぼ平行な長手方向に全般的に沿って、液体チャネル１１７及び／又は液体インターフェース１１５の両側で、液体チャネル１１７及び／又は液体インターフェース１１５に隣接して延びる。
【０１０８】
第３のインターフェース寸法ｄ３に沿った第１のキーペン１６５とニードル受容液体チャネル部分１２１との間の距離は、反対側の第２のキーペン１６５とニードル受容液体チャネル部分１２１との間の距離よりも大きくなることができる。当該距離は、ニードル挿入方向ＮＩを表す軸と、キーペン１６５が延びる長手方向軸Ｃｋとの間の距離によって定義され得る。集積回路１７４及び／又はそのコンタクトパッド１７５は、第１のキーペン１６５とニードル受容液体チャネル部分１２１との間に延びる。前記のより大きな距離は、データコネクタ１７３が第１のキーペン１６５と前面押し領域１５４ａ及び液体チャネル壁１１７ｂの成形構造体との間を通過するのを容易にする。
【０１０９】
キーペン１６５は、受容ステーション１０７の対応するキースロット１６７内に挿入されるように適合される（図２０）。キースロット１６７は、適合しない印刷液体が受容ステーション１０７に接続されることを防止するために、例えば、液体ニードル１０９又は非互換性の液体タイプを有するそのニードル１０９の更なる液体チャネルの下流の汚染を防止するために、非対応のキーペン１６５を阻止することを容易にするように適合され得る。図２０の例において、キースロット１６７は、所定の向きでＹの形状を有し、対応する形状の断面および対応する向きを有するキーペン１６５のみを受容するように意図されている。他のキースロット１６７は、例えば、Ｔ字、Ｖ字、Ｌ字、Ｉ字、Ｘ字、又は１つ又は複数のドット形状または他の幾何学的形状を有することができる。
【０１１０】
特定の例において、これらのキースロットの目的がキーペンを識別することであっても、異なるキースロット１６７に接続することができるマスターキーペンが提供され得る。マスターキーペンは、流体サプライのサービスのために、又は単に代替の解決策として色識別キーペンに提供されることができ、本開示においても、「キーペン」の定義に含まれる。
【０１１１】
キーペン１６５は、関連するキースロット構成要素の対応するアクチュエータを作動（付勢）させるように適合され得る。受容ステーションの適切なアクチュエータは、電気スイッチ及び／又は機械的伝達機構を含むことができる。図２１の例において、当該アクチュエータは、ばねで負荷されているロッド１７９を含む伝達機構である。
【０１１２】
図２１に示されるように、キーペン１６５の遠位作動表面領域１６８は、インターフェース構造体１０５の受容ステーション１０７への挿入時に、キースロット１６７を通過して、ロッド１７９を作動させる。ロッド１７９は、ここでスリーブ形状ハウジングによって具現化されるキースロットハウジング構成要素１７０内に少なくとも部分的に延びる。供給装置１０１を受容ステーション１０７に挿入する際に、例えば操作者の押しにより、ハウジング構成要素１７０は、インターフェース構造体の前面におけるリセス入口を通って基部の方へと、リセス１７１ａ、１７１ｂ内へ挿入される。これにより、キーペン１６５は、ハウジング構成要素１７０内へ挿入され、ロッド１７９を押す。図示された例において、主液体流れ方向ＤＬに沿ったロッド１７９の対応する移動は、適切な伝達機構（図示せず）によりフック１６１に伝達され、それによりフック１６１の端部がクリアランス１５９へ挿入される。フック１６１がクリアランスへ挿入され、供給装置が操作者によって解放されると、フック１６１は当たり止め１６３に係合し、供給装置１０１を受容ステーション１０７に保持することができる。フック１６１は、ロッド１７９のばね力Ｆに対して着座状態でインターフェース構造体１０５を保持することができる。着座状態において、ニードル１０９は、液体チャネル１１７及びシール１２０の内部に突出し、ボール弁１２０Ａを開き、供給装置１０１と受容ステーション１０７との間に液体の流れを確立する。また、データコネクタ１７３が、集積回路コンタクトパッドアレイ１７５に接続され、それによってデータ通信が確立され得る。インターフェース構造体１０５は、クリアランス１５９及び当たり止め１６３をそれぞれ有する固定特徴要素１５７を、両方の側面１３９において含むことができる。それに応じて、２つの対向するフック１６１は、一対のロッド１７９を介してトリガされ得る。
【０１１３】
操作者のその後の押しは、再びロッド１７９を動かし、ロッド１７９は再びその作動をフック１６１に伝達する。これにより、フック１６１はクリアランス１５９及び当たり止め１６３から解放されて、供給装置１０１の排出をトリガする。排出時、ロッド１７９は、スプリングの減圧により、キーペン１６５をそのロッド収容構成要素１７０内で後方に押し、それにより流体ニードル１０９が液体インターフェース１１５を出て、データ接続が切断される。
【０１１４】
図示された例において、インターフェース構造体１０５は、液体チャネル１１７のニードル受容部分１２１に横方向に隣接し、第２のインターフェース寸法ｄ２に沿った深さを有する２つのリセス１７１ａ、１７１ｂを含む。リセス１７１ａ、１７１ｂは、キーペン１６５を取り囲むことができ、例えば、キーペン１６５のそれぞれのキースロットハウジング構成要素１７０への侵入を容易にする。
【０１１５】
リセス１７１ａ、１７１ｂは、リセス壁よって画定され得る。リセス１７１ａ、１７１ｂは、ニードル受容液体チャネル部分１２１に隣接して延びることができ、他方の側では、リセス１７１ａ、１７１ｂは、インターフェース構造体１０５の個々の側面１３９の内壁面によって区切られ得る。リセス１７１ａ、１７１ｂは更に、一方の側において、インターフェース構造体１０５が突出する容器１０３の側面１１３と、反対側で遠位側１３７の内壁面とによって区切られ得る。
【０１１６】
液体インターフェース１１５及びニードル受容チャネル部分１２１は、インターフェース構造体１０５の中心平面ＣＰから横方向にオフセットされることができ、（例えば、図２４及び図２５を参照）、それによって、より小さい及びより大きいリセス１７１ａ、１７１ｂそれぞれが、インターフェース１１５及びニードル受容チャネル部分１２１の両側に設けられる。１つのキーペンは、他のキーペンよりも液体チャネルからより大きい距離離れて延びることができ、この場合、集積回路が前記１つのキーペンと液体チャネルとの間に延びる。一例において、より大きなリセス１７１ｂは、液体インターフェース１１５に対して中心平面ＣＰの他方の側で延びる集積回路コンタクトパッド１７５を収容する。リセス１７１ｂは、パッド１７５が一部分である集積回路１７４全体を収容することができる。集積回路１７４は、マイクロコントローラ又は他のカスタマイズされた集積回路であることができる。集積回路コンタクトパッド１７５は、インターフェース構造体１０５の遠位側１３７の内壁部分上を、第２及び第３のインターフェース寸法ｄ２、ｄ３に平行な平面において、第３のインターフェース寸法ｄ３と平行な軸に沿って延びることができる。遠位側１３７は、集積回路１７４のための支持壁部分を含む。集積回路コンタクトパッド１７５は、液体チャネル１１７と個々のキーペン１６５との間に延びることができる。供給装置１０１の装着中、集積回路コンタクトパッド１７５用のデータコネクタ１７３は、ニードル受容チャネル部分１２１と個々のリセス１７１ｂにより収容された個々のキーペン１６５との間に、個別のより大きなリセス１７１ｂへ入れることができる。
【０１１７】
キーペン１６５は、第２のインターフェース寸法ｄ２に沿った方向、例えばその長手方向軸Ｃｋに沿った方向において細長い形状を有することができ、リセス１７１ａ、１７１ｂの基部１６９から突出している。一例において、基部１６９からの突出の範囲ＫＬは、（i）液体ニードルの所望の挿入長さ、（ii）データコネクタ１７３の挿入長さ、及び（iii）アクチュエータを十分にトリガするためのアクチュエータの押し長さに基づくことができる。一例において、キーペン１６５は、液体出力縁部１１６を越えることなく、第２のインターフェース寸法ｄ２に沿って、個々のリセス１７１ａ、１７１ｂ内に突出し、それにより、ペン１６５の作動表面領域１６８は、液体出力縁部１１６とほぼ同じレベルであることができる。一例において、各突出するキーペン１６５は、液体チャネル１１７に隣接する壁１１７ｂと、側面１３９を画定する壁との間の個々のリセス１７１ａ、１７１ｂに収容される。第２のインターフェース寸法ｄ２に沿ったインターフェース前面１５４と基部１６９との間のリセス１７１ａ、１７１ｂの深さは、基部１６９とキーペン１６５の遠位作動表面領域１６８との間で測定されるようなキーペン１６５の長さとほぼ同じであることができる。一例において、リセス１７１ａ、１７１ｂに沿って延びる壁の幾つかは、例えば、落下による損傷に対して、突出するキーペン１６５を機械的に保護することができる。
【０１１８】
キーペン１６５は、基部１６９と作動表面領域１６８との間で、少なくとも約１０ｍｍ、少なくとも約１２ｍｍ、少なくとも約１５ｍｍ、少なくとも約２０ｍｍ、又は少なくとも約２３ｍｍの長さＫＬを有することができる。それに応じて、キーペン１６５の基部１６９は、第２のインターフェース寸法ｄ２に沿って測定されるように、液体インターフェース１１５の外縁１１６から後方に少なくとも前記長さＫＬだけ延びることができる。図示された例において、キーペン１６５の作動表面領域１６８は、第２のインターフェース寸法ｄ２に沿って測定されるように、液体インターフェース縁部１１６までおおよそ延びているが、液体インターフェース縁部１１６を越えて延びることはなく、又は例えば、縁部１１６の１ｍｍ、２ｍｍ、３ｍｍ又は５ｍｍ短いところまで延び、又は縁部１１６を超えて延びない。他の例において、キーペンの遠位作動表面領域１６８は、主液体流れ方向ＤＬ又は第２のインターフェース寸法ｄ２に沿って測定されるように、液体インターフェース１１５の外縁１１６から３ｍｍより遠くへ又は５ｍｍより遠くへ突出しないが、さらに他の例において、キーペンは、液体インターフェース１１５を超えて５ｍｍ、１０ｍｍ又は１５ｍｍを上回って延びることができる（例えば、図３７Ａを参照）。
【０１１９】
一例において、リセス１７１ａ、１７１ｂは、側面１３９、支持壁１３７ａ、液体チャネル１１７を画定し、又は液体チャネル１１７に平行で液体チャネル１１７に隣接する壁１１７ｂ、及び支持壁１３７ａとは反対側の個別の容器側部１１３により、画定される。側面１３９及び支持壁１３７ａは、保護のためにキーペン１６５に沿って、例えば、少なくとも遠位作動表面領域１６８まで、又は遠位作動表面領域１６８の後の少なとも約５ｍｍまで延びることができる。
【０１２０】
異なる例示的な供給装置１０１において、容器１０３は、キーペン１６５の長さＫＬに沿って広がり、遠位作動表面領域１６８を越え、液体インターフェース縁部１１６及びキーペン１６５を越え、例えば、図８に示されるように、突出長さＰＰにわたって、インターフェース構造体１０５を越えて主液体流れ方向ＤＬにおいて突出する。
【０１２１】
図２２は、インターフェース構造体１０５及び容器１０３の一例の横断斜視図を示す。ここで図２２に関連して説明される詳細の一部に関して、図５、図６、図８、図９及び図４１も参照され得る。図示された例において、リザーバ１３３、支持構造体１３５及びインターフェース構造体１０５は、それらの個々の個別の製造後に一緒に組み立てられる別個に製造された構成要素である。例示的な供給装置１０１は、比較的環境に優しい材料および構造を使用することを容易にすることができる。同時に、供給装置１０１及び受容ステーションは、複数の異なる印刷プラットフォームで実施され得る。供給装置１０１は、例えば、押し−押し動作によって、受容ステーションに対する比較的ユーザフレンドリーな取り付け及び取り外しを提供することができる。
【０１２２】
一例において、支持構造体１３５は、ボール紙、又は他のセルロース系材料、例えば、約２ｍｍ以下、又は１ｍｍ以下の厚さの波形要素を有するＦフルートの段ボール紙から作成される。
【０１２３】
支持構造体１３５は、リザーババッグを支持して保護するために、一般的にボックス形状の折り曲げられるボール紙（カートン）構造体を含むことができ、並びに説明、指示、広告、図面、ロゴなどをその外面に提供することができる。支持構造体１３５は、衝撃によって及び／又は輸送中のようなリザーバ１３３の漏れに対する保護を提供することができる。支持構造体１３５は、全般的に直方体であることができ、ボール紙の壁によって画定された６つのほぼ長方形の側面を含み、それにより、少なくともインターフェース構造体１０５が突出する側面１１３は、液体がリザーバ１３３から支持構造体１３５及びインターフェース構造体１０５を通って流れることを可能にする開口１１３Ａを含むことができる。開口１１３Ａは、第１の前述の側面１１３とほぼ直角をなす第２の側面１２５に隣接して設けることができる。図示された例のいくつかにおいて、開口１１３Ａは、後壁に近い底壁に設けられ、それによりインターフェース構造体が、裏面に近い容器底部から突出することが可能になり、それによって、容器容量は、主液体流れ方向ＤＬに沿って、液体の流出の主方向において、液体インターフェースを越えて突出することができる。支持構造体１３５は、例えば、裏面に、前記第２の側部１２５上に又は前記第２の側部１２５に沿ってそれぞれ押し表示を含み、供給装置１０１を取り付ける及び／又は取り外すためにその側部１２５を押すように操作者に指示することができる。
【０１２４】
一例において、リザーバ１３３は、フレキシブルなフィルム壁のバッグを含み、当該壁は、ガス（気体）、蒸気および／または液体のような流体の移動を阻止するプラスチックフィルムを含む。一例において、多層薄膜プラスチックの積層品（貼り合わせシート）が使用され得る。薄膜材料は、プラスチック材料の使用を低減し、結果として、潜在的な環境影響を低減することができる。更なる例において、金属薄膜が、不浸透性を高めるために複数の層に含められ得る。フレキシブルなフィルムリザーバ壁は、ＰＥ、ＰＥＴ、ＥＶＯＨ、ナイロン、マイラー（登録商標）、又は他の材料のうちの少なくとも１つを含むことができる。
【０１２５】
異なる例において、本開示のリザーバ１３３は、少なくとも５０ｍｌ、９０ｍｌ、１００ｍｌ、２００ｍｌ、２５０ｍｌ、４００ｍｌ、５００ｍｌ、７００ｍｌ、１Ｌ、２Ｌ、３Ｌ、５Ｌ、又はそれより多い印刷液体を保持することを容易にすることができる。異なる容量の容器１０３の間で、同じ最大液体容積容量を有する同じリザーバ１３３が、異なる支持構造体１３５及び／又は供給装置１０１の異なる液体容積に使用され得る。
【０１２６】
リザーバ１３３は、インターフェース構造体１０５に流体接続するために、フレキシブルなバッグの残りの部分よりも剛性の比較的剛性の相互接続要素１３４を含むことができ、リザーバ１３３内の液体を受容ステーションに流すことを可能にする。図２２の例示された例において、相互接続要素１３４は、液体がリザーバ１３３から流出することができる中央出力チャネルを含むリザーバの首部であることができ、首部は、開口１１３Ａの縁部における個々の支持構造体壁、並びに液体チャネル１１７に液体を導くための中央チャネルに対する取り付けを容易にするために、当該中央出力チャネルから外方に延びるフランジを含む。相互接続要素１３４は、インターフェース構造体１０５の液体チャネルのリザーバ接続部分１２９に、例えば、第１のインターフェース寸法ｄ１を越えて（即ち、インターフェース構造体１０５の外形高さを超えて）支持構造体１３５へ延びるリザーバ接続部分１２９の突出部分に接続することができる。
【０１２７】
相互接続要素１３４は、リザーバ１３３、支持構造体１３５、及びリザーバ接続液体チャネル部分１２９の相互接続を容易にすることができる。異なるフランジは、異なる構成要素に接続することができる。例えば、相互接続要素１３４の第１のフランジは、リザーバ１３３に接続することができ、第２のフランジは、支持構造体１３５に接続することができる。一例において、リザーバは、一方のフィルム層がフランジの一方の側の上に取り付けられ、他方のフィルム層がフランジの他方の側の上に流体密封の態様で取り付けられるフィルム積層体を含む。フィルム層はフランジに溶接される場合がある。機械的接続構造体１０６が、リザーバ１３３及び支持構造体１３５をリザーバ接続液体チャネル部分１２９にクランプ留めする、例えば相互接続要素１３４のフランジと機械的接続構造体１０６の楔形アームとの間でクランプ留めするために設けられることがき、それにより機械的接続構造体１０６のアームが、液体チャネル部分１２９を接続する管状リザーバの周りに延び、相互接続要素１３４のフランジとその楔との間でリザーバ及び支持構造体壁をクランプ留めすることができる。
【０１２８】
リザーババッグは、例えば、図４１に関連して看取され得るように、液体インターフェース縁部１１６を越えて支持構造体１３５の突出部分１２３内に突出することができる。例えば、第２の容器寸法Ｄ２に沿ったリザーバの長さの６０％、７０％、８０％又は９０％を上回るリザーバ部分が、リザーバ１３３の動作状態および少なくとも部分的に充填された状態で、相互接続要素１３４から離れるように突出する。その目的で、相互接続要素１３４は、例えば、非充填および平坦なリザーババッグの縁部または隅部の近くで、非対称位置でリザーバ内に設けられ得る。
【０１２９】
インターフェース構造体１０５は、比較的剛性のある成形プラスチックからなる。インターフェース構造体の壁は、ガス（気体）、蒸気および／または液体のような流体の移動を阻止することができ、その結果、別個のリザーバ及びインターフェース構造体は一緒になって、比較的流体密封な液体供給システムを形成することができる。基部１６９、裏面１２６、及び側壁１３９、１３７のような、インターフェース構造体１０５の大部分は、非ガラス繊維リサイクルＰＥＴのようなリサイクル繊維充填プラスチック材料から作成され得る。一例において、非ガラス充填は、液体チャネル１１７におけるシール１２０の良好な保持を提供する。例えば、キーペン１６５及び例示的な別個の機械的接続構造体１０６（図４０）は、ガラス繊維充填プラスチックから作成され得る。
【０１３０】
インターフェース構造体およびリザーバの材料は、流体に対して比較的不浸透性であることができるが、実際には、様々な理由で、時間が経つにつれて、幾らかの流体が、リザーバ及びインターフェース構造体の壁を通って移動する場合がある。それに応じて、特定の限定された保存可能期間が、供給装置１０１に関連付けられ得る。例えば、材料の選択は、特定の最小保存可能期間を維持しながらリザーバ薄膜の厚さを減少させることに基づくことができる。一例において、インターフェース構造体１０５とリザーバ１３３との間で組み立てられる使用法において、リザーバ１３３から分離した相互接続要素１３４は、異なる材料からなるインターフェース構造体１０５及びリザーバ１３３に対する相互接続要素１３４の取り付けを容易にするために、例えば、溶接および接着の両方を容易にするために、インターフェース構造体１０５及びリザーバ１３３よりも流体浸透性がある場合がある。
【０１３１】
インターフェース構造体１０５の液体スループット１１１及びその主液体流路ＬＦＰが図２２に示される。液体流路ＬＦＰの流れの主方向は、前述されたように容器およびインターフェース構造体１０５から外へであるが、特定の例において、液体流路ＬＦＰに関連する双方向流路、又は対向する流れが存在する場合があり、この場合、２つの液体チャネル１１７が存在する。主液体流路ＬＦＰに沿った流れの主方向の上流において、インターフェース構造体１０５は、例えば、リザーバ１３３の相互接続要素１３４と位置合わせされた液体チャネル入力１２４を設けられ、液体受容チャネル部分１２９の一部として、リザーバ１３３から液体を受け取ることができる。その入力１２４の下流において、供給装置１０１の液体チャネルは、中間チャネル部分１１９が後続するリザーバ接続チャネル部分１２９の残部、ニードル受容チャネル部分１２１、及び液体インターフェース１１５を含む。図示された例において、中間液体チャネル部分１１９は、（i）第１及び第２のインターフェース寸法ｄ１、ｄ２に平行な面内で、リザーバ接続部分１２９及びニードル受容部分１２１との間の角度β、及び（ii）第３のインターフェース寸法ｄ３に沿ったリザーバ接続部分１２９とニードル受容部分１２１との間の横方向のオフセットを容易にする。
【０１３２】
ニードル受容チャネル部分１２１は、液体インターフェース１１５を介して挿入される際に、受容ステーションの直線状の流体ニードル１０９を受容するように適合される。ニードル受容部分１２１は、リザーバ接続部分１２９と或る角度をなし、液体がリザーバ１３３からインターフェース構造体１０５へ最初に流れて、次いで、液体チャネル１１７の液体入力１２４に向かって曲線に沿って流れることを可能にする。リザーバ接続チャネル部分１２９及びニードル受容チャネル部分１２１の中心軸間の角度βは、図２３に図式的に示されたように、第３のインターフェース寸法ｄ３に沿った方向において看取されるように、ほぼ垂直である場合がある。例えば、下方に突出するインターフェース構造体１０５を有するほぼ水平に装着された供給装置において、リザーバ接続部分１２９は、ほぼ垂直な中心軸を有し、ニードル受容部分１２１は、ほぼ水平な中心軸を有することができる。他の例において、角度βは、ニードル受容液体チャネル部分１２１に対してリザーバ接続部分の潜在的に異なるように傾斜した中心軸１２９ａ、１２９ｂを示す、点線１２９ａ、１２９ｂにより示されるように、例えば４５度と１３５度との間で異なることができる。リザーバ接続液体チャネル部分１２９は、インターフェース構造体１０５から突出して、リザーバ１３３に接続することができる。
【０１３３】
更なる例において、ニードル受容部分１２１は、図２２及び図２４で看取され得るように、第３のインターフェース寸法ｄ３の方向に沿って、リザーバ接続部分１２９から横方向にオフセットされている。例えば、ニードル受容チャネル部分１２１及びリザーバ接続チャネル部分１２９の中心軸は、それぞれ異なる基準平面Ｃ１２１、ＣＰ内に延びており、これらの平面Ｃ１２１、ＣＰのそれぞれは、（i）第１及び第２のインターフェース寸法ｄ１、ｄ２に平行であり、及び（ii）互いに対してオフセットされている。例えば、当該平面Ｃ１２１とＣＰとの間で測定されたような、チャネル部分１２１、１２９の横方向オフセット距離は概算的に、リザーバ接続チャネル部分１２９及びニードル受容チャネル部分１２１のチャネル半径の合計であることができる。図示された例において、リザーバ接続チャネル部分１２９の中心軸は、インターフェース構造体１０５の中心平面ＣＰ内にほぼ延びており、この場合、ニードル受容チャネル部分１２１は、インターフェース構造体１０５の中心平面ＣＰに対してオフセットしており且つ平行である。
【０１３４】
中央平面ＣＰに対してニードル受容チャネル部分１２１を中心からずらすことは、ニードル受容チャネル部分１１７に隣接するより大きなリセス１７１ｂを容易にし、そして次に集積回路およびコンタクトパッド１７５及び個々のキーペン１６５を収容することを容易にし、データコネクタ１７３及びキースロットハウジング構成要素１７０の対応する挿入を容易にする。集積回路コンタクトパッド１７５及び液体インターフェース１１５は、中心平面ＣＰの横方向に異なる側に配置され得る。
【０１３５】
インターフェース構造体１０５内の異なるインターフェース構成要素の寸法、位置および向き（配向）の説明された態様は、例えば、比較的小さな第１及び第３のインターフェース寸法ｄ１、ｄ３を有する比較的小さな幅および低い高さの外形のインターフェース構造体１０５を容易にすることができ、その結果として、比較的広い範囲の異なる容器の液体容量および異なる印刷システムとの適合性（互換性）を容易にすることができる。例えば、インターフェース構造体１０５の突出部分の第１の寸法ｄ１対第３の寸法ｄ３（例えば、高さ対幅）のアスペクト比はそれぞれ、２：３未満、又は３：５未満、又は２：５未満、又は３：１０未満、例えば約１．３：４．８であることができる。例えば、インターフェース構造体１０５の突出部分の第１の寸法ｄ１：第２の寸法ｄ２（例えば、高さ：長さ）のアスペクト比はそれぞれ、２：３未満、又は３：５未満、又は２：５未満、又は３：１０未満、例えば約１．３：４．３であることができる。一例において、前記第１の寸法ｄ１は、約１０ｍｍ〜１５ｍｍである。インターフェース構造体１０５の突出部分の比較的小さい第１の寸法ｄ１は、５００ｍｌを上回るような比較的大容量の容器１０３、並びに例えば約１００ｍｌ以下のような比較的小さい容量の容器の双方に取り付けるためにインターフェース構造体１０５を接続することを容易にすることができる。リザーバ容量は、少なくとも５０ｍｌ、９０ｍｌ、１００ｍｌ、２００ｍｌ、２５０ｍｌ、４００ｍｌ、５００ｍｌ、７００ｍｌ、１Ｌ、２Ｌ、３Ｌ、５Ｌなどを含むことができる。
【０１３６】
また、小さなインターフェース寸法ｄ１は、供給装置１０１の比較的効率的な積み重ね及び輸送を容易にすることができる。特定の例において、容器１０３の第１の寸法Ｄ１：ｄ１対インターフェース構造体１０５の突出部分の比は、５：１を上回る、６：１を上回る、又は７：１を上回ることができる。
【０１３７】
図２４及び図２５はそれぞれ、水平断面図および正面図においてインターフェース構造体１０５の例を示す。図２４は、仮想基準平面Ｐ１、Ｐ２、Ｐ３、Ｐ４を示し、各平面Ｐ１、Ｐ２、Ｐ３、Ｐ４が、第１及び第３のインターフェース寸法ｄ１、ｄ３に平行であり、前面１５４から裏面１２６又はインターフェース構造体１０５までの第２の寸法ｄ２に沿って互いに対してオフセットされている。これらの仮想平面Ｐ１、Ｐ２、Ｐ３、Ｐ４のうちの１つ又は複数を使用して、インターフェース構造体１０５の異なるインターフェース構成要素の相対的な位置および形状を説明することができる。
【０１３８】
図２４の図示された例において、第１の平面Ｐ１は、インターフェース前面１５４及びキーペン１６５のうちの少なくとも１つと接線方向に接触または交差する。一例において、インターフェース前面１５４は、ほぼ直線状の表面を含み、それにより当該表面が第１の平面Ｐ１にほぼ平行に延び、第１の平面Ｐ１がインターフェース前面１５４に接触する。更なる例において、第１の平面Ｐ１は、その遠位の作動表面領域１６８の近くに又は当該領域１６８を通り抜けて、キーペン１６５と交差または接触する。別の例において、キーペンは、インターフェース前面１５４を越えて突出する延長されたペン部分を含むことができ、それにより第１の平面Ｐ１は当該延長されたペン部分と交差する。更に別の例において、キーペンは、インターフェース前面１５４の手前で止まり、それにより第１の平面Ｐ１はキーペンに接触または交差しない。図示された例において、第１の平面Ｐ１は、集積回路コンタクトパッド１７５に接触または交差しないが、別の例では、コンタクトパッド１７５は、多少移動することができ、第１の平面Ｐ１は、コンタクトパッド１７５に接触または交差することができる。
【０１３９】
第２の平面Ｐ２は、第１の平面Ｐ１と平行に設けられ、ニードル挿入方向ＮＩに沿って前面１５４から離れている。例えば、第２の平面Ｐ２は、インターフェース前面１５４及び／又はキーペン作動表面領域１６８から少し離れて（或る距離の所に）設けられる。第２の平面Ｐ２は、第３のインターフェース寸法ｄ３に沿って、図中左から右に向かって、横方向側壁１３９、支持壁１３７ａ、リセスのうちの１つ１７１ｂ、キーペン１６５の１つ、集積回路コンタクトパッド１７５のアレイ、ニードル受容液体チャネル部分１２１（例えば、シール１２０を含む）、リセスのうちの別の１つ１７１ａ、キーペン１６５の別の１つ、及び横方向側壁１３９の別の１つと交差する。一例において、横方向側壁１３９は、横方向ガイド特徴要素１３８を含み、第２の平面Ｐ２は、これら横方向ガイド特徴要素１３８と交差する。別の例において、支持壁１３７ａは、中間ガイド特徴要素１４０（図２４において見ることができない）を含み、第２の平面Ｐ２は当該中間ガイド特徴要素１４０と交差する。中間ガイド特徴要素１４０は、第１のリセス１７１ａの下に及び第２のリセス１７１ｂとは反対側の液体スループット１１７に隣接して設けられ得る。前記インターフェース特徴要素の大部分または全ては、単一の成形されたモノリシックのインターフェース構造体１０５の一体的に成形された部分であることができる一方で、例えば、キーペン１６５及びシール１２０は、別個のプラグイン構成要素を形成する場合があるが、ペン１６５は、残りの部分と一体的に成形され得る。集積化されたコンタクトパッド１７５は、特定の印刷関連機能を格納および制御する集積回路の別個の素子の一部を形成することができ、当該集積回路は、第２のリセス１７１ｂにおいて、インターフェース構造体１０５の支持壁１３７ａの内面に別個に付着される。使用中、コンタクトパッドの接触面は、容器１０３に面しており、コンタクトパッド１７５は、液体チャネル１１７とキーペン１６５の１つとの間で支持壁１３７ａの内側で個別のリセス１７１ｂ内に配置される。集積回路１７４は、例えば回路の支持基板を支持壁１３７ａに付着することにより、一体成形されたモノリシック構造に別個に組み付けられ得る。
【０１４０】
第３の平面Ｐ３は、第２の平面Ｐ２と平行に設けられ、ニードル挿入方向ＮＩに沿って第２の平面からオフセットされ、第２の平面Ｐ２よりもインターフェース前面１５４から更に間隔をあけられ、第３のインターフェース寸法ｄ３に沿って、図中左側から右側へ、クリアランス１５９、リセスのうちの１つ１７１ｂ、キーペン１６５の１つ、液体チャネル１１７（例えば、ニードル受容チャネル部分１２１）、リセスのうちの別の１つ１７１ａ、キーペン１６５の別の１つ、及び別のクリアランス１５９と少なくとも交差する。第３の平面Ｐ３は、横方向側壁１３９及び支持壁１３７ａの一部と交差することができる。例えば、第３の平面Ｐ３は、集積回路コンタクトパッド１７５から少し離れて設けられる。また、第３の平面Ｐ３は、シール１２０から少し離れて設けられてもよい。一例において、横方向側壁１３９は、横方向ガイド面１４１、１４５を含み、第３の平面Ｐ３は、これらの横方向ガイド面１４１、１４５と交差し、この場合、横方向ガイド面は、本開示の他の箇所で説明されるように、第１及び第２の横方向ガイド面１４１、１４５を含むことができる。別の例において、支持壁１３７は、中間ガイド特徴要素１４０（図２４において見ることができない）を含み、第３の平面Ｐ３は、中間ガイド特徴要素１４０と交差する。中間ガイド特徴要素１４０は、液体スループット１１７に隣接して及び第１のリセス１７１ａの下に設けられ得る。他の例において、２つのクリアランス１５９のうちの１つのみが設けられる、又は２つのクリアランス１５９の１つも設けられない。
【０１４１】
図２４に示されるように、中心平面ＣＰは、第３のインターフェース寸法ｄ３の中点を通ってインターフェース構造体１０５と交差することができ、第１及び第２のインターフェース寸法ｄ１、ｄ２と平行に延びることができる。また、中心平面ＣＰは、第３の容器寸法Ｄ３の中点を通って容器１０３と交差することができる。中心平面ＣＰは、インターフェース前面１５４及び液体インターフェース１１５と交差することができる。集積回路コンタクトパッド１７５は、中心平面ＣＰの一方の側に設けられることができ、ニードル受容液体チャネル部分１１７及び液体インターフェース１１５は、中心平面ＣＰの他方の側に設けられる。キーペン１６５は、中心平面ＣＰの両側に設けられ得る。集積回路コンタクトパッド１７５を収容する第２のリセス１７１ｂは、第１のリセス１７１ａよりも大きい。中央平面ＣＰは、第２のリセス１７１ｂの大部分が第１のリセス１７１ａに対して中心平面ＣＰの反対側に延びるように、第２のリセス１７１ｂの一部と交差することができる。
【０１４２】
第４の仮想平面Ｐ４は、第３の面Ｐ３と平行に設けられ、ニードル挿入方向ＮＩに沿って前面１５４からさらに離されている。第４の平面Ｐ４は、第３のインターフェース寸法ｄ３に沿って、横方向側壁１３９、支持壁１３７ａ、及び液体チャネル１１７のリザーバ接続部分１２９と交差する。更なる例において、第４の平面Ｐ４は、液体チャネル１１７の中間部分１１９とも交差する。液体チャネル１１７のリザーバ接続部分１２９は、第１のインターフェース寸法ｄ１に平行な第２の中心軸の周りに、少なくとも部分的に円筒状の壁（例えば、図２６を参照）を含むことができ、当該中心軸は、図２４において、中央平面ＣＰと第４の平面Ｐ４との交線によって示される。第４の平面Ｐ４は、基部壁１６９に沿って、例えば基部壁１６９から約０〜５ｍｍ又は０〜３ｍｍの所で基部壁１６９の近くに延びることができる。第４の平面Ｐ４は、コンタクトパッド１７５、シール１２０およびクリアランス１５９から少し離れて設けられ得る。
【０１４３】
また、図２４は、第２及び第３のインターフェース寸法ｄ２，ｄ３に沿って、インターフェース構造体１０５の全般的に長方形の輪郭も示す。全般的に長方形の輪郭は、遠位側１３７の前縁、裏面１２６、及び２つの対向する側面１３９によって画定され得る。遠位側１３７の前縁および／または裏面１２６は、第３のインターフェース寸法ｄ３とほぼ平行なほぼ直線状の外縁または表面を含むことができる。側面１３９は、第１の横方向ガイド面１４１のような、第２のインターフェース寸法ｄ２にほぼ平行なほぼ直線状の縁部または表面を含むことができる。長方形の輪郭の広がりは、第３のインターフェース寸法ｄ３に沿って約５ｃｍ以下、及び／又は第２のインターフェース寸法ｄ２に沿って約６ｃｍ以下、例えば、それぞれ４８ｍｍ及び４３ｍｍであることができる。
【０１４４】
図２５は、仮想基準平面Ｐ５、Ｐ６、Ｐ７、Ｐ８、Ｐ９のそれぞれにより交差された図２４の例示的なインターフェース構造体１０５を示し、当該仮想基準平面Ｐ５、Ｐ６、Ｐ７、Ｐ８、Ｐ９は、第２及び第３のインターフェース寸法ｄ２、ｄ３にそれぞれ平行であり、且つインターフェース構造体１０５の突出方向（即ち各平面がインターフェース構造体１０５の遠位側１３７に近づく）において、第１の寸法ｄ１に沿って互いにオフセットされている。遠位側１３７に向かう方向において、平面はそれぞれ、第５の平面Ｐ５、第６の平面Ｐ６、第７の平面Ｐ７、第８の平面Ｐ８、及び第９の平面Ｐ９をそれぞれ含む。
【０１４５】
第５の平面Ｐ５は、インターフェース前面１５４の縁部１５４ｂと、例えば液体チャネル１１７の突出するリザーバ接続部分１２９と交差する。例えば、第５の平面Ｐ５は更に、横方向側壁１３９、リセス１７１ａ、１７１ｂ、及びリセス１７１ａ、１７１ｂ及びキー１６５の基部１６９の少なくとも１つと交差することができる。第５の平面Ｐ５は、第１の横方向ガイド面１４１、１４１ｂと、例えば、外側第１横方向ガイド面１４１と交差することができる。第５の平面Ｐ５は、キーペン１６５から少し離れて、例えば少なくともキーペン１６５の作動表面領域１６８から少し離れて、及び／又は液体インターフェース１１５の縁部１１６から少し離れて、延びることができる。
【０１４６】
第６の平面Ｐ６は、横方向側壁１３９、リセスのうちの１つ１７１ａ、キーペンの基部１６９、キーペン１６５の１つ、液体インターフェース１１５及び／又はニードル受容部分１２１の中心軸から少し離れたニードル受容液体チャネル部分１２１、その中心軸より上のシール１２０、第２のリセス１７１ｂ、別のキーペンの基部１６９、他方のキーペン１６５、及び他方の横方向側壁１３９と交差する。前記中心軸は、シール１２０の中央において、前記図面内へ直線状に延びることができる。図示された例において、第６の平面Ｐ６は、キーペン１６５の長さに沿ってキーペン１６５の中央を通ってキーペン１６５の基部１６９と直角をなして延びるそれらの中心軸Ａｋを通って、キーペン１６５と交差する。第６の平面Ｐ６は、第１の横方向ガイド面１４１、１４１ｂと、例えば内側第１横方向ガイド面１４１ｂ及び／又はクリアランス１５９及び／又は当たり止め１６３と交差することができる。
【０１４７】
第６の平面Ｐ６から少し離れた第７の平面Ｐ７は、横方向側壁１３９、リセスのうちの１つ１７１ａ、キーペンの基部１６９、キーペン１６５の１つ、液体インターフェース１１５の中心軸と液体チャネル１１７のニードル受容部分１２１、第２のリセス１７１ｂ、別のキーペンの基部１６９、別のキーペン１６５、及び他方の横方向側面１３９と交差する。第７の平面Ｐ７は、第１の横方向ガイド面１４１、１４１ｂ、例えば内側第１横方向ガイド面１４１ｂ、及び／又はクリアランス１５９及び／又はフック当たり止め１６３と交差することができる。第７の平面Ｐ７は、キーペン１６５の中心軸から少し離れて延びることができる。第５、第６、第７の平面Ｐ５、Ｐ６、Ｐ７は、集積回路コンタクトパッド１７５から少し離れて延びる。
【０１４８】
他の例において、キーペン１６５は、キーペン１６５が図面において現在配置されている態様に比べて、図２５の図で下方に移動することができ、その結果、キーペン１６５の中心軸Ａｋは、液体インターフェース及びニードル受容チャネル部分の中心軸と交差する平面と（i）同じ平面により、又は（ii）当該平面の他の側の平面により交差される。第１の例において、キーペン及び液体インターフェースの中心軸は、第１のインターフェース寸法ｄ１に沿って同じレベルにある。
【０１４９】
第７の平面Ｐ７から少し離れた第８の平面Ｐ８は、集積回路コンタクトパッドアレイ１７５及び／又は集積回路１７４の残りと交差する。第８の平面Ｐ８は、インターフェース構造体１０５の外部遠位側１３７を画定する支持壁１３７ａに隣接して、及び／又は当該支持壁１３７ａにちょうど接触して延びることができる。支持壁１３７ａは集積回路１７４を支持する。集積回路コンタクトパッド１７５は、前記第８の平面Ｐ８内に及び／又は前記第８の平面Ｐ８に平行に少なくとも概ね延びる接触面を有することができる。接触面は平坦であることができ、それにより、接触面の平面は、前記第８の平面Ｐ８内に概ね延びることができるが、理解されるように、これらの表面は実際には、厳密に平坦ではなく、その結果、第８の平面Ｐ８からの接触面の一部の若干のずれが考慮され得る。一例において、集積回路コンタクトパッド１７５は、内側支持壁１３７ａの比較的浅い切り欠きに設けられた回路の一部であり、それにより、第８の平面Ｐ８も、コンタクトパッド１７５の側面で支持壁１３７と交差または接触することができる。第８の平面Ｐ８は、キーペン１６５から少し離れて延びることができる。液体インターフェース縁部１１６のサイズと形状に応じて、第８の平面Ｐ８は、液体インターフェース縁部１１６とほぼ接線方向に接触または交差することができ、或いはその縁部１１６からわずかに離れることができる。第８の平面Ｐ８は、側面１３８と交差する。第８の平面Ｐ８は、中間ガイドスロット１４４に沿って延びる及び当該中間ガイドスロット１４４を部分的に画定する壁またはリブ１４４ｂと交差することができ、当該壁またはリブ１４４ｂは、個別のリセス１７１ａ内へ突出する。
【０１５０】
第９の平面Ｐ９は、第８の平面Ｐ８に近接して延び、コンタクトパッド１７５から少し離れて支持壁１３７ａと交差し、それにより、壁１３７ａは、集積回路コンタクトパッド１７５及び／又は集積回路１７４を支持し、遠位側１３７を画定する。第９の平面Ｐ９は、ここでガイドスロット１４４によって具体化される中間ガイド特徴要素１４０と交差することができる。第９の平面Ｐ９は、キーペン１６５、液体インターフェース縁部１１６、及びニードル受容液体チャネル部分１２１から少し離れて延びる。第９の平面Ｐ９は、インターフェース構造体１０５の遠位側１３７の外面に隣接して延びる。
【０１５１】
図示されたように、インターフェース構造体１０５は、インターフェース構造体１０５の第２及び第３の寸法ｄ２、ｄ３に平行な一連の仮想平面Ｐ５〜Ｐ９によって画定されることができ、（i）液体インターフェース１１５、並びに液体インターフェース１１５の両側にあるリセス１７１ａ、１７１ｂ及び個々のキーペン１６５と交差する中間平面Ｐ６又はＰ７、（ii）中間平面Ｐ６に平行であり、インターフェース構造体１０５の突出方向において中間平面Ｐ６からオフセットされた第１のオフセット平面Ｐ８、Ｐ９であって、当該第１のオフセット平面Ｐ８、Ｐ９は、集積回路および／または集積回路コンタクトパッドアレイ１７５を支持する支持壁１３７ａと交差し、前記コンタクトパッドアレイは、その平面Ｐ８、Ｐ９及び第３のインターフェース寸法ｄ３と平行なラインに沿って延びており、及び（iii）中間平面Ｐ６又はＰ７に平行であり、且つインターフェース構造体１０５の突出方向に反対の方向において中間平面Ｐ６又はＰ７からオフセットされた第２のオフセット平面Ｐ５を含み、第２のオフセット平面Ｐ５は、液体インターフェース１１５から少し離れたインターフェース構造体１０５のインターフェース前縁１５４ｂと交差し、且つ液体供給容器１０３に接続するリザーバ接続液体チャネル部分１２９と交差する。第１のオフセット平面Ｐ８、Ｐ９及び第２のオフセット平面Ｐ５は、（i）中間平面Ｐ６又はＰ７の両側で、（ii）キーペン１６５から少し離れて、及び（iii）ニードル受容チャネル部分１２１の内壁から少し離れて、延びる。ニードル受容チャネル部分１２１の内壁は、オフセット平面Ｐ５とＰ９との間に延びる。図示された例において、オフセット平面Ｐ５、Ｐ９も、一例においてシール１２０が挿入されるインターフェース前面１５４のための縁部によって画定される液体インターフェース縁部１１６から少し離れて延びている。インターフェース構造体１０５が容器１０３に取り付けられる場合、これらの平面Ｐ５、Ｐ６、又はＰ７、Ｐ８は、インターフェース構造体１０５が突出する容器側部１１３に対して平行に延びることができる。説明されたように、インターフェース構造体１０５は、比較的薄い外形からなることができ、それにより、対向するオフセット平面Ｐ５とＰ９との間の距離は、インターフェース構造体１０５の突出部分の高さに対応することができる第１のインターフェース寸法ｄ１の範囲にほぼ対応する、約２０ｍｍ未満、約１５ｍｍ未満、約１３ｍｍ未満、又は約１２ｍｍ未満であることができる。更なる例において、中間平面Ｐ６又はＰ７は、クリアランス１５９及び／又は当たり止め１６３及び／又は横方向ガイド特徴要素１３８と交差する。オフセット平面Ｐ５、Ｐ９は、クリアランス１５９から少し離れて設けられ得る。
【０１５２】
図２６は、別個のインターフェース構造体１０５を示す。インターフェース構造体１０５は、単一の比較的剛性の成形プラスチック基盤構造体１０５−１を含み、それにより例えば、キーペン１６５及びシール１２０はそれぞれ、例えば対応する相補的な穴およびチャネルに差し込まれる別個の構成要素であることができる。更に別個の構成要素は、リザーバ１３３に接続するためのチャネルコネクタ部品１８１のような比較的剛性のある単一の成形プラスチック構造体に組み付けられ得る。
【０１５３】
看取され得るように、側面１３９は、第１の寸法ｄ１の方向において支持壁１３７ａから突出する。支持壁１３７ａの外側は、本開示の他の箇所で遠位側１３７と呼ばれる。説明された突出構成要素は、外側１３７とは反対側の内側から突出する。支持壁１３７ａ及びその外側１３７は一般に、第２及び第３のインターフェース寸法ｄ２、ｄ３と平行に延びる。液体チャネル１１７は、第２のインターフェース寸法ｄ２に沿って、第１のインターフェース寸法ｄ１の方向において支持壁１３７ａから突出する突出構造体の一部であることができ、当該構造体は、管状の液体チャネル壁１１７ｂ、及び前面押し領域１５４ａ及び液体インターフェース１１５を画定するブロックを含む。液体チャネル１１７の前記構造体は、リセス１７１ａと１７１ｂとの間に延びる。また、リセス１７１ａ、１７１ｂ及び／又はキーペン１６５の基部１６９ａ、１６９ｂは、第１のインターフェース寸法ｄ１の方向において壁１３７ａから突出することもできる。各リセス１７１ａ、１７１ｂは、前記液体チャネル構造体と、横方向側壁１３９と、基部１６９ａ、１６９ｂとの間に延びる。更に、後壁１５４ｄのような壁も、第１のインターフェース寸法ｄ１の方向において支持壁１３７ａから突出することもできる。
【０１５４】
リザーバ接続チャネル部分１２９は、リザーバ１３３に接続する又はリザーバ１３３に対してシールするためのチャネルコネクタ構成要素１８１を含む。リザーバ接続チャネル部分１２９は、液体リザーバ１３３に接続するために、第１の寸法ｄ１に平行な方向において、例えば主液体流れ方向ＤＬ又はニードル挿入方向ＮＩと直角をなして、突出する。リザーバ接続チャネル部分１２９は、例えば、支持構造体１３５内のリザーバ１３３への接続を更に容易にするために、その上流端部においてコネクタ構成要素１８１を有する、第１のインターフェース寸法ｄ１の内側に部分的に及び外側に部分的に延びる円筒形液体チャネルを含むことができる。図示されたように、突出するリザーバ接続チャネル部分１２９は、特定の範囲ＯＵＴだけ第１のインターフェース寸法ｄ１の範囲の外側に突出し、個別の支持構造体側部１１３における開口１１３Ａ（図２２）を通過する。
【０１５５】
他の例（図示せず）において、リザーバ接続液体チャネル部分１２９は、インターフェース構造体１０５の高さを超えて突出しなくてもよく、第１のインターフェース寸法ｄ１内に完全に延び、それにより例えば、リザーバ側の相互接続要素１３４は、液体チャネル１１７に流体的に連通するように接続するために、支持構造体の開口１１３Ａを通って、少なくとも部分的にインターフェース構造体１０５の中へ又はインターフェース構造体１０５まで延びることができる。
【０１５６】
コネクタ構成要素１８１及び／又は液体相互接続要素１３４は、図２２及び図２６の双方に示されるように、リング、首部、ネジ山などを含むことができる。コネクタ構成要素１８１及び／又は液体相互接続要素１３４は、リザーバ接続液体チャネル部分１２９及びリザーバ１３３の首部にそれぞれ接続することができる。コネクタ構成要素１８１、液体相互接続要素１３４及びリザーバ首部の内径は、対応することができる。液体相互接続要素１３４及び／又はリザーバ首部の内径は、第３の容器寸法Ｄ３に沿ったリザーバ１３３の全幅よりも小さい。例えば、内径は、リザーバ１３３の幅の半分未満であることができる。いくつかの例（図４６、図４７のような）において、リザーバ１３３の首部は、リザーバ１３３の寸法と比べて比較的小さくすることができる。
【０１５７】
第１のインターフェース寸法ｄ１は、遠位側１３７の外縁と前縁１５４ｂとの間の距離によって規定され得る。また、側面１３９の対向する縁部は、第１のインターフェース寸法ｄ１を概ね画定することができる。
【０１５８】
図２６に示されるように、単一の成形構造体は、支持壁１３７とは反対側に開くことができる。例えば、インターフェース構造体１０５のリセス１７１ａ、１７１ｂは、支持壁１３７ａとは反対側に開いており、それにより組み立てられた状態において、個別の容器側部１１３は、その開口を閉じて、支持壁１３７ａと対向するリセス壁を形成する。
【０１５９】
側壁１３９及び支持壁１３７ａは、インターフェース構造体１０５の前面１５４における縁部で終端する。当該縁部は、リセス１７１ａ、１７１ｂの入口において延び、それにより近位前縁１５４ｂ及び遠位前縁１５４ｃが、液体インターフェース１１５に隣接して設けられ得る。
【０１６０】
リセス１７１ａ、１７１ｂにはそれぞれ、個々のキーペン１６５の基部１６９ａでもあることができる基部１６９ａ、１６９ｂが設けられる。基部１６９ａ、１６９ｂは、液体チャネル壁１１７ｂと横方向側壁１３９との間に延びるリセス１７１ａ、１７１ｂの内壁を形成する。基部１６９ａ、１６９ｂは、第３のインターフェース寸法ｄ３と平行に延びることができる。基部１６９ａ、１６９ｂは、第１及び第３のインターフェース寸法ｄ１、ｄ３に平行な壁によって画定され得る。基部１６９ａ、１６９ｂは、インターフェース前面１５４に対して逆方向（主流れ方向ＤＬとは反対方向）にオフセットされ、この場合、そのオフセット距離は、キーペン１６５の長さとほぼ同じであることができる。他の例において、基部１６９ａ、１６９ｂは、図面に示されたものよりもさらに後方にオフセットされてもよく、キーペンの長さは、当該ペンの作動端部領域１６８が液体インターフェース縁部１１６とほぼ位置合わせされるように、それに応じて延ばされ得る。更なる例において、基部１６９ａ、１６９ｂは、第２のインターフェース寸法ｄ２に沿って内側方向においてインターフェース構造体１０５の後壁１５４ｄからオフセットされた内壁であることができる。後壁１５４ｄと基部１６９ａ、１６９ｂとの間に、例えば、キーペン１６５のクリックフィンガのための空間１５４ｄを設けることができる。
【０１６１】
図２７は、対応するインターフェース構造体１０５の基部壁１６９ａに取り付け可能なキーペン１６５の一例を示す。キーペン１６５は、キーペン基部１６９ｂからキーペンの作動表面領域１６８まで延びる、少なくとも約１０ｍｍ、少なくとも約１２ｍｍ、少なくとも約１５ｍｍ、少なくとも約２０ｍｍ、又は約２３ｍｍの突出長手方向キーペン部分１６５ｂを含む。使用中、突出長手方向キーペン部分１６５ｂは、キーペン基部１６９ｂから、キーペン１６５のペン軸Ｃｋに沿って突出することができ、ペン軸Ｃｋは、主液体流れ方向ＤＬと平行であることができる挿入方向において延びている。図示された例において、ペン軸Ｃｋは、キーペン基部１６９ｂと直角をなして延び、第２のインターフェース寸法ｄ２に平行である。キーペン基部１６９ｂは、キーペン１６５がインターフェース構造体１０５に取り付けられた場合に、リセス１７１ａ、１７１ｂの基部１６９ａ、１６９ｂの一部を形成することができる。
【０１６２】
本開示において、キーペンの「基部」に言及する場合、キーペンの基部は、キーペンに隣接し、且つ少なくともキーペンがその個々の基部壁に組み付けられた状態で、キーペンが突出する、任意の基部壁部分を意味する。係る基部は、一例において、キーペンの一体的に成形された部分１６９ｂであることができ、又は別の例において、キーペンから別個に成形された部分であることができる。キーペンの分解した状態では、基部は、例えば図２７に示されるように、キーペンの残りがその作動表面領域１６８に向かって突出する、分解されたキーペンの基部部分１８３を意味することができる。キーペンがリセス１７１ａ、１７１ｂの基部壁１６９と一体的に成形される例、又はキーペンが係る基部壁１６９に予め組み付けられる例では、キーペンが突出する、キーペンに隣接する任意の基部壁部分１６９、１６９ａ、１６９ｂは、キーペンの基部を画定することができる。
【０１６３】
装着時（例えば、図２１を参照）、突出長手方向キーペン部分１６５ｂは、少なくとも１０ｍｍ、１２ｍｍ、１５ｍｍ又は２０ｍｍのペン挿入距離にわたって、キースロットハウジング構成要素１７０内に少なくとも部分的に突出することができる。ペン挿入長さは、アクチュエータを作動させるのに十分であるべきである。例えば、ペン挿入長さは、伝達機構（例えば、ロッド１７９）と係合するための第１の距離（例えば、１．５ｍｍ）、及び付勢（例えば、スイッチ又はフック１６１上で作動する）のために伝達機構を更に押すための第２の距離を含む。第２の距離は、少なくとも８．５ｍｍ、少なくとも１０．５ｍｍ、少なくとも１３．５ｍｍ、少なくとも１８．５ｍｍなどであることができる。基部１６９、１６９ａ、１６９ｂと遠位の作動表面領域１６８との間のキーペン１６５の全長は、少なくともそのペン挿入距離に及ぶべきである。
【０１６４】
図２８は、インターフェース構造体１０５に挿入されたキーペン１６５の一例を示す。看取され得るように、キーペン基部１６９ｂは、使用中にインターフェース構造体１０５に挿入される基部部分１８３により画定され、長手方向キーペン部分１６５ｂの基部１６９ａ、１６９ｂを共同画定する。基部部分１８３は、長手方向軸Ｃｋに沿ってキーペン基部１６９ｂから後方に延びる実質的に円筒形、又は異なる形状であることができる。ペン軸Ｃｋは、円筒形基部部分１８３の中心を通って延びることができる。
【０１６５】
一例において、基部部分１８３及び長手方向キーペン部分１６５ｂは、一体的に成形された単一部片を形成する。基部部分１８３は、インターフェース構造体１０５の対応するペン基部穴１８５に挿入される。ペン基部穴１８５は、個々のリセス１７１の基部壁１６９ａに設けられる。基部壁１６９ａは、液体スループット１１１に隣接して延び、ニードル挿入方向に沿って液体インターフェース１１５に対してオフセットされる。図示された例において、キーペン基部１６９ｂは、周囲の基部壁１６９ａの表面とほぼ同じ高さにされ、キーペン基部１６９ｂ及び基部壁１６９ａは合わさって個々のリセス１７１ａ、１７１ｂの基部を形成する。長手方向キーペン部分１６５ｂは、概ね液体インターフェース１１５のレベルまで、例えば、第２のインターフェース寸法ｄ２に沿った液体インターフェース縁部１１６から約５ｍｍ未満、又は液体インターフェース縁部１１６とほぼレベルまで、主液体流れ方向ＤＬにおいて突出する。長手方向キーペン部分１６５ｂは、基部１６９ａからの少なくとも約１５ｍｍ、少なくとも約２０ｍｍ、又は約２３ｍｍの長さＫＬ（例えば、図２１を参照）にわたって延びることができる。インターフェース構造体１０５は、リセス基部１６９ａの中で、液体チャネル１１７の両側において対応する一対のキーペン１６５のための一対のペン基部穴１８５を含む。
【０１６６】
一例において、基部部分１８３は、供給装置１０１のインターフェース構造体１０５のペン基部穴１８５内におけるキーペン１６５の正確な位置決めを容易にするために少なくとも１つのデータム１８７を含む。キーペンデータム１８７は、基部壁１６９ａに対するキーペン１６５の回転方向を決定して固定することを容易にすることができる。そしてまた、基部１６９ａは、ペン基部穴１８５において少なくとも１つのカウンタデータム１８９を含むことができる。キーペン１６５のデータム１８７及び／又はキーペン穴１８５のカウンタデータム１８９の数は、所定の回転配向の最大数を決定することができる。
【０１６７】
キーペン１６５の異なる所定の回転配向の例は、図２９〜図３２に示される。インターフェース構造体１０５内のキーペン１６５の各々の所定の回転配向は、対応する受容ステーション１０７の対応する形状のキースロット１６７に関連付けられ得る。従って、各回転配向は、容器１０３内の特定の色またはタイプの印刷液体に関連付けられ得る。複数のデータム１８７は、第１及び第３のインターフェース寸法ｄ１、ｄ３に平行な平面において基部部分１８３の周りにキーペン１６５の基部１６９ｂに直接的に設けられ得る。そしてまた、ペン基部穴１８５は、少なくとも１つのカウンタデータム１８９を含み、当該少なくとも１つのカウンタデータム１８９に対して少なくとも１つのキーペンデータム１８７を位置合わせすることを容易にすることができる。
【０１６８】
図示された例において、基部部分１８３及び基部壁１６９ａの双方は、複数の一致するデータム１８７、１８９を含む。他の例において、キーペン１６５上のデータム１８７の数は、キーペン１６５の所定数の回転配向を依然として容易にしながら、基部壁１６９ａ上のカウンタデータム１８９の数と異なることができる。一例において、基部壁１６９ａは１つのデータム１８９のみを含み、対応するキーペン１６５は複数のデータム１８７を含み、又は逆もまた同じであり、キーペン１６５は１つのデータム１８７のみを含み、基部壁１６９ａは複数のデータム１８９を含む。複数のデータム１８７及び／又はカウンタデータム１８９を使用する例において、これらのデータム１８７、１８９は、規則的な位置、例えば、円の周りに互いから等しい距離の所に設けられ得る。図示された例において、データム１８７及びカウンタデータム１８９は、歯によって具現化され、それにより各キーペンデータム歯は、隣接するカウンタ（対向する）データム歯の間の対応する形状の空間に関連付けられる。それに応じて、図２９〜図３２は、キーペン１６５の周りに複数のデータム１８７を有する例示的なキーペン１６５の配向（向き）を示し、この場合、データム１８７は、歯の形態であるが、図３３は、単一のカウンタデータム１８９のみを有し、ここでも、２つのキーペンデータム歯１８７の間に係合することができる歯の形状において、基部１６９ａにおけるペン穴１８５を示す。キーペンデータム歯１８７の遠位端は、カウンタデータム歯がない場合にも、ペン穴１８５の内側縁部１８５ａに係合する。これは、キーペン１６５の回転配向が異なる数のデータム１８７、１８９で選択されて固定され得ることを示す。
【０１６９】
同じ原理に従って、キーペン基部１８３には、図３４に示されたような単一のデータム１８７のみを設けることができ、これにより、ペン穴１８５には複数のカウンタデータム１８９を設けることができる。キーペン１６５は、そのデータム歯１８７をペン穴１８５の２つのカウンタデータム１８９の間に位置合わせすることによって、所定の回転配向に位置合わせされ得る。
【０１７０】
他の例において、データム１８７及び／又はカウンタデータム１８９は、視覚マーク、他のマーク、角（かど）、リブ、切り口、切り欠き、波形、又は他の適切な特徴要素によって画定されることができ、それにより、やはり対向するデータム及びカウンタデータムを、異なる適切な数で設けることができる。更なる例において、基部部分１８３の外縁および／またはペン穴１８５の内縁は、長手方向ペン軸Ｃｋの周りに、３個、４個、６個、１２個または任意の数の面を有する多面体の輪郭を有し、基部壁１６９ａに対するキーペン１６５の所定数の異なる回転配向を同様に可能にし、これにより、本開示において、多面体の外面および角（かど）はそれぞれ、データム１８７、１８９とみなされ得る。
【０１７１】
一例において、キーペン１６５及び／又は基部壁１６９ａは、少なくとも１２個のデータムを含み、これは、基部壁１６９ａに対して少なくとも１２個の異なる回転配向に同じキーペン１６５を取り付けることを容易にし、そしてまた同じインターフェース構造体の特徴要素を１２個の異なる液体タイプと関連付けることを容易にする。他の例において、例えば、異なる数の液体タイプとの関連付けのために、例えば、６個、３個、１６個、２４個または異なる数のデータム１８７及び／又はカウンタデータム１８９が使用され得る。
【０１７２】
一例において、基部部分１８３は、円筒形基部部分１８３の残りがニードル挿入方向に沿って後方に延びるキーペン基部１６９ｂを画定するフランジ又はディスク（円板）１８６を含み、長手方向キーペン部分１６５ｂは、組み立てられた状態において主液体流れ方向ＤＬに沿ってディスク１８６から前方に突出する。一例において、ペン軸Ｃｋは、ディスク１８６の中央と概ね交差する。ディスク１８６は、リセス基部１６９ａのキーペン基部穴１８５に嵌合するように適合される。ディスク縁部は、前述されたように、ディスク縁部の周りに、且つ互いから等しい距離の所に規則的に配置されたデータム歯を含むことができる。組み立てられた状態において、ディスク１８６の裏面、及びキーペン基部１６９ｂに対するディスク１８６の反対側のデータム歯は、図２１及び図２４に最もよく示された、リセス基部１６９ａを画定する壁内のディスク支持面１８４に対して支持することができる。支持面１８４は、ペン基部１６９ｂ（例えば、ディスク１８６）の位置決めを容易にするために、リセス基部１６９ａに凹みを作られ、例えば、キーペン１６５がロッド１７９のような対向するアクチュエータを押す際に、支持面１８４上のキーペン１８５の内方への押す力に対抗する。
【０１７３】
更なる例において、基部部分１８３は、キーペン１６５をインターフェース構造体１０５にプラグ接続およびパッチン嵌めするために、その後端部１８８において、少なくとも１つのスナップフィンガ１９１を含む。図示された例において、基部部分１８３の後端部１８８は、図２７及び図２８に恐らく最もよく看取されるように、２つの対向するスナップフィンガ１９１を含む。スナップフィンガ１９１は、例えば、基部１６９ａから逆方向にオフセットされた、インターフェース構造体１０５の更なる支持壁面１９１ｃに当接する当接縁部１９１ｂを含むことができる。図示された例において、支持壁１９１ｃは、基部１６９ａと後壁１５４ｄとの間に延びる。従って、キーペン１６５のディスク１８６及びスナップフィンガ１９１、並びにインターフェース構造体１０５の前記支持面１８４、１９１ｃは、ペン軸Ｃｋに沿った両方向においてインターフェース構造体１０５に対してキーペン１６５を保持またはクランプ留めすることができる。そしてまた、突出するデータムは、キーペンの回転配向を固定することができる。
【０１７４】
他の例において、キーペン１６５は、インターフェース構造体１０５の壁に対して異なる方法で取り付けられることができ、又はインターフェース構造体１０５の壁と一体的に成形され得る。一例において、基部部分１８３は、キーペンを基部１６９ｂにねじ込むためのネジ山を含むことができる。
【０１７５】
突出長手方向キーペン部分１６５ｂは、キー止め機能、案内機能、及び作動（付勢）機能のうちの少なくとも１つを提供するように適合される。後者の機能に関して、キーペン１６５は、受容ステーションに設けられた機械的アクチュエータ及びスイッチのうちの少なくとも１つのような、アクチュエータ上で作動するように適合され得る。特定の例において、突出長手方向キーペン部分は、前記機能のうちの２つだけを容易にすることができ、例えば、キー止めではなく、案内および作動のみ、又は作動ではなく、キー止め及び案内のみである。他の例において、キーペンは、キー止めのような他の機能を行うことなく、案内または作動のみする。また別の例において、キーペンは、受容ステーションの液体ニードルに対する液体インターフェース１１５の比較的精密な正確な案内のために使用され、それにより、上述したガイド面１４１、１４１ｂ、１４５、１４３、１４３ｂ、１４７の一部または全ては、変更または省略され得る。
【０１７６】
例えば、キーペン１６５は、特定の色またはタイプの印刷液体の供給装置に関連付けられ、対応する受容キースロット１６７を通過するように適合される（例えば、図２０、図２１を参照）。第１の例において、キーペン１６５は、プリンタの第１の受容ステーションのキースロット１６７を通過するように形作られ、色または液体タイプの混合を回避するために、同じプリンタの別の受容ステーションの一致しないキースロット１６７によって阻止されることになる。第２例において、単一の形状のキーペン１６５は、同じプリンタの個々の異なる受容ステーションの異なる液体に関連付けられた異なるキースロット１６７を通過するように適合されることができ、それによって、キーペン１６５は、案内機能および／または作動機能のみを有するが、必ずしも色／タイプのキー止め機能を有さない。第１の例は、識別キーペンと呼ばれることができ、第２の例は、作動キーペン又はマスターキーペンと呼ばれ得る。例えば、マスターキーペンは、単一の印刷システムの異なる受容ステーションに接続するためのサービス流体に、又は単に代替の供給装置に使用され得る。作動キーペンは、色識別を必要とせずに、アクチュエータのみを作動させる目的で、単一の受容ステーションのみを有する単色印刷システム用の供給装置に適用され得る。異なるタイプのキーペンを、異なる機能のために適用することができる。
【０１７７】
前述した第１の例に従って、各供給装置のための類似したインターフェース構造体１０５及び容器１０３の構成を含む一組の供給装置１０１を提供することができ、この場合、容器１０３の１つは、容器１０３の別の１つと異なる液体タイプを含み、対応するインターフェース構造体１０５は、異なるキーペン構成、例えば、個々のペン軸Ｃｋの周りの異なる回転配向のキーペン１６５を有し、特定の液体タイプに対応しない受容ステーションへの装着を阻止する。例えば、図５に示されたような異なる供給装置１０１は、異なる液体および異なる対応するキーペンの横断面および／または異なるキーペンの配向を含むことができる。
【０１７８】
図２９〜図３２は、キーペン基部１６９ｂ上へのペン直線部分の長手方向軸Ｃｋに沿って見た際のキーペン形状の例を示し、この場合、長手方向キーペン部分１６５ｂに沿った横断面のキー形状は同じであるが、回転配向は異なっている。インターフェース構造体に取り付けられる場合、横断面の平面は、第１及び第３のインターフェース寸法ｄ１、ｄ３と平行であることができる。キーペンの対は、各対応するインターフェース構造体内に提供されることができ、この場合、キーペンの対は、互いに対して同じ回転配向、又は異なる回転配向を有することができ、対応する受容ステーションのキースロットは、対応する構成を有する。図２９〜図３２の異なる配向は、異なる液体タイプに関連付けられ、対応するキースロット１６７の一致する回転配向と関連付けられ得る。
【０１７９】
これらの図面の例において、各キーペンの横断面は、Ｙ字の形態であり、例えば、一致するＹ字形状キースロット１６７を通過することができる。他の例の横断面キー形状は、Ｔ字、Ｖ字、Ｌ字、Ｉ字、Ｘ字、或いは１つのドット又は一連のドット又は他の幾何学的形状の形態であることができる。本説明において、例えば、キーペン１６５は回転することができるので、Ｖ字形状はＬ字形状を含み、Ｘ字形状は、＋字形状を含む。キー形状は、対応するＹ、Ｖ、Ｌ、Ｉ、Ｔ、Ｘ字形状のキースロット形状と一致することができる。例えば、突出するキーペン部分１６５ｂの横断面は、Ｙ字、Ｖ字、Ｌ字、Ｉ字、Ｔ字、Ｘ字などに対応することができるが、作動表面領域１６８間にノッチを有する中断部分を有することができる。例えば、突出キーペン部分１６５ｂの横断面は、連続的または断続的な態様で、例えば、個々のキースロット１６７に対応する、Ｙ、Ｖ、Ｌ、Ｔ、又はＸ字形状の輪郭に概ね従うことができ、それにより、断続的である実施形態は、中間に空間を有する別個の遠位作動表面領域１６８を有することができる。また、留意されるように、Ｙ字形状キーペン１６５は、Ｙ字形状キースロット１６７に関連付けられ得るが、幾つかの例において、Ｖ字（例えば、Ｌ字）形状、Ｉ字形状、又はドット形状のキーペン１６５は、Ｙ字形状キースロット１６７を通過するために使用され得る一方で、ロッド１７９のような個別のアクチュエータ及び／又はキースロット１６７の後ろのスイッチ上で依然として作動する。
【０１８０】
図２７の長手方向キーペン部分１６５ｂは、ペン軸Ｃｋに沿って、及びペン軸Ｃｋから離れて延びる３つの長手方向ウィング１６５ｄ又はフランジを有する。各ウィング１６５ｄは、Ｙ字の脚部を画定する。ウィング１６５ｄは、ペン軸Ｃｋに沿って第２のインターフェース寸法ｄ２の方向において延びる。ウィング１６５ｄは、互いから離れるように及びペン軸Ｃｋから離れるように延び、それによってＹ字形状横断面を提供する。３つのウィング１６５ｄの交点Ｃｋ、即ち、Ｙ字の中央（中点）において、ペン軸Ｃｋ上に概ね位置することができる。他の例において、ウィング１６５ｄの交点Ｃｋは、キーペン基部１６９ｂの中心からオフセットされる（ずらされる）場合があり、及び／又はペン軸Ｃｋからオフセットされる場合がある。同様に、Ｖ字形状の横断面を有するキーペンは、キーペン基部１６９ｂ又はキーペン穴１８５の中央に又はその中央近くに、又はその中央から離れて交点を有することができる。
【０１８１】
例えば、キーペン１６５は、ロッド１７９又はスイッチのような、受容ステーションの相手方のアクチュエータ上で作動するための作動表面領域１６８を含み、それによって、相手方のアクチュエータは、一致するキーペン１６５のみがアクチュエータ上で作動することができることを容易にするためにキースロット１６７の後ろに設けられ得る。作動表面領域１６８は、長手方向キーペン部分１６５ｂの遠位端に設けられ得る。図１９、図２１及び図３５から明らかに見ることができるように、特定の例において、ウィング１６５ｄの作動表面領域１６８の外側端部は、これらの表面１６８がインターフェース構造体１０５の受容ステーション１０７への挿入時にアクチュエータロッドの縁部と係合するので、作動面１６８を画定する。
【０１８２】
図３５において、作動面１６８は、キースロット１６７とロッド１７９の縁部（点線でもある)が重なる位置で、点線の丸により図式的に示される。例えば、中空ロッド１７９がＶ字形状またはＹ字形状のキーペン１６５によって作動される場合、ロッド１７９と係合する、中央または長手方向ペン軸Ｃｋから少し離れてＶ字またはＹ字の脚部のそれぞれの外端の近くで互いから少し離れた２つ又は３つの別個の作動表面領域１６８がそれぞれ存在する。１つの作動表面領域１６８は、アクチュエータに作用するのに十分であることができる。
【０１８３】
別の例において、中央作動表面領域１６８ｃが存在する場合がある。受容ステーションは、中央作動表面領域１６８ｃによって作動可能なロッド部分、スイッチ又はレバーを含むことができる。特定の例において、係る中央作動表面領域１６８ｃは、以下に説明されるように、マスターキーペン用であることができる。適切な構成からなり及び前記作動表面領域１６８の何れかを有する任意のキーペン１６５は、受容ステーションに対する供給装置１０１の取り付け及び取り外しを容易にすることができる。
【０１８４】
図３６は、長手方向軸Ｃｋに垂直な、キーペン２６５の横断面の別の例を示す。最小限で、キーペン２６５は、ロッド１７９を押すために遠位端部に作動表面領域１６８ａを有する単一の円筒形またはビーム状の突出する長手方向ピン１６５ｅを含むことができる。当該ピン１６５ｅ及びその作動表面領域１６８ａは、対応するＹ字またはＶ字形状のキースロット１６７を通過して、ロッド１７９の円形の押し縁部のような、個別のアクチュエータに係合するように配置され得る。異なる配向のキースロット１６７に関して、ピン１６５ｅは、これらの異なる配向のキースロット１６７を通過するように基部１６９ｂに対して異なるように配置される必要がある。従って、所定の位置において単一の円筒状ピン１６５ｅを含む又は単一の円筒状ピン１６５ｅからなるキーペン１６５は、アクチュエータをトリガするのに十分な液体タイプ識別のキーペンを提供し、受容ステーションに対する装着を容易にすることができる。
【０１８５】
図３６にも示された他の例において、更なるピン１６５ｆが、個々のキースロットを通過して、点線の丸１６５ｆで示されるように、アクチュエータ１７９と係合するように設けられる場合がある。従って、１つ又は複数の円筒形で、ピン形状またはビーム状の長手方向キーペン１６５ｅ、１６５ｆは、ペン軸Ｃｋに沿って基部１６９ｂから突出し、キースロット１６７を通過して、個々の作動表面領域１６８ａ、１６８ｂでもって、ロッド１７９又はスイッチのような、個々のアクチュエータに作用することができる。代案として、突出するキーペン部分は、その長さの実質的な部分にわたってＹ字形状またはＶ字形状であることができ、その後、異なる作動表面領域１６８ａ、１６８ｂに向かって発散することができ、又は単一の作動表面領域１６８ａに向かって収束することができる。やはり、例えば、内側基部またはロッド１７９に到達するために、延長された長さからなるマスター又は中央突出ペン１６５ｇが、提供され得る。
【０１８６】
図３７は、キースロットを通過してアクチュエータに作用するのに適することができる、個々の突出ピン１６５ｅ、１６５ｆを有する、係る別個の作動表面領域１６８ａ、１６８ｂのうちの１つ又は複数を有する係るキーペン２６５の例示的な側面図を示す。特定の例において、長手方向キーペン部分１６５ｅ、１６５ｆは、基部壁１６８ａ、１６８ｂから突出するプラスチック又は金属のピンを含むことができる。基部１６９と作動表面領域１６８ａ、１６８ｂとの間のピン１６５ｅ、１６５ｆの長さは、図２７〜図３２の前述した突出キーペン部分１６５ｂとほぼ同じであることができる。
【０１８７】
図３７Ａ、図３５、図３６を参照すると、「マスター」キーペン２６５は、例えば、キースロット１６７の中心を通って、異なるタイプ又は色の液体に関連付けられて異なるように形作られた又は配向されたキースロット１６７を通過するように配置される作動表面領域１６８Ｃを有する少なくとも１つのピン１６５ｇを含むことができる。例えば、係る少なくとも１つのピン１６５ｇは、異なる液体タイプ及び／又は色に関連付けられた、複数の受容ステーションの複数の異なるように形作られた又は配向されたＹ字またはＶ字形状のキースロット１６７を通過するように、所定の位置、例えば、その基部またはキースロット１６７に対する中央位置に設けられ得る。ピン１６５ｇは、主液体流れ方向ＤＬとほぼ平行に延びることができる。ピン１６５ｇは、Ｙ字形状のキースロット１６７の中心（当該Ｙ字の３つの脚部が交差する）に対応する位置に設けられることができ、それが、異なるように配向されたＹ字形状のキースロット１６７の中心を通過することができるようになっている。
【０１８８】
一例において、図３７Ａに示されたように、マスターキーペン２６５Ｂは、対応するリセス２７１の輪郭によって図式的に示されるように、インターフェース前面２５４及び／又は液体インターフェース縁部（例えば、他の図面の縁部１１６）よりもさらに延びる。例えば、マスターキーペン２６５Ｂは、第３のインターフェース寸法ｄ３に沿って見られるように、インターフェース前面２５４又は液体インターフェース縁部１１６を越えて少なくとも５ｍｍ、少なくとも１０ｍｍ、少なくとも１５ｍｍ、又は少なくとも２０ｍｍだけ突出する。従って、キーペン２６５Ｂは、例えば、基部２６９と作動表面領域１６８ｃとの間で測定されるように、少なくとも約３０ｍｍ、少なくとも約３５ｍｍ、少なくとも約４０ｍｍ、又は少なくとも約４５ｍｍの長さを有することができる。インターフェース構造体の受容ステーションへの挿入時に、延長されたマスターキーペン２６５Ｂは、ペン２６５Ｂの遠位作動表面領域１６８ｃがロッド２７９の内壁２７９Ａに係合するまで、中空ロッド２７９の内部に突出することができ、それにより、マスターキーペン２６５Ｂは、例えば、フック１６１をトリガするために、その内壁２７９Ａを押すことにより、ロッドを内部へ押すことができる。インターフェース前面２５４又は液体インターフェース縁部を越える追加の長さは、ロッド２７９の前縁とマスターキーペン２６５Ｂが作用する前記内壁２７９Ａとの間の距離に及ぶために役立つことができる。他の例において、マスターキーペンは、ピンと異なるように形作られることができ、及び／又は他のタイプのアクチュエータと係合することができる。特定の受容ステーションを識別しないマスターキーペンを有することは、サービス液体を有するサービスサプライのような色またはタイプの依存性のない液体供給装置に有用であることができ、又はコストを節約するため、或いは他の理由で有用であることができる。
【０１８９】
一例において、マスターキーペンは、一組の受容ステーション内の受容ステーションを区別（識別）しないが、異なる組の受容ステーションを区別する。また他の例において、キーペン２６５、２６５Ｂは、現在の延長されたピン１６５ｇに類似した延長されたピンを含むことができるが、マスターキーペンとしての機能を果たさない。延長された色または液体タイプ識別キーペン２６５、２６５Ｂが設けられ得る。他の例において、例えば、ロッド１７９の内壁１７９ａ又は任意の他の適切なアクチュエータ構成要素に係合するために、同様に延長された形状を有するマスターキーペン２６５Ｂのような、より長い非ピン形状のキーペンが使用され得る。
【０１９０】
図３８は、キーペン２６５Ｃの横断面の異なる例を再び示す。横断面はＶ字形状である。キーペン２６５Ｃは、図３５に示されるように、Ｙ字形状のキースロット１６７の一部と一致する２つのウィング１６５ｄを有し、前記Ｙ字形状のキースロット１６７を通過して、例えば２つの対応する外部作動表面領域１６８ｄでロッド１７９を作動させるのに適している長手方向キーペン部分１６５ｇを含む。Ｖ字形状のペン２６５ｃは、Ｙ字形状のペン１６５と比べて、その長手方向軸に沿って比較的平坦であることができる。従って、その機能を依然として実行しながら、キーペン形状が「低減」され得る。Ｙ字形状またはＶ字形状のキースロットが使用される例において、Ｉ字形状のキーペンの横断面も機能することができ、或いはＶ字またはＹ字の一部と一致し、ロッド１７９の縁部に接触する少なくとも１つのドット形状の横断面または任意の他の横断面が機能することができる。
【０１９１】
図３９は、基部３６９から突出している、リセス３７１内のキーペン３６５の別の図式的な例を示す。このキーペン３６５は、第２のインターフェース寸法ｄ２又は主液体流れ方向ＤＬと平行に正確に延びていない。キーペン３６５は、その長手方向軸Ｃｋに沿って延びているが、第２のインターフェース寸法ｄ２に正確に平行ではない。長手方向軸Ｃｋは、主液体流れ方向または第２のインターフェース寸法ｄ２に対して傾斜している。ここで、キーペン３６５の長手方向軸Ｃｋは、主液体流れ方向ＤＬにおいて概ね延びているが、前記主液体流れ方向ＤＬに対して或る角度をなして傾斜している一方で、依然としてキースロットを通って挿入することを可能にし、受容ステーションの対向するアクチュエータを作動させる。基部３６９とキーペン３６５の作動表面領域３６８との間の長手方向の距離は、少なくとも約１０ｍｍ、少なくとも約１２ｍｍ、少なくとも約１５ｍｍ、少なくとも約２０ｍｍ、又は少なくとも約２３ｍｍであることができる。また、留意されるように、主液体流れ方向に対するキーペン１６５の特定のマージン及び傾斜角度は、本開示の範囲内で許容される。
【０１９２】
図２９〜図３９は、本開示のインターフェース構造体の何れかに使用されることができ、受容ステーションに設けられた特定のアクチュエータを作動させるのに適することができるキーペンの異なる例を示す。これらの例において、単一のキーペンが示されているが、他の図面に示されるように、キーペンは、液体出力の両側において対で提供され得る。そしてまた、対応するアクチュエータは、これらのキーペンによって作動される場合、（i）供給装置を受容ステーションに保持するための特定の保持機構、及び／又は（ii）ポンプスイッチ、及び／又は（iii）データ通信、及び／又は（iv）他の動作のうちの少なくとも１つをトリガすることができる。本開示の例示的なキーペンの何れも、ペン軸Ｃｋに沿って、キーペン基部と作動表面領域との間で、少なくとも約１０ｍｍ、少なくとも約１２ｍｍ、少なくとも約１５ｍｍ、少なくとも約２０ｍｍ、又は少なくとも約２３ｍｍの長さを有することができ、それにより作動表面領域は、液体出力縁部またはインターフェース構造体の前面とほぼ同じレベル（高さ）であることができる。その前記の例示的な延長された（例えば、マスター）キーペンのバージョン（例えば、図３７Ａ）は、少なくとも約３０ｍｍ、少なくとも約３５ｍｍ、少なくとも約４０ｍ、又は少なくとも約４５ｍｍであることができる。
【０１９３】
図４０は、本開示の更なる例による供給装置１０１を解釈するための構成要素のキット１００を示す。キット１００は、液体を保持するための容器１０３を含む。キット１００は、インターフェース構造体１０５を含む。キット１００は、インターフェース構造体１０５の液体チャネル用の液体インターフェース構成要素１１４を含む。キット１００は、インターフェース構造体１０５に取り付けるためのキーペン１６５を含む。キット１００は、コンタクトパッドのアレイを含む、インターフェース構造体１０５に取り付けるための集積回路１７４を含む。キット１００は、液体が容器１０３と液体チャネル１１７との間を流れることを可能にするために、インターフェース構造体１０５のリザーバ接続液体チャネル部分１２９の液体入力１２４を容器１０３と接続するための少なくとも１つの液体相互接続要素１３４を含む。キット１００は更に、インターフェース構造体１０５を容器１０３と機械的に接続するための機械的接続構造体１０６を含むことができる。当該機械的接続構造体１０６は、少なくとも組み立てられた状態において、支持構造体１３５の個別の側面１２５に沿って強化部材としても働くことができる。個別の側面１２５は、容器１０３の裏面であることができる。
【０１９４】
少なくとも１つの容器１０３は、少なくとも部分的に変形可能なリザーバ１３３及び支持構造体１３５を含む。容器１０３は、ラベル１３５ａをさらに含むことができ、それによりラベル上の情報が、供給装置１０１の取り付けの向き、及び／又は供給装置１０１を受容ステーションへ押し込むための場所を示すことができる。その目的を達成するために、当該ラベルは、支持構造体１３５の裏面１２５において少なくとも部分的に延びることができる。支持構造体１３５は、リザーバ１３３を保持する折り曲げられたボール紙のボックス形状構造体であることができる。支持構造体１３５は、支持構造体１３５の前面１３１の近くに延びる突出部分１２３、及び前面１３１に対向する裏面１２５を含む。開口１１３Ａ（この図において見ることができない）が、支持構造体１３５の裏面１２５の近くで、支持構造体１３５の底部１１３に設けられ、リザーバ接続チャネル部分１２９、及びインターフェース構造体１０５の液体チャネルの入力１２４が、リザーバ１３３に接続するために支持構造体１３５を通過することを可能にする。組み立てられた状態において、リザーバ接続チャネル部分１２９は、底部開口１１３Ａを通って支持構造体１３５内へ延びることができる一方で、インターフェース構造体１０５の残りは、第１のインターフェース寸法ｄ１によって規定される、本開示の範囲にわたって、底部１１３から離れるように下方に突出することができる。キット１００は更に、リザーバ１３３と、リザーバ１３３の底部１１３及び裏面１２５の近くのリザーバ接続チャネル部分１２９との間の接続を容易にするための少なくとも１つの液体相互接続要素１３４を含むことができる。当該液体相互接続要素１３４は、リザーバ１３３の首部に取り付けられた相互接続吐出口を含むことができ、又はリザーバ１３３に一体化することができる。
【０１９５】
支持構造体１３５は、開いた状態で示され、この場合、裏面フラップが開かれて、リザーバ１３３が支持構造体１３５内に配置されることを可能にし、それによりインターフェース構造体１０５及び／又はリザーバ１３３が、裏面１２５及び底部開口１１３ａの近くで、当該裏面および底部開口１１３ａに沿って延びる機械的接続構造体１０６を用いて支持構造体１３５に接続され得る。インターフェース構造体１０５及び／又はリザーバ１３３は、底部開口１１３ａを部分的に貫通して延びる。機械的接続構造体１０６は、組み立ての時に支持構造体１３５にクランプ留めするための少なくとも１つの圧締輪郭を含むことができる。組み立てられた状態において、機械的接続構造体１０６は、供給装置１０１の裏面１２５を強化することができ、例えば、挿入および放出の時に後壁１２５を押すことを容易にする。組み立てられた状態において、機械的接続構造体１０６は、第３の容器寸法Ｄ３に沿って見るように、少なくとも中央平面ＣＰ（例えば、図９を参照）においてその横断面を見る際に、実質的にＬ字形状であることができる。
【０１９６】
機械的接続構造体１０６は、リザーバ１３３と支持構造体１３５との間で、それぞれ第１及び後壁１１３、１３５に沿って、支持構造体１３５の内側で、開口１１３ａに少なくとも部分的に沿って、且つ例えば相互接続要素１３４のフランジ間で、少なくとも部分的に相互接続要素１３４の周りに主として延びる。機械的接続構造体１０６は、例えば、機械的接続構造体１０６と相互接続要素１３４のフランジとの間で支持構造体１３５及びリザーバ１３３の個々の壁を楔止めすることにより、リザーバ及び支持構造体壁をクランプ留めするための少なくとも１つの楔（ウェッジ）を含むことができる。
【０１９７】
図４０の例示的なキットの液体インターフェース構成要素１１４は、流体インターフェース１１５の一部を形成するために、インターフェース構造体１０５の液体チャネル１１７の下流端に配置されるべきシール１２０、例えばシールプラグ及びボール弁構成要素を含むことができる。
【０１９８】
一態様において、本開示は、印刷液体リザーバ１３３及び支持構造体１３５を含む容器のような、インターフェース構造体１０５を有さない供給装置１０１の構成要素の中間サブアセンブリを提供する。容器１０３を組み立てるための一組の構成要素が提供され得る。
【０１９９】
リザーバ１３３は、図４０の支持構造体１３５内に配置されることになり、それにより、折り曲げられて取り付けられた状態において、支持構造体１３５は、少なくとも部分的にリザーバ１３３の周りに延びるボックス又は小個室形状の構造体を提供することができ、それにより、取り付けられたリザーバ及び支持構造体は、容器１０３を画定する。容器１０３は、第１、第２及び第３の容器寸法Ｄ１、Ｄ２、Ｄ３を有する。支持構造体１３５は、リザーバ１３３を少なくとも部分的に取り囲んで支持し、容器１０３に剛性を提供するように適合される。リザーバ１３３は、印刷液体を保持し、印刷液体がリザーバ１３３から引き出される間につぶれるように少なくとも部分的にフレキシブルであるバッグを含み、当該バッグの少なくとも１つの壁は、流体の交換を阻止するように構成される。リザーバ１３３は、例えばリザーバ首部を介して、相互接続要素１３４、４３４を含む、又は、相互接続要素１３４、４３４に取り付けられるべきである。首部は、バッグから印刷液体を出力するためにバッグの中への開口を含む。前記首部の最大内径は、第３及び／又は第２の容器寸法Ｄ３、Ｄ２の半分未満であることができる。充填状態において、支持構造体１３５へ取り付けられる場合、首部から始まり、バッグの長さの少なくとも約三分の二、四分の三、又は五分の四が、首部から離れるように第２の容器寸法Ｄ２に沿って突出し、より小さい容積４２３Ａは、首部の反対側４２５、例えば裏面において延びることができる。取り付けられて折り曲げられた状態において、支持構造体１３５は、前記第１、第２及び第３の容器寸法Ｄ１、Ｄ２、Ｄ３を規定するほぼ垂直な壁を含み、第１及び第２の寸法Ｄ１、Ｄ２は、第３の寸法Ｄ３よりも大きく、この場合、第２及び第３の寸法Ｄ２、Ｄ３を規定する第１の壁１１３は、首部に対する別の流体構造体の接続を可能にするように支持構造体１３５に配置される際に、リザーバ１３３の前記首部に隣接する開口１１３ａ（例えば、図２２を参照）を含む。係る他の流体構造体は、インターフェース構造体１０５であることができる。支持構造体１３５の取り付けられて折り曲げられた状態において、第１の壁１３３の開口１１３ａは、第１の壁１１３に隣接する別の壁１２５に隣接して設けられ、他の壁１２５は第１及び第３の寸法Ｄ、Ｄ３に平行である。
【０２００】
一態様において、本開示は、供給装置１０１を得るために異なる構成要素を組み立てる方法に関し、この場合、少なくとも１つの構成要素は、以前の使用後に収集される。当該少なくとも１つの収集された構成要素は、本開示の範囲内および／または本開示で説明された様々な例示的なサプライ特徴要素の何れかであることができる。例えば、供給装置１０１の使い尽くした（枯渇した）後に、インターフェース構造体１０５は容器１０３から切り離され得る。例えば、このような収集の後に、キーペン１６５、及びインターフェース構造体１０５の単一の成形された基部構造体１０５−１は分離され得る。次いで、（i）新たに製造されたキーペン１６５、又は（ii）以前に使用されて収集されたキーペン１６５のうちの１つを、所望の受容ステーション及び液体タイプに対応する配向で基部構造体１０５−１に接続され得る。例えば、最初の使用前の元のアセンブリと同様に、新しい又は再使用されたキーペンが、基部構造体１０５−１のキースロット１６７に嵌め込むことができる。例えば、データム１８７及び／又はカウンタデータム１８９を使用して、正確な回転位置決めを容易にすることができる。次いで、インターフェース構造体１０５は、充填された新しく構築されたリザーバ１３３又は再充填された再使用リザーバ１３３に接続され得る。リザーバ１３３及び／又は支持構造体１３５は、充填前に新たに製造され、回収された基部構造体１０５−１に接続されるか、又はリザーバ１３３及び／又は支持構造体１３５の少なくとも一部は、基部構造体１０５−１への接続の前にリサイクルされ得る。従って、リサイクルされた基部構造体１０５−１は、同じ基部構造体１０５−１の最初の使用と比べて、異なる液体タイプ、異なるプリンタプラットフォーム、異なる液体容量などのために別の用途に使用され得る。また、元の集積回路１７４は、所望の液体タイプ、ステーション及び／又はプラットフォームに一致させるために、交換され得る、修理調整され得る、又は新しい集積回路１７４と置き換えられ得る。
【０２０１】
図４０Ａは、未充填リザーバ１３３Ａの一例の図を示す。未充填リザーバ１３３Ａは、未充填の空の状態で実質的に平坦である場合があるフレキシブルなバッグであることができる。例えば、空の状態のバッグは、未充填のバッグの短い外縁部において接続または折り曲げられた２つの対向するフィルムによって主に画定され得る。例えば、外縁部は、２つの接続された対向するフィルムの間の折り曲げられた縁部である場合があり、又は２つの別個の対向するフィルムが溶接される場合がある。平坦な未充填バッグは、長さＬＡ及び幅ＷＡを有することができる。充填状態において、即ち、リザーバ１３３Ａの少なくとも部分的に膨張した状態において、長さＬＡ及び幅ＷＡは、識別することが困難である場合があり、例えば、前述の容器寸法Ｄ１、Ｄ２、Ｄ３の何れかに対応しないか、又は当該容器寸法Ｄ１、Ｄ２、Ｄ３の何れかに沿って延びていない。
【０２０２】
リザーバ１３３Ａは、例えば、インターフェース構造体またはキャップの液体チャネルのリザーバ接続部分に接続するための相互接続要素１３４Ａを含む。相互接続要素１３４Ａは、リザーバ１３３Ａの首部であることができる。相互接続要素１３４Ａは、支持構造体、機械的接続構造体１０６、及びインターフェース構造体の接続を容易にするために、図２２に示されるような、内部液体チャネル、及び外側フランジを有することができる。相互接続要素１３４Ａは、充填されていない平坦な状態においてリザーバ１３３Ａの中心からオフセットされ得る。相互接続要素１３４Ａは、充填されていない比較的平坦な状態において、例えば、平坦な未充填リザーバ１３３Ａの角（かど）に比較的隣接して、リザーバ１３３Ａの幅ＷＡの中間からオフセットされる、及び／又は長さＬＡの中間からオフセットされる場合がある。相互接続要素１３４Ａは、対向するフィルムの１つに接続され得る。
【０２０３】
図４１は、供給装置４０１を示し、この場合、容器４０３は、少なくとも部分的に変形可能なリザーバ４３３を含み、そのリザーバ４３３の突出部分４２３は、主液体流れ方向ＤＬにおいて、インターフェース構造体４０５の液体インターフェース縁部を越えて突出する。図示された例において、トレイ又はボックスのような別個の支持構造体は設けられていない。図４１の装置４０１は、更なる組み立てのための中間製品、又は受容ステーションと直接的に接続するための完成品であることができる。例えば、供給装置４０１が完成品である場合、特定の補強部材が、リザーバ４３３に沿って、又はリザーバ４３３に一体化して設けられ得る。容器４０３は、インターフェース構造体４０５に接続するための流体相互接続要素４３４を含む。ここで、インターフェース構造体４０５は、リザーバ底壁から直接ではなく、液体相互接続要素４３４に接続され、且つ液体相互接続要素４３４から突出する。高さ及び高さの方向の双方を決定するインターフェース構造体４０５の第１の寸法ｄ１の範囲は、（i）突出部分４２３の最深の底部４１３又は液体相互接続要素４３４の遠位端部と、（ii）インターフェース構造体４０５の遠位側４３７との間で、第１の寸法ｄ１、Ｄ１の方向に沿って測定され得る。別の定義において、第１のインターフェース寸法ｄ１は、インターフェース構造体４０５の外側遠位側４３７と液体インターフェースのすぐ上の前側上縁４５４ｂとの間の距離によって決定され得る。インターフェース構造体４０５が容器４０３の底面４１３から直接的に突出していない場合であっても、インターフェース構造体４０５の高さは、遠位側４３７と前縁４５４ｂとの間の高さによって決定さることができ、その高さの範囲内には、ニードル受容液体チャネル部分、及び集積回路コンタクトパッド、キーペン、ガイド特徴要素などの少なくとも１つのような他のインターフェース構成要素のようなインターフェース構成要素が含まれる。また、図２６にも示されているように、インターフェース構造体４０５は、液体を容器から受け取るための液体入力開口を有する中間チャネル部分、中間部分、及びインターフェース構造体４０５の外形高さを越えて、液体相互接続要素４３４又は容器４０３へ部分的に突出する入力を含むことができる。
【０２０４】
図４２〜図４７は、異なる動作向きにおける本開示の供給装置の例を示し、それにより、各例について、インターフェース構造体は、容器に対して異なるように配置される。例えば、図４２及び図４３において、インターフェース構造体は、容器の側面から突出する。図４４において、インターフェース構造体は、容器の第１の面から、前記第１の面に隣接する反対側から少し離れて、且つ前記第１の面と直角をなして突出する。図４５において、インターフェース構造体は、容器の前面の近くで容器の壁から、裏面から少し離れて突出し、それにより液体インターフェースが前面において延びている。図４６及び図４７において、インターフェース構造体は、容器の上部から上方に突出する。これらの異なる向き及び構成は容易にされることができ、その理由は、本開示の特定の例示的な変形可能な液体バッグリザーバの出力が、重力の影響をほとんど受けずに、任意の方向に配向され且つ配置され得るからである。
【０２０５】
図４２の例示的な供給装置５０１Ａにおいて、インターフェース構造体５０５Ａは、取り付けられた場合、第１のインターフェース寸法ｄ１において、容器５０３Ａの側面５１３Ａから突出する。ここで、第１の容器寸法Ｄ１及び第１のインターフェース寸法ｄ１は、水平方向に延びるが、供給装置は、図示された向きと比べて傾斜することができる。ニードル挿入方向は、第１の寸法Ｄ１、ｄ１と直角をなして、対応する第２の寸法Ｄ２、ｄ２に沿って、ページ内へとほぼ水平に延びる。図４２の供給装置５０１Ａは、前記第２の寸法Ｄ２、ｄ２に沿って、液体インターフェース５１５Ａを超えて、ページの面の外へ突出する容器５０３Ａの突出部分５２３Ａを含むことができる。それに応じて、他の例において、容器およびインターフェース構造体の「幅」と呼ばれる第３の寸法Ｄ３、ｄ３はそれぞれ、本図面の例示的な配向および供給装置に対して垂直に延びる。
【０２０６】
図４３の例示的な供給装置５０１Ｂにおいて、インターフェース構造体５０５Ｂは、第１のインターフェース寸法ｄ１に平行な側面５１３Ｂから突出し、当該図面において当該第１のインターフェース寸法ｄ１は、ほぼ水平であり、この場合、「ほぼ」は、上述されたように、正確な水平に対して傾斜した状態を含むことを意図される。この例において、液体インターフェースに近い個々の液体チャネル部分のニードル挿入方向、及び主液体流れ方向は、ほぼ垂直に延びることができる。容器５０３Ｂの突出部分５２３Ｂは、容器の第１の寸法Ｄ１とほぼ直角をなして、第２の寸法Ｄ２に沿って、主液体流れ方向ＤＬにおいてインターフェース構造体５０５Ｂの液体インターフェース５１５Ｂを越えて、第２の寸法ｄ２の数倍であることができる突出距離ＰＰにわたって突出する。１つの例示的なシナリオにおいて、図４３の供給装置５０１Ｂは、その図示された向きにおいて、例えば、上向きにプリンタの側面において突出する流体ニードル上に、ホストプリンタの受容ステーションに掛けられることができ、それにより、供給装置のキーペンが下方に突出して、受容ステーションのアクチュエータ上で作動する。供給側及びプリンタ側のキー及び保持機構は、もしあれば、垂直の取り付け位置に対応するように適合され得る。
【０２０７】
図４４は、拡張された容器容積５２３Ｃ２、５２３Ｃ３を有する別の例示的な供給装置５０１Ｃの図を示す。インターフェース構造体５０５Ｃは、容器５０３Ｃの底部５１３Ｃに対して外方に、容器５０３Ｃの前面５３１Ｃ及び裏面５２５Ｃの両方からそれぞれ距離ＰＰ、ＰＰ２で突出する。例えば、インターフェース構造体５０５Ｃは、容器５０３Ｃの前面５３１Ｃと裏面５２５Ｃとの間で容器５０３Ｃの底部５１３Ｃの中央近くで、容器５０３Ｃの底部５１３Ｃから突出することができる。容器５０３Ｃは、主液体流れ方向ＤＬに沿って液体インターフェース５１５Ｃを越えて、突出範囲ＰＰにわたって突出する第１の突出部分５２３Ｃを含む。この例において、容器５０３Ｃは、主液体流れ方向ＤＬに対して反対の方向において突出する第１の突出部分５２３Ｃとは反対側の第２の突出部分５２３Ｃ２を含む。図示された例において、第２の突出部分５２３Ｃ２は、第２の突出範囲ＰＰ２にわたって、インターフェース構造体５０５Ｃの裏面５２６Ｃを越えて延びる。また、第２の突出部分５２３Ｃ２は更に、図面において下方に突出するが、上方に又は任意の他の方向において突出する場合もある更なる容積拡張部分５２３Ｃ３を含むことができる。一例において、第２の突出部分５２３Ｃ２は、容器５０３Ｃに対する容量の追加を容易にする。供給装置５０１Ｃの取り付けられた状態において、第２の突出部分５２３Ｃ２は、プリンタ受容ステーションの輪郭の外側に突出する場合がある。実際には、異なるタイプの容量突出部分／拡張部分５２３Ｃ２、５２３Ｃ３が、本開示の任意の容器に、例えば、容器の容量または形状を拡大するために任意の方向において追加され得る。図４４の例において、これらの容積拡張部分は、容器に一体化される。他の例において、容量（容積）は、容器に対する別個の流体接続によって接続され得る。
【０２０８】
液体チャネル５１７Ｃ１、５１７Ｃ２の２つの異なる構成が、図４４に示される。双方の構成は、本開示の範囲内で可能である。液体チャネル５１７Ｃ１、５１７Ｃ２の最初の５１７Ｃ１は、ニードル受容部分と或る角度をなすリザーバ接続部分を含み、この場合、液体チャネル５１７Ｃ１は、少なくとも図示された配向において、インターフェース構造体５０５Ｃの上部で接続する。別の例示的な液体チャネル構成５１７Ｃ２は、少なくとも図示された配向において、容積拡張部分５２３Ｃ３に接続するために、インターフェース構造体５０５Ｃの裏面５２６Ｃの近くにリザーバ接続部分を有することができ、この場合、リザーバ接続部分は、ニードル受容部分と或る角度をなす必要はない。リザーバの首部および／または相互接続要素は、インターフェース構造体５０５Ｃの裏面５２６Ｃの近くの液体チャネル５１７Ｃ２に接続することができる。他の例において、異なるように構成された容積拡張部分５２３Ｃ３が設けられることができ、これは、インターフェース構造体５０５Ｃの別の側で個別の液体チャネルに接続され得る。
【０２０９】
別の例において、容器５０３Ｃは、第２の容器寸法Ｄ２に沿って第１及び第２の突出部分５２３Ｃ、５２３Ｃ２を有する単一の拡張された直方体形状を有し、各突出部分５２３Ｃ、５２３Ｃ２は、第２のインターフェース構造体寸法ｄ２の裏面および前面を越えて突出しているが、前記更なる容積拡張部分５２３Ｃ３を備えていない。別の例において、インターフェース構造体５０５Ｃは、例えば、取り付けられた状態において受容ステーションの外側に延びることができる充填済みの第２の突出部分５２３Ｃ２の重量を機械的に支持するために、係る第２の突出部分５２３Ｃ２の下で逆方向に突出する特定の拡張された比較的剛性の支持要素を含むことができる。
【０２１０】
図４５は、別の例示的な供給装置５０１Ｄの図を示し、この場合、液体インターフェース５１５Ｄは、容器５０３Ｄの底部５１３Ｄの下で、容器５０３Ｄの前面５３１Ｄにほぼ近くに又は当該前面５３１Ｄとほぼ同じ高さ（レベル）に設けられる。供給装置５０１Ｄは、第２の突出部分５２３Ｄ２を含み、当該第２の突出部分５２３Ｄ２は、例えば図４４に類似するが、液体インターフェース５１５Ｄを越えて突出する第１の突出部分（５２３Ｃ）が存在しないという違いを有して、主液体流れ方向ＤＬに対して反対である、第２の寸法Ｄ２に平行な方向において第２の突出範囲ＰＰ２にわたってインターフェース構造体５０５Ｄの裏面５２６Ｄを越えて容器５０３Ｄの裏面５２５Ｄの方へ突出する。図４４に類似して、図４５の第２の突出部分５２３Ｄ２は、他の方向において更なる拡張部分（５２３Ｃ３）を含むことができる。この供給装置５０１Ｄは、例えば、より浅い深さの受容ステーションを容易にするか、又は本開示の例と比較して代替の設計を提供することができる。別の例において、図４４又は図４５の供給装置５０１Ｄは、ほぼ垂直な取り付けを容易にすることができ、それにより第２の突出部分５２３Ｄ２は、個々の受容ステーション又はプリンタから少なくとも部分的に、かつ上方に突出する。
【０２１１】
図４６及び図４７は、他の例示的な供給装置５０１Ｅを示し、この場合、各装置５０１Ｅに関して、インターフェース構造体５０５Ｅは、取り付けられた向きにおいて、上部５３１Ｅから上方に突出する。一例において、受容ステーション５０７Ｅは、図４７に示されるように、インターフェース構造体５０５Ｅに向かって受容ステーション５０７Ｅを手動で移動させ、流体接続を確立するためにインターフェース構造体５０５Ｅの上を摺動することによって、インターフェース構造体５０５Ｅに接続され得る。特定の例において、容器５０３Ｅは、約５００ｍｌより大きい、約１Ｌより大きい、又は約３Ｌより大きい容量を有することができる。容器５０３Ｅがそのような大きい容量を有する場合、充填状態の供給装置５０１Ｅの重量、及び／又はその比較的大きな容量のため、本開示の他の例においてのように、供給装置が受容ステーションに向かって移動するのではなくて、受容ステーション５０７Ｅが供給装置５０１Ｅに向かって移動されるべきであるシステムを選択する理由が存在する場合がある。図示された例において、容器５０３Ｅの第３の寸法Ｄ３は、インターフェース構造体５０５Ｅの第３の寸法ｄ３よりも著しく大きい。特定の例において、容器５０３Ｅの第３の寸法Ｄ３は、インターフェース構造体５０５Ｅの第３の寸法ｄ３の少なくとも２倍であり、又はインターフェース構造体５０５Ｅの第３の寸法ｄ３の少なくとも３倍である。
【０２１２】
理解されるように、図４２〜図４７の図面において、供給装置の特定の構成要素は、図８及び図９の供給装置のような、先の図面の先に開示された供給装置に関して、直線軸および直角に沿って移動および／または回転されており、図４２〜図４７と一致する他の類似した例において、個々の供給装置構成要素は、非直角で傾けられることができ、また、個々の寸法Ｄ１、ｄ１、Ｄ２、ｄ２、Ｄ３、ｄ３は、対応する非直角で傾けられ得る。また、図８及び図９の供給装置は、取り付けられた状態において、図示に対して傾けられ得る。例えば、供給装置は、傾けられた状態において受容ステーションに取り付けられることができ、それにより主液体流れ方向ＤＬは、水平または垂直に対して傾けられ及び／又は回転し、個々の寸法Ｄ１、ｄ１、Ｄ２、ｄ２、Ｄ３、ｄ３はそれに応じて傾斜する。いずれにしても、やはり理解されるべきは、本開示の全体にわたって、裏面、前面、上部、側面、側部、底部、高さ、幅、又は長さ、或いは周囲の三次元空間に関して寸法、向き（配向）又は方向に関する他の態様に言及する場合、これは、これが機能的に決定されている特定の例ではない限り、供給装置の構成要素の向きを固定すると解釈されるべきではない。むしろ、向き（配向）に関する特定の態様は、例示および明確化のために記載されている。
【０２１３】
図４８は、サプライ容器のためのインターフェース構造体６０５Ａの異なる例の概略正面図（左側）及び側面図（右側）を示し、例えば、図８及び図９に関連して説明された例示的な薄型のインターフェース構造体と同様の寸法ｄ１、ｄ２、ｄ３を有する。図４８のインターフェース構造体６０５Ａは、両側面にリセス６７１Ａを有し、その一方が集積回路６７４を収容する液体インターフェース６１５Ａと、インターフェース前縁６５４Ａｂを含むインターフェース前面とを含む。インターフェース前面押し領域および押し縁部の双方として機能するインターフェース前面押し縁部６５４Ａｂは、ニードルの保護構造を押すのに十分である。リセス６７１Ａは、側面６３９Ａにおいて少なくとも部分的に開くことができ、横方向ガイド特徴要素６３８Ａ、例えば個々のガイドスロット６４２Ａも画定することができる横方向開口を形成する。
【０２１４】
インターフェース前縁６５４Ａｂは、例えば、流体ニードルを解放するために保護構造を押すために、液体インターフェース６１５Ａに隣接して遠位側６３７Ａに対向して延びる。インターフェース前縁６５４Ａｂは、容器に組み付けられる際にインターフェース構造体６０５Ａが突出する容器側部に隣接して延びる。集積回路コンタクトパッド６７５Ａは、液体インターフェース６１５Ａの遠位側６３７Ａを画定する壁の内側に、液体出力インターフェース６１５Ａに横方向に隣接して設けられる。
【０２１５】
インターフェース構造体６０５Ａは、図１７において、それぞれ、他の例示的なガイド特徴要素１３８及び１４０に関連したガイドレールのような、受容ステーションの対応するガイドレールと係合するように、横方向および中間のガイド特徴要素６３８Ａ、６４０Ａを含む。図４８の本例において、横方向の長手方向ガイド特徴要素６３８Ａは、例えば、インターフェース構造体６０５Ａの第２の寸法ｄ２に沿って延びる対向する縁部６４５Ａの形態で、インターフェース構造体６０５Ａの側面６３９Ａに設けられ、それにより、対向する縁部６４５Ａは、個々のガイドレールに係合するように適合され得る。ガイドスロット６４２Ａは、対向する縁部６４５Ａによって形成される。横方向の長手方向ガイド特徴要素６３８Ａは、第１のインターフェース寸法ｄ１に沿った方向における移動の自由度を制限しながら、第２のインターフェース寸法ｄ２に沿った方向におけるインターフェース構造体６０５Ａの案内を容易にすることができる。中間の長手方向ガイド特徴要素６４０Ａは、例えば、インターフェース構造体６０５Ａの第２の寸法ｄ２に沿って延びる対向する縁部６４７Ａの形態で、インターフェース構造体６０５Ａの遠位側６３７Ａに設けられ、それにより、対向する縁部６４７Ａは、対応するガイドレールに係合するように適合され得る。中間の長手方向ガイド特徴要素６４０Ａは、第３のインターフェース寸法ｄ３に沿った方向の移動の自由度を制限しながら、第２のインターフェース寸法ｄ２に平行な方向においてインターフェース構造体６０５Ａの案内を容易にすることができる。中間ガイドスロット６４４Ａは、対向する縁部６４７Ａによって形成され得る。縁部６４５Ａ、６４７Ａは、図１４、図１７Ａ及び図１７Ｂに関連して説明されたように、前述した第２の横方向ガイド面１４５及び第２の中間ガイド面１４７と同様の機能を有することができる。
【０２１６】
更に、貫通スロット６４２Ａは、フック（図１８に示されるように）のためのクリアランスとして機能することができる。当たり止め面６６３Ａは、横方向の前面壁部分６６３ＡＡの一部であることができる、スロット６４２Ａの前に設けられ得る。特定の例において、中間スロット６４４Ａ及び横方向スロット６４２Ａの一方は、対応するガイドレールをクリアするためのクリアランススロットである。
【０２１７】
図４９は、供給装置６０１Ｂの一例の図を示し、この場合、インターフェース構造体６０５Ｂは、別個に製造されたインターフェース構成要素を有する。また、図４９は、低減されたガイド特徴要素６４１Ｂ、６４３Ｂを有する例示的なインターフェース構造体６０５Ｂを示す。インターフェース構造体６０５Ｂは、液体チャネルインターフェース６１５Ｂ、インターフェース６１５Ｂにそれぞれ隣接したインターフェース前面領域および縁部６５４Ｂａ、６５４Ｂｂ、個々のキーペンを含むキー構成要素６６５Ｂ、及びコンタクトパッドを含む集積回路構成要素６７５Ｂを含む。説明のために、構成要素は、別個のブロックとして描かれており、インターフェース構造体６０５Ｂを形成するために一緒に組み立てられる必要がある別個の構成要素に対応する。当該構成要素は、別個に成形および／または押し出し成形され得る。
【０２１８】
インターフェース構造体６０５Ｂは、インターフェース構造体６０５Ｂの側面６３９Ｂにおいて直線状で平坦な横方向ガイド面６４１Ｂと、遠位側６３７Ｂにおいて直線状で平坦な遠位ガイド面６４３Ｂとを含む。例えば、横方向ガイド面６４１Ｂは、第１及び第２のインターフェース寸法ｄ１、ｄ２にほぼ並行に延び、中間ガイド面６４３Ｂは、第２及び第３のインターフェース寸法ｄ２、ｄ３と平行に延びる。一例において、ガイド面６４１Ｂ、６４３Ｂは、図１７のガイドレールの内側に係合するように適合される。ガイド面６４１Ｂ、６４３Ｂは、第３の寸法Ｄ３、ｄ３に平行な方向において移動の自由度を制限しながら、第２の寸法Ｄ２、ｄ２に平行な方向において受容ステーションにおけるインターフェース構造体６０５Ｂの摺動を容易にすることができ、例えば、受容ステーションの対応する対向した横方向ガイドレール又はガイド面の間であるが、インターフェース構造体のガイド面は、依然として、第１の寸法Ｄ１、ｄ１に沿った移動の幾らかの自由度（例えば、図４９の図面において上方）を可能にする。
【０２１９】
図５０は、供給装置６０１Ｃの別の例の図を示す。他の例に類似して、供給装置６０１Ｃのインターフェース構造体６０５Ｃは、液体インターフェース６１５Ｃ、インターフェース前面領域および縁部６５４Ｃａ、６５４Ｃｂそれぞれ、及び遠位側６３７Ｃの近くの集積回路コンタクトパッド６７５Ｃを含む。一例において、中間ガイド特徴要素６３８Ｃは、インターフェース構造体６０５Ｃの遠位側６３７Ｃの近くに設けられる。中間ガイド特徴要素６３８Ｃは、受容ステーションの対応するガイドレールと係合するための少なくとも１つの表面を含むことができる。この例示的なインターフェース構造体６０５Ｃでは、横方向ガイド特徴要素は省略されており、それにより、ユーザが、ガイド面がない又は殆どない状態で、又は中間ガイド特徴要素６３８Ｃが位置決めのための幾つかのガイド機能を提供することができる中間ガイド特徴要素６３８Ｃが存在する例において、流体ニードルに対して液体インターフェース６１５Ｃを手動で位置決めする必要がある場合がある。また、容器６０３Ｃの対向する横方向側壁６５１Ｃは、受容ステーションに対して粗い案内を提供することができる。図示された例において、リセス６７１Ｃは、容器底部側面６１３Ｃに沿って、及び液体チャネルのニードル受容液体チャネル部分に沿って延びる。集積回路および／または集積回路コンタクトパッド６７５Ｃは、接触面が容器６０３Ｃに向かって露出された状態で、リセス６７１Ｃ内に延びる。リセスは、ニードル受容液体チャネル部分とは反対側の側面に開いている。
【０２２０】
図５０Ａは、供給装置６０１Ｄ及びそのインターフェース構造体６０５Ｄの更なる例の図を示し、それによって、個々のリセス６７１Ｄは、インターフェース構造体６０５Ｄの側面６３９Ｄに開いている。リセス６７１Ｄは、基部壁６６９Ｄ、液体チャネル６１７Ｄのニードル受容部分の壁、個別の容器側部６１３Ｄ、及びインターフェース構造体６０５Ｄの遠位側６３７Ｄの内壁６３７Ｄ１によって区切られる。キーペン６６５Ｄは、個々の基部壁６６９Ｄから液体チャネルに隣接して及び当該液体チャネルにほぼ平行に延びる。ガイドスロットのような中間ガイド特徴要素６４０Ｄは、出力インターフェース６１５Ｄが図示されている液体チャネルのニードル受容部分に隣接して、かつ当該ニードル受容部分に沿って設けられ得る。中間ガイド特徴要素６４０Ｄは、受容ステーションの相手方のガイド面に対して、第３のインターフェース寸法に平行な逆方向において移動の自由度を制限するように適合され得る。インターフェース構造体６０５Ｄの遠位側６３７Ｄの末端縁は、（i）例えば、受容ステーションの横方向ガイド面と係合するための第１の横方向ガイド面６４１Ｄ、及び／又は（ii）例えば、受容ステーションの横方向ガイドレールと係合するための第２の横方向ガイド面６４５Ｄを画定することができ、第１の横方向ガイド面６４１Ｄ及び第２の横方向ガイド面６４５Ｄは、第２のインターフェース寸法に沿って延びる。
【０２２１】
別の例において、インターフェース構造体６０５Ｄが突出する容器６０３Ｄの遠位側６３７Ｄと側部６１３Ｄとの間の側面６３９Ｄにおける開口は、ガイドレールによって案内されるのではなく、受容ステーションの横方向ガイドレールをクリアするためのクリアランススロット６４２Ｄを画定することができる。同様に、遠位側６３７Ｄには、中間ガイドスロット６４０Ｄの代わりに中間ガイドクリアランススロットを設けることができる。特定の例において、幾つかの案内がキーペン６６５Ｄを通じて得られることができるので、別個のガイド特徴要素を設ける必要はない場合があるが、特定のガイドレールが受容ステーションへ入るためにクリアされる必要がある場合がある。
【０２２２】
図５０Ｂは、供給装置６０１Ｅ及びそのインターフェース構造体６０５Ｅの別の例に関する図を示す。インターフェース構造体６０５Ｅは、液体インターフェース６１５Ｅのみが示されている液体出力チャンネルのニードル受容部分に平行に、且つ当該ニードル受容部分に隣接して延びるキーペン６６５Ｅを含む。各キーペン６６５Ｅは、キーペン６６５Ｅの基部において、キーペン６６５Ｅを個々の基部壁６６９Ｅに接続するための基部部分６８３Ｅを含む。この例において、キーペン６６５Ｅの基部壁６６９Ｅは、インターフェース構造体６０５Ｅが突出する容器６０３Ｄの側部６１３Ｅにおいて延びる。例えば、インターフェース構造体６０５Ｅは、インターフェース構造体６０５Ｅが例えば、その容器側部６１３Ｅにほぼ平行に突出する容器側部６１３Ｅに近接した近位側６３７Ｅ１において支持壁６３７Ｅａ１を有することができる。キーペン基部部分６８３Ｅは、近位側６３７Ｅ１から突出する。キーペン６６５Ｅは、基部部分６８３Ｅと、ニードル挿入方向ＮＩ及びニードル受容液体チャネル部分の主液体流れ方向ＤＬとほぼ平行に延びる長手方向キーペン部分との間で湾曲する場合がある。近位支持壁６３７Ｅａ１は、壁６３７Ｅａ１の末端縁が、受容ステーション６０９Ｅのガイド面に対して、第３のインターフェース寸法の方向において移動の自由度を制限するための第１の横方向ガイド面６４１Ｅのような、横方向ガイド特徴要素６３８Ｅを形成することができる側面まで延びることができる。例えば、インターフェース構造体６０５Ｅは、受容ステーションの突出するガイドレールに係合しない。インターフェース構造体６０５Ｅは更に、遠位側６３７Ｅを画定する支持壁６３７Ｅａに沿って、集積回路および／または集積回路コンタクトパッド６７５Ｅを含むことができ、それにより遠位側６３７Ｅ及び集積回路コンタクトパッドが延びる壁は、第３及び第２のインターフェース寸法と平行であることができる。リセス６７１Ｅは、遠位側６３７Ｅとコンタクトパッド６７５のその壁、液体出力チャネルのニードル受容部分、及びインターフェース構造体６０５Ｅの近位側６３７Ｅ１によって画定される。キーペン６６５Ｅの１つは、リセス６７１Ｅに沿って、又は当該リセス６７１Ｅの内側に部分的に延びることができる。
【０２２３】
図５０Ａ及び図５０Ｂにおいて、キーペン６６５Ｅは、（i）受容ステーション間の区別をすること、又は（ii）受容ステーション間の区別をしないことの１つのために、所定の横断面を有することができ、それにより、後者はマスターキーペンであることができる。キーペン６６５Ｄ、６６５Ｅの遠位作動表面領域は、他の例示的なキーペン構造に関して前述されたように、概ね前面６５４Ｄ、６５４Ｅまで、又は前面６５４Ｄ、６５４Ｅを越えてインターフェース構造体６０５Ｄ、６０５Ｅから更に外へ延びることができる。
【０２２４】
図５０Ｃは、別の例示的な供給装置６０１Ｆ及びインターフェース構造体６０５Ｆの図を示す。ここで、インターフェース構造体６０５Ｆは、側面６３９Ｆにおいて少なくとも１つの第１の横方向ガイド面６４１Ｆを含み、当該第１の横方向ガイド面６４１Ｆは、受容ステーションの対応する横方向ガイドレールをクリアするための横方向クリアランススロット６４２Ｆを有する。図示された例において、２つの対向する第１の横方向ガイド面６４１Ｆが、横方向クリアランススロット６４２Ｆの両側に設けられる。双方の側面６３９Ｆには、第１の横方向ガイド面６４１Ｆ及びクリアランススロット６４２Ｆが設けられ得る。更なる例において、当たり止め面６６３Ｆのような固定特徴要素が、インターフェース構造体６０５Ｆの前面の近くに設けられることができ、例えば、横方向クリアランススロット６４２Ｆを一方または双方の側面６３９Ｆにおいて架橋する。インターフェース構造体６０５Ｆは、遠位側６３７Ｆにおいて少なくとも１つの第１の中間ガイド面６４３Ｆを含むことができ、当該第１の中間ガイド面６４３Ｆは、受容ステーションの対応するガイドレールをクリアするための中間クリアランススロット６４４Ｆを有する。図示された例において、２つの対向する第１の中間ガイド面６４３Ｆは、中間クリアランススロット６４４Ｆの両側に設けられる。クリアランススロット６４２Ｆ、６４４Ｆは、ガイドレールにより案内されることなく、受容ステーションのガイドレールに沿ったインターフェース構造体６０５Ｆの通過を容易にすることができる。一例において、容器６０３Ｆ及び／又はキーペン６６５Ｆの第１のガイド面６４１Ｆ、６４３Ｆ及び／又は外壁は、液体インターフェース６１５Ｆを受容ステーションの液体入力に流体的に連通するように接続するのに十分な案内を提供することができる。
【０２２５】
図４８、図４９、図５０、図５０Ａ、図５０Ｂ及び図５０Ｃの例示的なインターフェース構造体は、本開示に記載された他の例示的なインターフェース構造体と同様に、容器から突出することができ、例えば、第１の容器側部から突出し、当該第１の容器側部は、第１の容器側部とほぼ直角をなす第２の容器側部の近くであり、第２の容器側部の反対側にあり且つ第２の容器側部から少し離れた、容器の対向する第３の側部から少し離れており、それにより、当該容器は、当該第３の側部に向かう突出方向において液体インターフェース縁部を越えて突出することができる。また、例えば、個々のリザーバに接続するためにインターフェース構造体から突出する液体チャネルリザーバ接続部分が、設けられ得る。本開示の他の例と同様に、インターフェース構成要素は、互いに対して、及び／又は中心平面ＣＰに対して同様の位置を有することができる。
【０２２６】
図５１は、図５０の図面と同様に、固定キーを含まないインターフェース構造体６０５Ｇの一例の水平断面図を示す。インターフェース構造体６０５Ｇは、液体チャネルインターフェース６１５Ｇを含む液体チャネル６１７Ｇ、及び容器に接続するための更なるリザーバ接続部分６２９Ｇを含む。別個のキーペン構造体６６５Ｇが提供され、これは、操作者が、別個のキーペン構造体６６５Ｇでもって受容ステーションにおける特定のアクチュエータを作動またはロック解除する一方で、インターフェース構造体６０５Ｇを受容ステーションの液体ニードル及びデータ接続と接続することを可能にする。この例において、キーペン構造体６６５Ｇは、本開示の全体にわたって示された例示的なキーペンの対の何れかと同様であることができる一対のキーペンを含む。当該一対のキーペンは、キーペン構造体６６５Ｇの手動操作を容易にするために、例えばグリップ部分６６９Ｇを介して、単一のキーペン構造体６６５Ｇを介して接続され得る。
【０２２７】
図５２及び図５３はそれぞれ、前の例とは異なる例示的な固定特徴要素７５７Ａを有する例示的な供給装置７０１Ａ、及び前の例よりも異なる例示的なインターフェース構造体７０５Ａの概略正面図および側面図を示す。単一の構造体７０５Ａ２は、インターフェース構造体７０５Ａ及び容器支持部分７１３Ａを含む。単一の構造体７０５Ａ２は、別個に製造されることができ、例えば、容器７０３Ａの残りの部分へ後に組み付けるための成形された構造体であることができる。本例において、支持部分７１３Ａは、容器７０３Ａの突出部分７２３Ａに多少の支持を提供し、当該支持部分７１３Ａと突出部分７２３Ａの双方は、インターフェース構造体７０５Ａの液体インターフェース７１５Ａを越えて突出する。インターフェース構造体部分７０５Ａは、支持部分７１３Ａの底部から突出する。インターフェース構造体部分７０５Ａは、液体チャネルインターフェース７１５Ａ、集積回路コンタクトパッド、及びその第１、第２及び第３の寸法内の少なくとも１つのガイド特徴要素、キーペンなどを含む受容ステーションと接続して機能する構成要素を含む。インターフェース構造体７０５Ａの外形高さを決定する第１のインターフェース寸法ｄ１は、支持部分７１３Ａの底部とインターフェース構造体７０５Ａの底部との間に延びる。
【０２２８】
供給装置７０１Ａは、少なくともある程度、供給装置７０１Ａを受容ステーションの壁７０７Ａに固定することができる固定特徴要素７５７Ａを含む。一例において、固定特徴要素７５７Ａは、供給装置を受容ステーションに摩擦嵌合させるための、例えばエラストマー材料からなるパッド又は要素を含む。供給装置７０１Ａは、受容ステーションの壁間で押し付けられることができ、それにより、エラストマー材料は、供給装置７０１Ａを着座状態に保持するために、対向する受容ステーション壁７０７Ａ間の多少のクランプ力と組み合わせて、十分な摩擦力を提供する。他の固定特徴要素は、例えば受容ステーションの縁部にラッチで止める、引っ掛ける又はクリップ留めするために、ラッチ、フック、又はクリップを含むことができる。これらの他の固定特徴要素は、構造体７０５Ａ２又はインターフェース構造体７０５Ａのような供給装置構成要素の何れかに設けられ得る又はそれに取り付けられ得る。側面１３９においてクリアランス１５９及び当たり止め１６３を含む、本開示の他の部分で扱われる例示的な固定特徴要素１５７は、省略されてもよく、これらの他の固定特徴要素または摩擦嵌合要素に置き換えられてもよいが、液体インターフェース７１５Ａ、集積回路コンタクトパッド、キーペン、ガイド特徴要素などの１つ又は複数のような特定の他のインターフェース構成要素が、インターフェース構造体７０５Ａに含まれ得る。
【０２２９】
図５４及び図５５はそれぞれ、別の例示的な供給装置７０１Ｂの概略側面図および背面図を示し、この場合、支持構造体７３５Ｂの一部がインターフェース構造体７０５Ｂの上に延びる。支持構造体７３５Ｂの後壁７２５Ｂ及び／又は側壁７５１Ｂは、インターフェース構造体７０５Ｂの突出距離にわたって、即ち第１の容器寸法およびインターフェース寸法Ｄ１、ｄ１の双方に沿って、インターフェース構造体７０５Ｂに沿って延びる。横方向ガイド特徴要素は、インターフェース構造体７０５Ｂに隣接して支持構造体７３５Ｂの側壁７５１Ｂに設けられ得る（図示せず）。インターフェース構造体７０５Ｂは、ある程度、支持構造体７３５Ｂに埋め込まれ得る。
【０２３０】
図５６及び図５７は、本開示の態様による別の例示的な供給装置７０１Ｃの斜視図を示し、それぞれ部分的に分解された状態および組み立てられた状態で示す。図示された例において、支持構造体７３５Ｃは、概してスリーブ形状であることができ、バッグリザーバ７３３Ｃがスリーブ形状支持構造体７３５Ｃへ滑り込むことができることを容易にする。支持構造体７３５Ｃは、スリーブ形状本体部分７５１Ｃ、及びスリーブ形状本体部分７５１Ｃの個々の端部をそれぞれ閉じるための後壁および前壁７２５Ｃ、７３１Ｃを含むことができる。本体部分７５１Ｃは、インターフェース構造体７０５Ｃが突出する開口を含むことができ、それにより、当該開口は、裏面７２５Ｃの近くに設けられることができ、突出部分７２３Ｃは、前面７３１Ｃに向かって本体部分７５１Ｃの長さの大部分にわたって延びることができる。一例において、支持構造体７３５Ｃは、プラスチック材料を含む。裏面７２５Ｃ及び本体部分７５１Ｃは、予め取り付けられる場合があるか、又は単一の一体型本体を形成する場合がある。一例において、インターフェース構造体７０５Ｃは、裏面７２５Ｃ及び／又は本体部分７５１Ｃに取り付けられ得る、又はそれらの一体となっている部分であることができる。主液体流れ方向ＤＬは、インターフェース構造体７０５Ｃの上に及びそれを越えて突出する突出部分７２３Ｃに沿って、液体インターフェースから外へ延びることができる。
【０２３１】
図５８及び図５９は、本開示の異なる態様による別の例示的な供給装置７０１Ｄの一部の斜視図を示し、この場合、双方の図面において、バッグリザーバは省略されており、図５９において、供給装置７０１Ｄは、受容ステーション７０７Ｄへ挿入されている間で示される。支持構造体７３５Ｄは、バッグを支持するためのトレイ、例えば、ボール紙（カートン）トレイであることができる。液体インターフェース縁部７１６Ｄを越えた支持構造体７３５Ｃの突出距離ＰＰは、図５８に示されており、容器が、液体インターフェース縁部７１６Ｄを越えて主液体流れ方向ＤＬに対して平行に如何にして突出するかを示す。インターフェース構造体７０５Ｄは、支持構造体７３５Ｄの個々の側部７１３Ｄから、この例では、第１のインターフェース寸法ｄ１の範囲にわたって上側から突出する。インターフェース構造体７０５Ｄは、受容ステーションの液体入力に対して液体出口インターフェース７１５Ｄを位置決めするために、インターフェース構造体７０５Ｄの横方向側部および遠位側において、円筒状の細長い横方向ガイド特徴要素７３８Ｄを含み、当該円筒状の細長い横方向ガイド特徴要素７３８Ｄは、第１及び第３のインターフェース寸法の方向において自由度を制限しながら、主液体流れ方向ＤＬに沿って、受容ステーション７０７Ｄの対応するガイドレール７３８Ｄ１に対してインターフェース構造体７０５Ｄを案内する働きをする。
【０２３２】
図６０は、複数の流体インターフェースを含む例示的な供給装置８０１及びインターフェース構造体８０５の図を示す。容器８０３は、支持構造体８３５及びリザーバ８３３のうちの少なくとも１つを含むことができる。インターフェース構造体８０５は、キーペン８６５、集積回路コンタクトパッド８７５、ガイド特徴要素などのうちの少なくとも１つを含むことができる。更に、一例において、図６０のインターフェース構造体８０５は、リザーバ８３３を単一の受容ステーションの２つの流体ニードルと接続するための２つの液体チャネル８１７Ａ、８１７Ｂを含む。液体チャネル８１７Ａ、８１７Ｂは、液体入力および液体出力を含むことができ、又は液体チャネルとインターフェースの双方８１７Ａ、８１７Ｂ、８１５Ａ、８１５Ｂは、双方向であることができる。液体チャネル８１７Ａ、８１７Ｂは、例えば、ニードルに対してシールするためのシールを含む、受容ステーションの個々の液体インターフェースに接続するための個々のインターフェース８１５Ａ、８１５Ｂを含む。この例示的な供給装置８０１は、リザーバ８３３内の液体の混合または循環を容易にする。リザーバ８３３内の液体を混合、移動または再循環することは、例えば、キャリヤ液体中の粒子の沈降を防止するために、顔料インク又は他の液体に有利であることができる。
【０２３３】
液体チャネル構成要素８１５Ａ、８１５Ｂ、８１７Ａ、８１７Ｂ以外の異なるインターフェース構成要素は、本開示の他の例の場合と同様に、類似した機能、位置および配向を有する。複数の液体インターフェース８１５Ａ、８１５Ｂ及びチャネル８１７Ａ、８１７Ｂは、互いに隣接して配置されることができ、又は恐らく中間に他のインターフェース構成要素を用いて互いから間隔をあけることができる。例えば、インターフェース８１５Ａ、８１５Ｂ及び／又はチャネル８１７Ａ、８１７Ｂの一方または双方は、側面８３９に近づくことができ、それにより例えば、集積回路または少なくとも１つのキーペンのような特定のインターフェース構成要素が、異なるインターフェース８１５Ａ、８１５Ｂの間および／またはチャネル８１７Ａ、８１７Ｂの間に延びることができる。
【０２３４】
他の例において、本開示の容器は、液体リザーバ、及び当該リザーバの内部に接続されたベント（通気孔）及び／又は加圧機構を含むことができる。例えば、係る容器は、比較的剛性または硬質シェルの液体リザーバを含むことができる。二次流体インターフェースが、図６０と同様に設けられることができ、この場合、二次流体インターフェースは、容器の内部加圧機構に接続することができる。加圧機構は、リザーバ内部の加圧を可能にするために、バッグ、膨脹可能なチャンバ、フレキシブルなフィルム（薄膜）、バルーン、又は空気送風接続などを含むことができる。係る容器は、比較的小容量の供給装置用であることができる。インターフェース構造体は、比較的剛性の容器の個々の側部から突出することができる。
【０２３５】
また、本開示は、液体チャネル及び液体インターフェースを扱うが、液体チャネル及び液体インターフェースは、任意の流体、例えば気体を含む液体を輸送するように働くことができることにも留意されたい。
【０２３６】
本開示の様々な例において、集積回路および個々のコンタクトパッドが説明される。係る集積回路は、データ記憶デバイス及び特定のプロセッサロジックを含むことができる。集積回路は、マイクロコントローラ、例えば、セキュアマイクロコントローラとして機能することができる。記憶デバイスに格納されたデータは、液体の特性の少なくとも１つ、残っている液体容積を示すデータ、製品ＩＤ、デジタル署名、認証されたデータ通信のためのセッションキーを計算するためのベースキー、及び色変換データなどを含むことができる。更に、専用のチャレンジレスポンスロジックが、データ記憶デバイス及びプロセッサロジックに加えて、集積回路内に設けられることができる。供給装置は、集積回路が応答する必要があるという特定のチャレンジを発行することによって、プリンタコントローラにより認証され得る。集積回路は、メッセージ認証コード、セッションキー、セッションキー識別子、及びデジタル署名されたデータのうちの少なくとも１つを、プリンタコントローラによる検証のために戻すように構成され得る。特定の例において、供給装置が接続されるプリンタの保証、動作条件および／またはサービス条件は、プリンタコントローラによる集積回路の肯定的な認証に依存することができる。肯定的な認証を確立することができない場合、これは、プリンタに対する損傷またはより低い品質の印刷出力のリスクを増加させる場合がある未知の又は認可されていないサプライの使用を指摘することができる。集積回路が肯定的に認証されることができない場合、プリンタコントローラは、セーフモード又はデフォルト印刷モード（例えば、より安全なプリンタ動作条件が低減された状態）への切り替えを容易にすることができ、及び／又は修正された保証条件および／またはサービス条件を容易にすることができる。
【０２３７】
本開示において、構成要素の前面、裏面、頂部、底部、側部、側面、高さ、幅、及び長さに言及する場合、これは、原理的には、説明のためだけのものとして解釈されるべきであり、その理由は、供給装置の構成要素が三次元空間において任意の適切な方向に配向され得るからである。例えば、変形可能な液体リザーバは、任意の配向において空にされることができ、それにより、液体インターフェース及び主液体流れ方向は、それに応じて上方、下方、横方向などのような任意の方向に向けられることができ、リザーバは、それに応じて、任意の方向にぶら下がる、突出する、起立する、傾く又は向くことができる。本開示の供給装置およびインターフェース構造体は、任意の向きにおいて異なるタイプの受容ステーション又はプリンタへの接続を容易にすることができる。
【０２３８】
本開示において、幾つかの例が示され、この場合、容器およびインターフェース構造体は、別個に製造された構成要素であり及び／又は別個に製造された構成要素を含み、例えば、当該容器はボール紙およびバッグを含み、当該インターフェース構造体は成形されたアセンブリを含み、他の例において、容器およびインターフェース構造体は、少なくとも部分的に一緒に製造（例えば、成形）されることができ、又は容器の特定の構成要素は、インターフェース構造体の特定の構成要素とともに成形され得る。
【０２３９】
インターフェース構造体の第１、第２及び第３の寸法は、ｘ軸、ｙ軸、及びｚ軸を意味し、インターフェース構造体が延びる範囲を意味する。説明および図示されるように、インターフェース構造体の特定の例示的な部分は、リザーバ接続液体チャネル部分または特定の突出する支持フランジのような、第１、第２及び第３のインターフェース寸法の外側に延びることができる。従って、インターフェース寸法ｄ１、ｄ２、ｄ３は、受容ステーションと接続して機能するためのインターフェース構成要素の幾つか又は全てが延びるインターフェース構造体の突出部分を指す場合がある。例えば、集積回路を支持する前面押し領域縁部および遠位側は、第１のインターフェース寸法ｄ１内に延び、及び／又は当該第１のインターフェース寸法ｄ１を画定することができる。例えば、インターフェース構造体の外側側面は、第３のインターフェース寸法を画定することができ、これらの側面がない場合、少なくとも対向するキーペンは、第３のインターフェース寸法ｄ３内に延びることができる。インターフェース構造体の前面液体インターフェース縁部および裏面は、第２のインターフェース寸法ｄ２を画定することができる。
【０２４０】
本開示において、軸および方向について言及される。軸は、３次元空間における特に配向された仮想基準線を意味する。方向は、一般的な進路または方向を意味する。
【０２４１】
一例において、液体は、主に容器リザーバから受容ステーションに流れることができ、従って、本開示において、個々の流れ方向部分は、主液体流れ方向に沿って「上流」および「下流」と呼ばれ得る。しかしながら、容器と液体インターフェースとの間のチャネル内に双方向の流れが存在する場合があり、それにより、時間期間中、液体は、受容ステーションから容器に向かって流れる場合がある。また、所与の時点でそれぞれ反対の方向の流れを有する２つの液体チャネルが存在する場合がある。理解されるように、下流および上流の定義は、印刷のために容器と受容ステーションとの間の流れの主な方向を基準としている。所与の時点で、それぞれが容器内のインクを再循環させるための逆方向の流れを有する２つの流体ニードルが存在する例において、２つの同様の液体チャネル及びインターフェースが供給装置内に設けられ得る。やはり、各液体チャネルは、チャネルの内部で及びインターフェースを介して任意の方向における流れを容易にするように適合され得る。更に、主流れ方向は、印刷のために液体を供給するために受容ステーションに向かって流れる必要がある液体の一般的な正の差分によって決定される。
【０２４２】
受容ステーションが、供給装置内の液体を再循環または混合するための単一の供給装置に接続するために２つの突出ニードルを有する場合、所与の時点で、受容ステーションの一方のニードルが入力として働き、他方のニードルが出力として働くことができる。それに応じて、インターフェース構造体は、２つの液体インターフェース及び２つの液体チャネルを含むことができ、一方の液体インターフェースは、入力として働き、他方は出力として働くが、各ニードル及びインターフェースを通る双方向の流れが存在する場合がある。任意の第２のニードル及び対応する第２の液体インターフェースは、本開示の全体にわたって扱われるように、第１のニードル及び液体インターフェースと同様の設計および構成を有することができ、それにより、第１及び第２のニードル／インターフェースが平行に延びて、受容ステーションに対する供給装置の挿入および取り外しを容易にすることができる。２つの液体チャネル及びインターフェースが使用される場合、インターフェース前面または前面押し領域のような他のインターフェース構成要素も、同様に複製または拡大され得る。
【０２４３】
二次液体ニードルと同様に、本開示内に含まれる更なる例において、例えば、リザーバと支持構造との間の空間にガスを伝達するために、又は主液体リザーバ内の二次ガスリザーバとガスを連通させるために、ガスを供給装置と連通させるための更なる流体ニードルが存在する場合がある。係る更なる流体またはガスインターフェースは、加圧、サービス、又は他の機能を容易にすることができる。これらの例において、ガスインターフェースは、開示されたインターフェース構成要素に隣接して又はそれらの間に設けられ得る。
【０２４４】
主液体流れ方向が延びる軸は、ニードル受容液体チャネル部分および／または内部シールチャネルの内壁により、例えば、これらの液体チャネル構成要素の中心軸によって決定され得る。理解されるように、液体が正確に直線状に流れず、又は内部液体案内チャネル壁が完全に円形または直線形状を有する必要はなく、それにより特定の例において、正確な液体流れ軸を決定することが困難である場合がある。当業者ならば理解されるように、液体の流れ方向は、例えば、ニードル軸に沿って、挿入されたニードルを介して、供給装置からプリンタ受容ステーションへの流れの一般的な方向を反映することが意図されている。また、ニードル挿入方向は、ニードルの挿入を可能にするために、例えば、これらの液体チャネル構成要素の中心軸によって、ニードル受容液体チャネル部分および／または内部シールチャネルの内壁によって決定され得る。主液体流れ方向は、ニードル挿入方向に平行であり且つ当該ニードル挿入方向と逆である。
【０２４５】
本開示において、特定の特徴要素は、類似の名前または目的を有する異なる態様または特徴を識別するために、「第１の」、「第２の」、「第３の」などとして識別される。例えば、本開示は、平面、ガイド特徴要素、リセス、キー、及び他の特徴要素のセットを扱い、この場合、これらのセット内の個々の特徴要素は、係る「第１の」、「第２の」などにより識別される。理解されるように、このタイプの識別は、類似の態様または目的を有する特徴を区別することを意図されているが、特許請求の範囲および説明の全体にわたって、文脈に応じて、異なる付番が同じ特徴要素に使用される場合がある。例えば、文脈に応じて、説明の第６又は第７の平面は、従属請求項または本記載の別の場所において、第１の平面または第２の平面または中間平面またはオフセット平面と呼ばれる場合がある。
【０２４６】
本開示で示される長さよりも短い又は長いキーペンの長さは、作動を容易にするために具現化されることができ、例えば、１０ｍｍより短く又は２３ｍｍより長くすることができる。また、色識別キーペン又は非識別マスターキーペンを使用することができ、それにより、それらの何れかが、液体インターフェース縁部を越えて、例えば、主液体流れ方向において液体インターフェース縁部を超えて５ｍｍより遠くへ、又は１０ｍｍより遠くへ突出することができる。
【０２４７】
本開示のサプライは、比較的ユーザフレンドリーな方法で、比較的高重量を有する完全に充填された状態で挿入されることができ、その後、比較的より軽い重量を有する実質的に使い尽くされた状態で取り外されることができる。装着中に、キーペンは、挿入と排出との間の重量差に適応するように較正され得る受容ステーションの伝達機構上で作動することができる。例えば、比較的軽い押しは、充填された比較的高重量の供給装置を挿入するのに十分であることができる一方で、使い尽くされた後、空の比較的低重量の供給装置が、受容ステーションに対して発射するのを防止され得る。インターフェース構造体は、充填された比較的高重量の供給装置の受容液体ニードルに対する案内された比較的正確な位置合わせを容易にすることができ、それにより操作者から必要とされる努力と経験は、比較少量である。
【０２４８】
本開示において扱われる特定の態様は、環境に対する潜在的な影響を低減する材料および構成要素の使用を容易にすることができる。本開示で扱われる特定の態様は、供給装置および関連するプリンタの空間および設置面積の効率性を容易にする。例えば、供給装置は、比較的薄いアスペクト比を有することができる。例えば、インターフェース構造体は、その第１の寸法によって規定されるように、比較的低い突出の外形（プロファイル）高さを有することができる。
【０２４９】
本開示において扱われる他の態様は、供給装置構成要素の強化されたモジュール方式を容易にすることができる。例えば、インターフェース構造体は、異なるプリンタプラットフォームのための広範囲の異なる供給容量に使用され得る。一例において、単一の容器またはリザーバは、部分的に充填することによって、複数の容量の供給装置に使用され得る。例えば、既製品として販売される充填された供給装置は、１Ｌ以上の容量を有するリザーババッグを含むことができ、それにより同じリザーババッグは、例えば５００ｍｌ又は７００ｍｌ又は１Ｌの印刷液体を含む異なる供給装置製品に使用され得る。
【０２５０】
また、インターフェース構造体は、比較的多種多様な印刷システムのプラットフォームに接続するために流用され得る。本開示の出願日より前に、等価の様々な印刷システムのプラットフォームが、広範囲の異なる供給プラットフォーム、例えば、異なる設計の３つより多い又は４つの異なる供給プラットフォームに関連付けられていた一方で、現在、同じ様々な印刷システムのプラットフォームは、単一のインターフェース構造体および供給装置プラットフォームを使用することができる。
【０２５１】
本開示の供給装置、インターフェース構造体および構成要素は、印刷以外の分野、例えば、任意のタイプの液体分配システム及び／又は液体循環回路に適用され得る。例えば、印刷液体サプライは、印刷液体以外の液体、例えば、経時的に一定の特性を保持するために不浸透性リザーバに収容されるべき液体を収容することができる。これらの他の分野の適用領域は、例えば、医療、医薬品または法医学の用途、或いは食品または飲料の用途を含むことができる。その目的のために、本明細書および特許請求の範囲において、印刷液体が言及されている場合、これは、任意の流体または液体に置き換えられ得る。また、印刷システムまたは印刷プラットフォームは、任意の流体または液体処理プラットフォームに置き換えられ得る。
【０２５２】
本明細書の冒頭に記載されているように、図面に示された及び上述した例は、本発明を例示するが、本発明を限定しない。本開示に示されていない他の例は、別の開示された及び開示されていない特徴の派生または組合せの何れかを通じて導出され得る。上記の説明は、以下の特許請求の範囲に定義される本発明の範囲を限定するものと解釈されるべきではない。
【０２５３】
本開示の一態様は、受容ステーションの液体ニードルに液体を供給するための印刷液体供給装置を含む。その印刷液体供給装置は、（i）流体の移動を阻止するように適合されたリザーバ壁材料を含み、少なくとも９０ｍｌの印刷液体を保持するための少なくとも部分的に変形可能な液体リザーバを含む液体容器と、（ii）前記容器の側部にあるインターフェース構造体であって、受容ステーションとの流体接続を容易にするように適合された剛性のある成形構造体を含む、インターフェース構造体とを含む。インターフェース構造体は、（i）液体がリザーバからニードルへ流れることを可能にするためにリザーバとニードル受容部分に流体的に連通するように接続するリザーバ接続部分を含む液体チャネルと、（ii）ニードル受容部分に隣接し且つリザーバ接続部分から或る距離を置いた液体チャネルの液体インターフェースであって、当該液体インターフェースが液体ニードルを受容するためのシールを含み、ニードル受容液体チャネル部分および／またはシールがニードル挿入方向を画定する、液体インターフェースと、（iii）液体インターフェースと容器との間に配置された押し領域を含む、液体インターフェースに隣接した前壁および／または縁部と、（iv）少なくとも１つのキーペン基部およびキーペンであって、前記キーペンは、キースロットを通過して受容ステーションのアクチュエータ上で作動するために、ニードル挿入方向に平行で且つそれとは逆の方向において前記基部から突出し、ニードル受容液体チャネル部分に隣接して且つそれに概ね平行に延びて、前記基部から少なくとも１０ｍｍの距離を置いて個別の作動表面領域を有する、少なくとも１つのキーペン基部およびキーペンと、（v）ニードル受容液体チャネル部分に隣接したコンタクトパッドアレイであって、データコネクタが容器とコンタクトパッドアレイとの間でコンタクトパッドに接触することができるように、前記コンタクトパッドの接触面が容器に面している、コンタクトパッドアレイとを含み、コンタクトパッドアレイは、ニードル挿入方向に垂直な横方向において延びるラインに沿って配列され、キーペン、ニードル受容液体チャネル部分、及び液体インターフェースは、コンタクトパッドアレイと交差する第２の仮想基準平面に平行で且つそれから或る距離を置いた第１の仮想基準平面により交差される。
【０２５４】
本開示の別の態様は、印刷液体供給容器を組み立てるための構成要素のサブアセンブリを含み、当該セットは、印刷液体供給容器を形成するために印刷液体リザーバ及び支持構造体を含み、容器は、第１、第２及び第３の寸法を有し、支持構造体は、少なくとも折り曲げられて取り付けられた状態において、リザーバを少なくとも部分的に取り囲んで支持し、且つ容器に剛性を提供し、リザーバは、印刷液体を保持し、且つ印刷液体がリザーバから引き出されるためにつぶれるように少なくとも部分的にフレキシブルであるバッグを含み、当該バッグは、流体交換を阻止するように構成されている。例えば、バッグは、充填された状態のバッグに対して比較的幅の狭い首部を含み、首部はバッグから印刷液体を出力するための開口を有する。例えば、充填されて組み立てられた状態において、首部から始まって、バッグの少なくとも約三分の二が、支持構造体の突出部分の内部に、第２の寸法に平行な方向において突出し、支持構造体は、折り曲げられた状態において、前記第１、第２及び第３の寸法を画定するほぼ垂直な壁を含むように適合され、第１及び第２の寸法は、第３の寸法より大きく、第２及び第３の寸法を画定する第１の壁は、支持構造体に配置された際に、首部に対する別の流体構造体の接続を可能にするためにリザーバの首部に隣接した開口を含み、当該開口は、突出部分の反対側で、第１の壁に隣接した別の壁に隣接して設けられ、他の壁は第１及び第３の寸法に平行である。
【０２５５】
本開示の別の態様は、構成要素のキットのような、液体供給装置を提供するための中間の構成要素に関する。本開示の更に別の態様は、供給装置用のインターフェース構造体を含む。
【図１】
2021519708.tif 000003
【図２】
2021519708.tif 000004
【図３】
2021519708.tif 000005
【図４】
2021519708.tif 000006
【図５】
2021519708.tif 000007
【図６】
2021519708.tif 000008
【図７】
2021519708.tif 000009
【図８】
2021519708.tif 000010
【図９】
2021519708.tif 000011
【図１０】
2021519708.tif 000012
【図１１】
2021519708.tif 000013
【図１２】
2021519708.tif 000014
【図１３】
2021519708.tif 000015
【図１４】
2021519708.tif 000016
【図１５】
2021519708.tif 000017
【図１６】
2021519708.tif 000018
【図１７】
2021519708.tif 000019
【図１７Ａ】
2021519708.tif 000020
【図１７Ｂ】
2021519708.tif 000021
【図１８】
2021519708.tif 000022
【図１９】
2021519708.tif 000023
【図２０】
2021519708.tif 000024
【図２１】
2021519708.tif 000025
【図２２】
2021519708.tif 000026
【図２３】
2021519708.tif 000027
【図２４】
2021519708.tif 000028
【図２５】
2021519708.tif 000029
【図２６】
2021519708.tif 000030
【図２７】
2021519708.tif 000031
【図２８】
2021519708.tif 000032
【図２９】
2021519708.tif 000033
【図３０】
2021519708.tif 000034
【図３１】
2021519708.tif 000035
【図３２】
2021519708.tif 000036
【図３３】
2021519708.tif 000037
【図３４】
2021519708.tif 000038
【図３５】
2021519708.tif 000039
【図３６】
2021519708.tif 000040
【図３７】
2021519708.tif 000041
【図３７Ａ】
2021519708.tif 000042
【図３８】
2021519708.tif 000043
【図３９】
2021519708.tif 000044
【図４０】
2021519708.tif 000045
【図４０Ａ】
2021519708.tif 000046
【図４１】
2021519708.tif 000047
【図４２】
2021519708.tif 000048
【図４３】
2021519708.tif 000049
【図４４】
2021519708.tif 000050
【図４５】
2021519708.tif 000051
【図４６】
2021519708.tif 000052
【図４７】
2021519708.tif 000053
【図４８】
2021519708.tif 000054
【図４９】
2021519708.tif 000055
【図５０】
2021519708.tif 000056
【図５０Ａ】
2021519708.tif 000057
【図５０Ｂ】
2021519708.tif 000058
【図５０Ｃ】
2021519708.tif 000059
【図５１】
2021519708.tif 000060
【図５２】
2021519708.tif 000061
【図５３】
2021519708.tif 000062
【図５４】
2021519708.tif 000063
【図５５】
2021519708.tif 000064
【図５６】
2021519708.tif 000065
【図５７】
2021519708.tif 000066
【図５８】
2021519708.tif 000067
【図５９】
2021519708.tif 000068
【図６０】
2021519708.tif 000069
【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
受容ステーションの液体ニードルに液体を供給するための印刷液体供給装置であって、
流体の移動を阻止するように適合されたリザーバ壁材料を含む、少なくとも９０ｍｌの印刷液体を保持するための少なくとも部分的に変形可能な液体リザーバを含む液体容器と、
前記容器の側部にあるインターフェース構造体とを含み、そのインターフェース構造体が、
前記受容ステーションとの流体接続を容易にするように適合された剛性のある成形構造体と、
液体が前記リザーバから前記ニードルへ流れることを可能にするために前記リザーバとニードル受容部分に流体的に連通するように接続するリザーバ接続部分を含む液体チャネルと、
前記ニードル受容部分に隣接し且つ前記リザーバ接続部分から或る距離を置いた前記液体チャネルの液体インターフェースであって、当該液体インターフェースが液体ニードルを受容するためのシールを含み、前記ニードル受容液体チャネル部分および／またはシールがニードル挿入方向を画定する、液体インターフェースと、
前記液体インターフェースと前記容器との間に配置された押し領域を含む、前記液体インターフェースに隣接した前壁および／または縁部と、
少なくとも１つのキーペン基部およびキーペンであって、前記キーペンは、キースロットを通過して前記受容ステーションのアクチュエータ上で作動するために、前記ニードル挿入方向に平行で且つそれとは逆の方向において前記基部から突出し、前記ニードル受容液体チャネル部分に隣接して且つそれに概ね平行に延びて、前記基部から少なくとも１０ｍｍの距離を置いて個別の作動表面領域を有する、少なくとも１つのキーペン基部およびキーペンと、
前記ニードル受容液体チャネル部分に隣接したコンタクトパッドアレイであって、データコネクタが前記容器と前記コンタクトパッドアレイとの間でコンタクトパッドに接触することができるように、前記コンタクトパッドの接触面が前記容器に面している、コンタクトパッドアレイとを含み、
前記コンタクトパッドアレイは、前記ニードル挿入方向に垂直な横方向において延びるラインに沿って配列され、
前記キーペン、前記ニードル受容液体チャネル部分、及び前記液体インターフェースは、前記コンタクトパッドアレイと交差する第２の仮想基準平面に平行で且つそれから或る距離を置いた第１の仮想基準平面により交差される、印刷液体供給装置。
【請求項２】
前記ニードル受容液体チャネル部分の両側において、前記ニードル受容液体チャネル部分に隣接して且つそれに平行に延びる一対の突出キーペンを含む、請求項１に記載の印刷液体供給装置。
【請求項３】
前記ニードル挿入方向に沿って測定される際に前記作動表面領域のレベルは、
液体インターフェース縁部および／または前面押し領域のレベルから約５ｍｍ〜０ｍｍ短い位置において延びる、又は
そのレベルを越えて延びる、請求項１又は２に記載の印刷液体供給装置。
【請求項４】
前記キーペン及び前記ニードル受容液体チャネル部分は、データコネクタが前記ニードル受容液体チャネル部分と前記キーペンとの間を通ることを容易にするために、前記コンタクトパッドアレイの側面において延びる、請求項１〜３の何れか１項に記載の印刷液体供給装置。
【請求項５】
前記ニードル受容液体チャネル部分の反対側の側面において第２のキーペンを含み、前述したキーペンと前記ニードル受容液体チャネル部分との間の距離は、前記第２のキーペンと前記ニードル受容液体チャネル部分との間の距離より大きい、請求項４に記載の印刷液体供給装置。
【請求項６】
前記インターフェース構造体は、各側面においてリセスを含み、キーペンが各リセス内で延びており、前記リセスが、より小さいリセス及びより大きいリセスを含み、前記コンタクトパッドアレイが前記より大きいリセス内に配置される、請求項４又は５に記載の印刷液体供給装置。
【請求項７】
クリアランス及び当たり止め面が、前記インターフェース構造体の側面に設けられ、
前記当たり止め面が前記キーペンに隣接して前記クリアランスの前で延びており、
前記第１の仮想基準平面が前記当たり止め面と交差する、請求項１〜６の何れか１項に記載の印刷液体供給装置。
【請求項８】
前記インターフェース構造体の側面において横方向側壁にクリアランスを含み、前記クリアランスが、スロット、貫通穴、又は凹みである、請求項１〜７の何れか１項に記載の印刷液体供給装置。
【請求項９】
少なくとも１つの壁を含む支持構造体を含み、前記支持構造体は、
前記リザーバを支持し且つ前記リザーバを少なくとも部分的に取り囲むように適合され、
前記インターフェース構造体を支持するように適合され、
前記リザーバから前記インターフェース構造体までの液体の流れを容易にするために１つの壁に開口を含む、請求項１〜８の何れか１項に記載の印刷液体供給装置。
【請求項１０】
前記インターフェース構造体が前記容器から突出する、請求項１〜９の何れか１項に記載の印刷液体供給装置。
【請求項１１】
前記インターフェース構造体が前記容器から突出する吐出方向に沿って見られる際に、前記ニードル受容液体チャネル部分、液体インターフェース、側面、固定特徴要素、キーペン及びコンタクトパッドは全て、前記容器の輪郭により画定された領域内で延びている、請求項１０に記載の印刷液体供給装置。
【請求項１２】
前記インターフェース構造体は、前記液体ニードルに対して前記装置の前記受容ステーションへの挿入を容易にするために前記ニードル挿入方向に平行な少なくとも１つの細長い直線状ガイド面および／またはクリアランススロットを含む、請求項１〜１１の何れか１項に記載の印刷液体供給装置。
【請求項１３】
前記少なくとも１つのガイド面またはクリアランススロットは、側面に設けられ、前記第１の仮想基準平面により交差される、請求項１２に記載の印刷液体供給装置。
【請求項１４】
前記少なくとも１つのガイド面またはクリアランススロットは、遠位側に設けられ、前記第１の仮想基準平面により交差される、請求項１２又は１３に記載の印刷液体供給装置。
【請求項１５】
前記インターフェース構造体は、前記集積回路コンタクトパッドアレイと比べて、前記ニードル受容液体チャネル部分に沿って遠位の側壁において、及び前記液体チャネル部分の反対側においてスロットを含む、請求項１〜１４の何れか１項に記載の印刷液体供給装置。
【請求項１６】
前記液体インターフェース及びコンタクトパッドアレイは、前記ニードル挿入方向に平行であり且つ前記第１及び第２の仮想基準平面に垂直な中央仮想基準平面の両側で延びる、請求項１〜１５の何れか１項に記載の印刷液体供給装置。
【請求項１７】
前記ニードル受容液体チャネル部分および前記リザーバ接続液体チャネル部分は、互いに対して或る角度をなして延びており、
前記液体チャネルの前記リザーバ接続部分は、前記ニードル受容液体チャネル部分から或る距離を置いた所で、前記第２の仮想基準平面に対して前記第１の仮想基準平面の反対の側において、前記第１の仮想基準平面に平行な第３の仮想基準平面により交差される、請求項１〜１６の何れか１項に記載の印刷液体供給装置。
【請求項１８】
前記ニードル受容液体チャネル部分および前記リザーバ接続液体チャネル部分は、前記ニードル挿入方向に垂直な横方向において、互いに対してオフセットされる、請求項１７に記載の印刷液体供給装置。
【請求項１９】
前記前面押し領域は、前記インターフェース縁部の内径および／または前記液体インターフェースに着座したシールの外径より小さい、前記液体インターフェースからの距離の所で終端する、請求項１〜１８の何れか１項に記載の印刷液体供給装置。
【国際調査報告】
2021519708.tif 000070
2021519708.tif 000071
2021519708.tif 000072
2021519708.tif 000073
2021519708.tif 000074